(57)【要約】  上り制御チャネルのオーバーヘッドの増加を防止しつつ、柔軟性の高い再送制御を実現する基地局装置及び端末装置。基地局（１００）において、制御部（１０１）が、第１及び第２の下り単位バンドを含むBundling単位バンドグループを設定し、マッピング部（１０８）が、初回送信データを、第１及び第２の下り単位バンドにマッピングすると共に、再送データを、Bundling単位バンドグループの下り単位バンドを除く第３の下り単位バンドにマッピングする。また、端末（２００）において、Bundling制御部（２１２）は、初回送信データに対する応答信号を、初回送信データが送信された下り単位バンドの下り制御チャネルと対応付けられて上り単位バンドに設けられた上り制御チャネルの構成リソースで送信し、再送データに対する応答信号を、初回送信データに対する応答信号と異なるリソースで送信する。
2010122808.tif 000002
【特許請求の範囲】
【請求項１】
Ｎ個（Ｎは、２以上の自然数）の下り単位バンドと上り単位バンドとからなる単位バンドグループを用いて基地局と通信し、且つ、下り単位バンドに配置される下りデータの誤り検出結果に基づく応答信号を前記下り単位バンドに対応する上り単位バンドの上り制御チャネルで送信する端末装置であって、
前記複数の下り単位バンドの下り制御チャネルで送信された下り割当制御情報を受信する制御情報受信手段と、
前記下り割当制御情報が示す下りデータチャネルで送信された下りデータを受信する下りデータ受信手段と、
前記受信された下りデータの受信誤りを検出する誤り検出手段と、
各下り単位バンドで受信された下りデータが初回送信データであるか再送データであるかを判定する判定手段と、
前記誤り検出手段で得られた誤り検出結果、前記下り割当制御情報の受信成否、及び前記判定の結果に基づいて、前記基地局における下りデータの再送制御に用いられる応答信号の送信を制御する応答制御手段と、
を具備し、
前記応答制御手段は、
前記初回送信データに対する応答信号を、前記初回送信データが送信された下り単位バンドの下り制御チャネルと対応付けられて前記上り単位バンドに設けられた上り制御チャネルの構成リソースで送信し、
前記再送データに対する応答信号を、前記初回送信データに対する応答信号と異なるリソースで送信する、
端末装置。
【請求項２】
前記応答制御手段は、前記初回送信データが複数存在する場合に、前記複数の初回送信データに対する束応答信号を１つだけ生成し、前記生成した束応答信号を、前記複数の初回送信データのうちの１つが送信された下り単位バンドの下り制御チャネルと対応付けられて前記上り単位バンドに設けられた上り制御チャネルの構成リソースで送信する、
請求項１に記載の端末装置。
【請求項３】
前記応答制御手段は、前記再送データに対する応答信号を、前記再送データが送信された下り単位バンドの下り制御チャネルと対応付けられて他の上り単位バンドに設けられた上り制御チャネルの構成リソースで送信する、
請求項１に記載の端末装置。
【請求項４】
前記応答制御手段は、前記再送データに対する応答信号を、前記初回送信データに対応する応答信号が送信される上り制御チャネル内の他の構成リソースで送信する、
請求項１に記載の端末装置。
【請求項５】
前記応答制御手段は、
前記制御情報受信手段において前記単位バンドグループにおける上り単位バンドに関する情報が含まれる報知チャネル信号が送信される下り単位バンドである基本単位バンド、及び、初回送信データが配置された、前記基本単位バンド以外の第２の下り単位バンドで送信された下り割当制御情報の受信に成功した場合には、前記基本単位バンドにおける下り制御チャネルと関連付けられて前記上り単位バンドに設けられた上り制御チャネルのリソースを用いて、前記初回送信データに対する応答信号を送信し、
前記制御情報受信手段において前記第２の下り単位バンドで送信された下り割当制御情報の受信のみに成功した場合には、前記初回送信データに対する応答信号を前記基地局へ送信しない、
請求項１に記載の端末装置。
【請求項６】
Ｎ個（Ｎは、２以上の自然数）の下り単位バンドと上り単位バンドとからなる単位バンドグループを用いて端末と通信する基地局であって、
前記Ｎ個の下り単位バンドの中からBundling単位バンドグループを設定する制御手段と、
下りデータの内の初回送信データを、前記Bundling単位バンドグループの下り単位バンドにマッピングすると共に、再送データを、前記Ｎ個の下り単位バンドの内、前記Bundling単位バンドグループの下り単位バンド以外の下り単位バンドにマッピングするマッピング手段と、
を具備する基地局装置。
【請求項７】
各下り単位バンドの下り制御チャネルで送信される下り割当制御情報を生成する手段であって、前記Bundling単位バンドグループの下り単位バンドの下り割当制御情報には、初回送信データであることを示すデータ種別情報及び初回送信データが配置された下り単位バンドの数を示す配置情報を含め、前記Bundling単位バンドグループの下り単位バンド以外の下り単位バンドの下り割当制御情報には、再送データであることを示すデータ種別情報及び再送データに対応する応答信号を配置すべき上り制御チャネルのリソースを示すリソース情報を含める制御情報生成手段、をさらに具備する、
請求項６に記載の基地局装置。
【発明の詳細な説明】
【技術分野】
【０００１】
本発明は、基地局装置及び端末装置に関する。
【背景技術】
【０００２】
３ＧＰＰ  ＬＴＥでは、下り回線の通信方式としてＯＦＤＭＡ（Orthogonal Frequency Division Multiple Access）が採用されている。３ＧＰＰ  ＬＴＥが適用された無線通信システムでは、基地局が予め定められた通信リソースを用いて同期信号(Synchronization Channel：ＳＣＨ)及び報知信号（Broadcast Channel：ＢＣＨ）を送信する。そして、端末は、まず、ＳＣＨを捕まえることによって基地局との同期を確保する。その後、端末は、ＢＣＨ情報を読むことにより基地局独自のパラメータ(例えば、周波数帯域幅など)を取得する（非特許文献１、２、３参照）。【０００３】
また、端末は、基地局独自のパラメータの取得が完了した後、基地局に対して接続要求を行うことにより、基地局との通信を確立する。基地局は、通信が確立された端末に対して、必要に応じてＰＤＣＣＨ(Physical Downlink Control CHannel)を介して制御情報を送信する。【０００４】
そして、端末は、受信したＰＤＣＣＨ信号に含まれる複数の制御情報をそれぞれ「ブラインド判定」する。すなわち、制御情報は、ＣＲＣ（Cyclic Redundancy Check）部分を含み、このＣＲＣ部分は、基地局において、送信対象端末の端末ＩＤによってマスクされる。従って、端末は、受信した制御情報のＣＲＣ部分を自機の端末ＩＤでデマスクしてみるまでは、自機宛の制御情報であるか否かを判定できない。このブラインド判定では、デマスクした結果、ＣＲＣ演算がＯＫとなれば、その制御情報が自機宛であると判定される。【０００５】
また、３ＧＰＰ  ＬＴＥでは、基地局から端末への下り回線データに対してＡＲＱ（Automatic Repeat Request）が適用される。つまり、端末は下り回線データの誤り検出結果を示す応答信号を基地局へフィードバックする。端末は下り回線データに対しＣＲＣを行って、ＣＲＣ＝ＯＫ（誤り無し）であればＡＣＫ（Acknowledgment）を、ＣＲＣ＝ＮＧ（誤り有り）であればＮＡＣＫ（Negative Acknowledgment）を応答信号として基地局へフィードバックする。この応答信号(つまり、ＡＣＫ／ＮＡＣＫ信号)のフィードバックには、ＰＵＣＣＨ(Physical Uplink Control Channel)等の上り回線制御チャネルが用いられる。【０００６】
そして、受信した応答信号がＮＡＣＫを示す場合には、基地局は、端末に対して再送データを送信する。この際には、下り割当制御信号の中のNew Data Indicator(NDI)ビットを０にして、再送データと割当制御信号とを同一サブフレームで送信する。また、この再送は、所謂Incremental Redundancy(IR)(非特許文献４参照)によって実行される。より具体的には、基地局は、非特許文献１〜３に示すように、再送回数に応じて最適なRedundancy Version (RV)を用いてデータを再送する。すなわち、基地局は、データの再送時には、NDIビットを０に設定すると共に、再送データに用いられているRV番号を同じく下り割当制御信号の中に設定し、得られた下り割当制御信号を下り再送データとを同一サブフレームで送信する。なお、初回送信のデータと同一サブフレームで送信される下り割当制御信号中のＮＤＩビットは、１とされる。【０００７】
ここで、基地局から送信される上記制御情報には、基地局が端末に対して割り当てたリソース情報等を含むリソース割当情報が含まれる。この制御情報の送信には、前述の通りＰＤＣＣＨが用いられる。このＰＤＣＣＨは、１つ又は複数のＬ１／Ｌ２ＣＣＨ（L1/L2 Control Channel）から構成される。各Ｌ１／Ｌ２ＣＣＨは、１つ又は複数のＣＣＥ（Control Channel Element）から構成される。すなわち、ＣＣＥは、制御情報をＰＤＣＣＨにマッピングするときの基本単位である。また、１つのＬ１／Ｌ２ＣＣＨが複数のＣＣＥから構成される場合には、そのＬ１／Ｌ２ＣＣＨには連続する複数のＣＣＥが割り当てられる。基地局は、リソース割当対象端末に対する制御情報の通知に必要なＣＣＥ数に従って、そのリソース割当対象端末に対してＬ１／Ｌ２ＣＣＨを割り当てる。そして、基地局は、このＬ１／Ｌ２ＣＣＨのＣＣＥに対応する物理リソースにマッピングして制御情報を送信する。【０００８】
またここで、各ＣＣＥは、ＰＵＣＣＨの構成リソースと１対１に対応付けられている。従って、Ｌ１／Ｌ２ＣＣＨを受信した端末は、このＬ１／Ｌ２ＣＣＨを構成するＣＣＥに対応するＰＵＣＣＨの構成リソースを暗黙的（Implicit）に特定することができ、この特定されたリソースを用いて応答信号を基地局へ送信する。こうして下り回線の通信リソースが効率良く使用される。【０００９】
複数の端末から送信される複数の応答信号は、図１に示すように、時間軸上でZero Auto-correlation特性を持つＺＡＣ（Zero Auto-correlation）系列、ウォルシュ（Walsh）系列、及び、ＤＦＴ(Discrete Fourier Transform)系列によって拡散され、PUCCH内でコード多重されている。図１において（Ｗ０,Ｗ１,Ｗ２,Ｗ３）は系列長４のウォルシュ系列を表わし、（Ｆ０,Ｆ１,Ｆ２）は系列長３のＤＦＴ系列を表す。図１に示すように、端末では、ＡＣＫ又はＮＡＣＫの応答信号が、まず周波数軸上でＺＡＣ系列（系列長１２）によって１ＳＣ−ＦＤＭＡシンボル内に１次拡散される。次いで１次拡散後の応答信号がＷ０〜Ｗ３、Ｆ０〜Ｆ３それぞれに対応させられてＩＦＦＴ（Inverse Fast Fourier Transform）される。周波数軸上で系列長１２のＺＡＣ系列によって拡散された応答信号は、このＩＦＦＴにより時間軸上の系列長１２のＺＡＣ系列に変換される。そして、ＩＦＦＴ後の信号がさらにウォルシュ系列（系列長４）、ＤＦＴ系列(系列長３)を用いて２次拡散される。【００１０】
また、３ＧＰＰ  ＬＴＥよりも更なる通信の高速化を実現する３ＧＰＰ  ＬＴＥ−Ａｄｖａｎｃｅｄの標準化が開始された。３ＧＰＰ  ＬＴＥ−Ａｄｖａｎｃｅｄシステム（以下、「ＬＴＥ−Ａシステム」と呼ばれることがある）は、３ＧＰＰ  ＬＴＥシステム（以下、「ＬＴＥシステム」と呼ばれることがある）を踏襲する。３ＧＰＰ  ＬＴＥ−Ａｄｖａｎｃｅｄでは、最大１Ｇｂｐｓ以上の下り伝送速度を実現するために、４０ＭＨｚ以上の広帯域周波数で通信可能な基地局及び端末が導入される見込みである。【００１１】
ＬＴＥ−Ａシステムにおいては、ＬＴＥシステムにおける伝送速度の数倍もの超高速伝送速度による通信、及び、ＬＴＥシステムに対するバックワードコンパチビリティーを同時に実現するために、ＬＴＥ−Ａシステム向けの帯域が、ＬＴＥシステムのサポート帯域幅である２０ＭＨｚ以下の「単位バンド」に区切られる。すなわち、「単位バンド」は、ここでは、最大２０ＭＨｚの幅を持つ帯域であって、通信帯域の基本単位として定義される。さらに、下り回線における「単位バンド」（以下、「下り単位バンド」という）は基地局から報知されるＢＣＨの中の下り周波数帯域情報によって区切られた帯域、または、下り制御チャネル（ＰＤＣＣＨ）が周波数領域に分散配置される場合の分散幅によって定義される帯域として定義されることもある。また、上り回線における「単位バンド」（以下、「上り単位バンド」という）は、基地局から報知されるＢＣＨの中の上り周波数帯域情報によって区切られた帯域、または、中心付近にＰＵＳＣＨ(Physical Uplink Shared CHannel)領域を含み、両端部にＬＴＥ向けのＰＵＣＣＨを含む２０ＭＨｚ以下の通信帯域の基本単位として定義されることもある。また、「単位バンド」は、３ＧＰＰ  ＬＴＥ−Ａｄｖａｎｃｅｄにおいて、英語でＣｏｍｐｏｎｅｎｔ  Ｃａｒｒｉｅｒ（ｓ）と表記されることがある。【００１２】
そして、ＬＴＥ−Ａシステムでは、その単位バンドを幾つか束ねた帯域を用いた通信、所謂Carrier aggregationがサポートされる。ＬＴＥ−Ａシステムでは、任意のＬＴＥ−Ａシステム対応の端末（以下、「ＬＴＥ−Ａ端末」という）に対して設定される単位バンドの数が上りと下りで等しいCarrier aggregation、所謂Symmetric carrier aggregationと、任意のＬＴＥ−Ａ端末に対して設定される単位バンドの数が上りと下りで異なるCarrier aggregation、所謂Asymmetric carrier aggregationが検討されている。後者は、上りに対するスループット要求と下りに対するスループット要求が異なる場合に有用である。さらに、上りと下りで単位バンド数が非対称であり、且つ、各単位バンドの周波数帯域幅がそれぞれ異なる場合も、サポートされる見込みである。【００１３】
図２は、個別の端末に適用される非対称のCarrier aggregation及びその制御シーケンスの説明に供する図である。図２には、基地局の上りと下りの帯域幅及び単位バンド数が対称である例が示されている。【００１４】
図２において、端末１に対しては、２つの下り単位バンドと左側の１つの上り単位バンドを用いてCarrier aggregationを行うような設定(Configuration)が為される一方、端末２に対しては、端末１と同一の２つの下り単位バンドを用いるような設定が為されるにも拘らず、上り通信では右側の上り単位バンドを利用するような設定が為される。【００１５】
そして、端末１に着目すると、ＬＴＥ−Ａシステムを構成するＬＴＥ−Ａ基地局とＬＴＥ−Ａ端末との間では、図２Ａに示すシーケンス図に従って、信号の送受信が行われる。図２Ａに示すように、（１）端末１は、基地局との通信開始時に、左側の下り単位バンドと同期を取り、左側の下り単位バンドとペアになっている上り単位バンドの情報をＳＩＢ２(System Information Block Type 2)と呼ばれる報知信号から読み取る。（２）端末１は、この上り単位バンドを用いて、例えば、接続要求を基地局に送信することによって基地局との通信を開始する。（３）端末に対し複数の下り単位バンドを割り当てる必要があると判断した場合には、基地局は、端末に下り単位バンドの追加を指示する。ただし、この場合、上り単位バンド数は増えず、個別の端末である端末１において非対称Carrier aggregationが開始される。  
【先行技術文献】
【非特許文献】
【００１６】
【非特許文献１】3GPP TS 36.211 V8.6.0, “Physical Channels and Modulation (Release 8),” March 2009
【非特許文献２】3GPP TS 36.212 V8.6.0, “Multiplexing and channel coding (Release 8),” March 2009
【非特許文献３】3GPP TS 36.213 V8.6.0, “Physical layer procedures (Release 8),”March 2009
【非特許文献４】P.Frenger, S.Parkvall, and E.Dahlman, “Performance comparison of HARQ with chase combining and incremental redundancy for HSDPA,” Proc. IEEE VTC’01-Fall, Oct. 2001
【発明の概要】
【発明が解決しようとする課題】
【００１７】
ところで、ＬＴＥ−Ａでは、応答信号の送信モードとして、次の２つのモードが検討されている。すなわち、第１のモードは、複数の下り単位バンドにおいて送信された複数のデータに対して個別に応答信号を送信する、所謂Non-bundlingモードである。所謂Non-bundlingモードでは、複数の応答信号は、周波数又は符号の少なくとも一つが異なるリソースを割り当てられ、同時に送信される。Non-bundlingモードは、Multi-code送信モードと呼ばれることもある。また、第２のモードは、複数の下り単位バンドにおいて送信された複数のデータに対する複数の応答信号を一つにまとめて(Bundlingして)送信する、所謂ＡＣＫ／ＮＡＣＫ Bundling(以下、単に「Bundling」と記す)である。Bundlingでは、端末が送信すべき複数のＡＣＫ／ＮＡＣＫ信号の論理積(つまり、Logical AND)を計算し、その計算結果を「束ＡＣＫ／ＮＡＣＫ信号（Bundled ＡＣＫ／ＮＡＣＫ信号、または束応答信号とも呼ぶ）」として基地局にフィードバックする。【００１８】
上記したCarrier aggregationが端末に適用される場合には、ＡＲＱは以下のように制御される。まず、図３左図を参照して、Bundlingの場合について説明する。図３に示すように、端末に対して、下り単位バンド１，２及び上り単位バンド１から成る単位バンドグループが設定される場合には、下り単位バンド１，２のそれぞれのＰＤＣＣＨで下りリソース割当情報が基地局から端末へ送信された後に、その下りリソース割当情報に対応するリソースで下り回線データが送信される。そして、下り単位バンド２で送信された下り回線データに対するＡＣＫ／ＮＡＣＫ信号だけでなく、下り単位バンド１で送信された下り回線データに対するＡＣＫ／ＮＡＣＫ信号も、下り単位バンド２に対応する上り単位バンド２のＰＵＣＣＨで送信される。【００１９】
そして、端末が２つの下り回線データの両方の受信に成功した場合（ＣＲＣ＝ＯＫ）の場合、端末は下り単位バンド１に対するＡＣＫ(=1)と、下り単位バンド２に対するＡＣＫ(=1)との論理積を計算し、その結果として「1」（つまりＡＣＫ）を束ＡＣＫ／ＮＡＣＫ信号として基地局に送信する。また、端末が下り単位バンド１における下り回線データの受信に成功し、且つ、下り単位バンド２における下り回線データの受信に失敗した場合には、端末は、下り単位バンドに対するＡＣＫ(=1)と、下り単位バンド２に対するＮＡＣＫ(=0)との論理積を計算し、「0」（つまり、ＮＡＣＫ）を束ＡＣＫ／ＮＡＣＫ信号として基地局に送信する。同様に、端末が下り回線データを２つとも受信に失敗した場合には、端末は、ＮＡＣＫ(=0)とＮＡＣＫ(=0)との論理積を計算し、「0」（つまり、ＮＡＣＫ）を束ＡＣＫ／ＮＡＣＫ信号として基地局にフィードバックする。【００２０】
このように、Bundlingでは、端末に対して送信された複数の下り回線データの全ての受信に成功した場合のみ、端末はＡＣＫを一つだけ束ＡＣＫ／ＮＡＣＫ信号として基地局に送信し、一つでも受信に失敗した場合には基地局に対してＮＡＣＫを一つだけ束ＡＣＫ／ＮＡＣＫ信号として送信することで、上り制御チャネルにおけるオーバーヘッドを削減できる。なお、端末側では、受信した複数の下り制御信号が占有していた複数のＣＣＥに対応するそれぞれのＰＵＣＣＨリソースのうち、例えば、最も周波数や識別番号（Index）が小さいＰＵＣＣＨリソースを用いて、束ＡＣＫ／ＮＡＣＫ信号を送信する。【００２１】
これに対し、Non-bundlingモードでは、図３右図に示すように、それぞれの下りデータに対する応答信号を個別に送信する。ただし、図３右図では、或る端末に設定された単位バンドグループを構成する下り単位バンドと上り単位バンドとが同数である、Symmetric carrier aggregation時の例が示されている。【００２２】
しかしながら、上記した２つのモードには、一長一短がある。すなわち、Bundlingでは、端末が複数の下り単位バンドのデータに対する応答信号の論理積を取ってまとめて送信する。これにより、第１に、ＬＴＥシステムと同様に、端末側の送信波形のSingle carrier特性を保つことができ、第２に、ＰＵＣＣＨリソースを一つしか占有しないので、ＰＵＣＣＨにおけるキャパシティーの制限になっている他の信号に与える符号間干渉（Inter-code interference）を削減することができる。しかし、複数の下り単位バンドにおけるデータ受信の成否を個別に基地局に伝達することができず、端末側で一つでも下りデータ受信に失敗すれば端末はＮＡＣＫを基地局に返すため、基地局は全てのデータを再送せざるを得ない。すなわち、Bundlingでは、符号間干渉を低減できる等のメリットがある一方で、再送制御の柔軟性が低下する問題がある。【００２３】
一方、Non-bundlingモードでは、再送制御の柔軟性は高いが、上り制御チャネルにおけるオーバーヘッドがBundlingに比べて大きくなってしまう。【００２４】
本発明の目的は、上り制御チャネルのオーバーヘッドの増加を防止しつつ、柔軟性の高い再送制御を実現する基地局装置及び端末装置を提供することである。
【課題を解決するための手段】
【００２５】
本発明の一態様の基地局装置は、Ｎ個（Ｎは、２以上の自然数）の下り単位バンドと上り単位バンドとからなる単位バンドグループを用いて端末と通信する基地局であって、前記Ｎ個の下り単位バンドの中からBundling単位バンドグループを設定する制御手段と、下りデータの内の初回送信データを、前記Bundling単位バンドグループの下り単位バンドにマッピングすると共に、再送データを、前記Ｎ個の下り単位バンドの内、前記Bundling単位バンドグループの下り単位バンド以外の下り単位バンドにマッピングするマッピング手段と、を具備する構成を採る。【００２６】
本発明の一態様の端末装置は、Ｎ個（Ｎは、２以上の自然数）の下り単位バンドと上り単位バンドとからなる単位バンドグループを用いて基地局と通信し、且つ、下り単位バンドに配置される下りデータの誤り検出結果に基づく応答信号を前記下り単位バンドに対応する上り単位バンドの上り制御チャネルで送信する端末装置であって、前記複数の下り単位バンドの下り制御チャネルで送信された下り割当制御情報を受信する制御情報受信手段と、前記下り割当制御情報が示す下りデータチャネルで送信された下りデータを受信する下りデータ受信手段と、前記受信された下りデータの受信誤りを検出する誤り検出手段と、各下り単位バンドで受信された下りデータが初回送信データであるか再送データであるかを判定する判定手段と、前記誤り検出手段で得られた誤り検出結果、前記下り割当制御情報の受信成否、及び前記判定の結果に基づいて、前記基地局における下りデータの再送制御に用いられる応答信号の送信を制御する応答制御手段と、を具備し、前記応答制御手段は、前記初回送信データに対する応答信号を、前記初回送信データが送信された下り単位バンドの下り制御チャネルと対応付けられて前記上り単位バンドに設けられた上り制御チャネルの構成リソースで送信し、前記再送データに対する応答信号を、前記初回送信データに対する応答信号と異なるリソースで送信する。
【発明の効果】
【００２７】
本発明によれば、上り制御チャネルのオーバーヘッドの増加を防止しつつ、柔軟性の高い再送制御を実現する基地局装置及び端末装置を提供することできる。
【図面の簡単な説明】
【００２８】
【図１】応答信号及び参照信号の拡散方法を示す図
【図２】個別の端末に適用される非対称のCarrier aggregation及びその制御シーケンスの説明に供する図
【図３】Carrier aggregationが端末に適用される場合のＡＲＱ制御の説明に供する図
【図４】本発明の実施の形態１に係る基地局の構成を示すブロック図
【図５】本発明に実施の形態１に係る端末の構成を示すブロック図
【図６】基地局及び端末の動作説明に供する図
【図７】下り単位バンドで送信されるデータの種類（つまり、初回送信データ又は再送データ）と、応答信号の種別（つまり、Bundlingによる応答信号又はNon-bundlingによる応答信号）との関係を示す図
【図８】本発明の実施の形態２に係る基地局の構成を示すブロック図
【図９】本発明に実施の形態２に係る端末の構成を示すブロック図
【図１０】基地局及び端末の動作説明に供する図
【図１１】本発明の実施の形態３に係る基地局の構成を示すブロック図
【図１２】本発明に実施の形態３に係る端末の構成を示すブロック図
【図１３】基地局及び端末の動作説明に供する図
【図１４】基地局及び端末の動作説明に供する図
【発明を実施するための形態】
【００２９】
本発明者は、まず、Bundlingでの再送制御の柔軟性が低下する問題は、誤り率が大きく異なる複数の下りデータ又は緊急度が大きく異なる複数の下りデータに対する応答信号をBundlingする際に、より強調される点に着目した。
【００３０】
また、本発明者は、データの再送回数と誤り率との間に高い相関性があることに着目した。具体的には、初回送信データの誤り率が１０％程度である一方で、再送データの誤り率はＩＲ（Incremental Redundancy）の利得等により誤り率が数％まで低下する。誤り率は、再送回数が増す程さらに低下する。因みに、データの再送回数は、下りデータの割当制御信号内に含まれる、ＮＤＩ(New Data Indicator)ビット及びＲＶ(Redundancy Version)ビットから判断できる。
【００３１】
そして、本発明者は、誤り率の異なる初回送信データと再送データとで個別に再送制御（特に、応答信号の送信制御）を行い、Bundling及びNon-bundlingの両方の利点を活かすことのできる本発明をするに到った。
【００３２】
以下、本発明の実施の形態について図面を参照して詳細に説明する。なお、実施の形態において、同一の構成要素には同一の符号を付し、その説明は重複するので省略する。
【００３３】
（実施の形態１）
［通信システムの概要］
後述する基地局１００及び端末２００を含む通信システムでは、Ｎ（Ｎは、２以上の自然数）個の上り単位バンド及び当該Ｎ個の上り単位バンドと対応づけられたＮ個の下り単位バンドを使用した通信、つまり、端末２００独自の対称Ｃａｒｒｉｅｒ  ａｇｇｒｅｇａｔｉｏｎによる通信が行われる。このＮ個の上り単位バンド及びＮ個の下り単位バンドは、端末２００に対して設定された「単位バンドグループ」である。また、この通信システムには、端末２００と異なり、Ｃａｒｒｉｅｒ  ａｇｇｒｅｇａｔｉｏｎによる通信を行う能力が無く、１つの下り単位バンドとこれに対応づけられた１つの上り単位バンドによる通信（つまり、Ｃａｒｒｉｅｒ  ａｇｇｒｅｇａｔｉｏｎによらない通信）を行う端末も含まれている。
【００３４】
従って、基地局１００は、対称Ｃａｒｒｉｅｒ  ａｇｇｒｅｇａｔｉｏｎによる通信及びＣａｒｒｉｅｒ  ａｇｇｒｅｇａｔｉｏｎによらない通信の両方をサポートできるように構成されている。
【００３５】
また、基地局１００と端末２００との間でも、基地局１００による端末２００に対するリソース割当によっては、Ｃａｒｒｉｅｒ  ａｇｇｒｅｇａｔｉｏｎによらない通信が行われることも可能である。
【００３６】
また、この通信システムでは、Ｃａｒｒｉｅｒ  ａｇｇｒｅｇａｔｉｏｎによらない通信が行われる場合には、従来通りのＡＲＱが行われる一方、Ｃａｒｒｉｅｒ  ａｇｇｒｅｇａｔｉｏｎによる通信が行われる場合には、ＡＲＱにおいて応答信号のBundlingが採用される。すなわち、この通信システムは、例えば、ＬＴＥ−Ａシステムであり、基地局１００は、例えば、ＬＴＥ−Ａ基地局であり、端末２００は、例えば、ＬＴＥ−Ａ端末である。また、Ｃａｒｒｉｅｒ  ａｇｇｒｅｇａｔｉｏｎによる通信を行う能力の無い端末は、例えば、ＬＴＥ端末である。
【００３７】
また、特に、Ｃａｒｒｉｅｒ  ａｇｇｒｅｇａｔｉｏｎによる通信が行われる場合には、初回送信データに関する応答信号の送信制御に対してBundlingが適用され、再送データに関する応答信号の送信制御に対してはNon-bundlingが適用される。
【００３８】
以下では、次の事項を前提として説明する。すなわち、予め基地局１００と端末２００の間で、端末２００独自の対称Ｃａｒｒｉｅｒ  ａｇｇｒｅｇａｔｉｏｎが構成されており、端末２００が用いるべき下り単位バンド及び上り単位バンドの情報が、基地局１００と端末２００との間で共有されている。
【００３９】
［基地局の構成］
図４は、本発明の実施の形態１に係る基地局１００の構成を示すブロック図である。図４において、基地局１００は、制御部１０１と、制御情報生成部１０２と、符号化部１０３と、変調部１０４と、符号化部１０５と、データ送信制御部１０６と、変調部１０７と、マッピング部１０８と、ＩＦＦＴ部１０９と、ＣＰ付加部１１０と、無線送信部１１１と、無線受信部１１２と、ＣＰ除去部１１３と、ＰＵＣＣＨ抽出部１１４と、逆拡散部１１５と、系列制御部１１６と、相関処理部１１７と、判定部１１８と、再送制御信号生成部１１９とを有する。
【００４０】
制御部１０１は、リソース割当対象端末２００に対して、制御情報を送信するための下りリソース（つまり、下り制御情報割当リソース）、及び、当該制御情報に含まれる、下り回線データを送信するための下りリソース（つまり、下りデータ割当リソース）を割り当てる（Assignする）。このリソース割当は、リソース割当対象端末２００に設定（Configure）される単位バンドグループに含まれる下り単位バンドにおいて行われる。また、下り制御情報割当リソースは、各下り単位バンドにおける下り制御チャネル（ＰＤＣＣＨ）に対応するリソース内で選択される。また、下りデータ割当リソースは、各下り単位バンドにおける下りデータチャネル（ＰＤＳＣＨ）に対応するリソース内で選択される。また、リソース割当対象端末２００が複数有る場合には、制御部１０１は、リソース割当対象端末２００のそれぞれに異なるリソースを割り当てる。
【００４１】
制御部１０１は、リソース割当対象端末２００への初回送信データのために、リソース割当対象端末２００に対して、上記単位バンドグループに含まれる１つ以上の下り単位バンドと上り単位バンドとにより構成される短期変動（variable in short-term）単位バンドグループを設定する。この短期変動単位バンドグループは、下り単位バンドの数と上り単位バンドの数とが異なることもあり（具体的には、下り単位バンドの数よりも上り単位バンドの数の方が少ないこともあり）、上り下りで非対称となる場合がある。また、この短期変動単位バンドグループは、例えば、サブフレーム単位で、設定変更できる。また、短期変動単位バンドグループに含まれる上り単位バンドは、同じ短期変動単位バンドグループに属するいずれかの下り単位バンドと「単位バンドペア」を構成している。また、制御部１０１は、リソース割当対象端末２００への再送データのために、リソース割当対象端末２００に対して、上記単位バンドグループの中で単位バンドペア（上り単位バンドと下り単位バンドのペア）を設定する。この再送データを送信するための単位バンドペアは、サブフレームごとに設定変更できる。
【００４２】
下り制御情報割当リソースは、上記したＬ１／Ｌ２ＣＣＨと同等である。すなわち、下り制御情報割当リソースは、１つ又は複数のＣＣＥから構成される。また、各ＣＣＥは、上り制御チャネル（ＰＵＣＣＨ）の構成リソースと１対１に対応づけられている。ただし、ＣＣＥとＰＵＣＣＨ構成リソースとの関連付けは、ＬＴＥシステム向けに報知された下り単位バンドと上り単位バンドの関連付けにおいてなされる。すなわち、端末２００に対して送信された複数の下り制御情報割当リソースを構成するＣＣＥに対応付けられたＰＵＣＣＨの構成リソースが、全て、当該端末２００向けに設定された単位バンドグループに含まれるとは限らない。
【００４３】
また、制御部１０１は、リソース割当対象端末２００に対して制御情報を送信する際に用いる符号化率を決定する。この符号化率に応じて制御情報のデータ量が異なるので、このデータ量の制御情報をマッピング可能な数のＣＣＥを持つ下り制御情報割当リソースが、制御部１０１によって割り当てられる。
【００４４】
また、制御部１０１は、ＮＤＩを再送制御信号生成部１１９から受け取る。このＮＤＩは、各下り単位バンドで送信される下り回線データが初回送信データであるか再送データであるかを示す情報である。
【００４５】
そして、制御部１０１は、制御情報生成部１０２に対して、下りデータ割当リソースに関する情報及ＮＤＩを制御情報生成部１０２へ出力する。また、制御部１０１は、符号化部１０３に対して、符号化率に関する情報及を出力する。制御部１０１は、送信データ（つまり、下り回線データ）の符号化率を決定し、符号化部１０５に出力する。また、制御部１０１は、下りデータ割当リソース及び下り制御情報割当リソースに関する情報をマッピング部１０８に対して出力する。ただし、制御部１０１は下りデータと当該下りデータに対する下り制御情報を同一の下り単位バンドにマッピングするよう制御する。
【００４６】
制御情報生成部１０２は、下りデータ割当リソース及びＮＤＩを含む制御情報を生成して符号化部１０３へ出力する。この制御情報は下り単位バンドごとに生成される。また、リソース割当対象端末２００が複数有る場合に、リソース割当対象端末２００同士を区別するために、制御情報には、宛先端末の端末ＩＤが含まれる。例えば、宛先端末の端末ＩＤでマスキングされたＣＲＣビットが制御情報に含まれる。この制御情報は、「下り割当制御情報」と呼ばれることがある。
【００４７】
また、制御情報生成部１０２は、下り制御情報割当リソースに関する情報を符号化部１０３及び変調部１０４を介してマッピング部１０８へ出力する。これにより、制御情報が、マッピング部１０８によって下り制御情報割当リソースにマッピングされる。
【００４８】
符号化部１０３は、制御部１０１から受け取る符号化率に従って、制御情報を符号化し、符号化された制御情報を変調部１０４へ出力する。
【００４９】
変調部１０４は、符号化後の制御情報を変調し、得られた変調信号をマッピング部１０８へ出力する。
【００５０】
符号化部１０５は、送信宛先端末２００ごとの送信データ（つまり、下り回線データ）及び制御部１０１からの符号化率情報を入力として、送信データを符号化率情報の示す符号化率で符号化し、データ送信制御部１０６に出力する。ただし、送信宛先端末２００に対して複数の下り単位バンドが割り当てられる場合には、符号化部１０５は、各下り単位バンドで送信される送信データをそれぞれ符号化し、符号化後の送信データをデータ送信制御部１０６へ出力する。
【００５１】
データ送信制御部１０６は、初回送信時には、符号化後の送信データを保持するとともに変調部１０７へ出力する。符号化後の送信データは、送信宛先端末２００ごとに保持される。また、１つの送信宛先端末２００への送信データは、送信される下り単位バンドごとに保持される。これにより、送信宛先端末２００に送信されるデータ全体の再送制御だけでなく、下り単位バンドごとの再送制御も可能になる。
【００５２】
また、データ送信制御部１０６は、再送制御信号生成部１１９から受け取る再送制御信号が再送命令を示す場合には、当該再送制御信号に対応する保持データを、変調部１０７へ出力する。また、データ送信制御部１０６は、再送制御信号生成部１１９から受け取る再送制御信号が再送しないことを示す場合には、当該再送制御信号に対応する保持データを削除する。この場合には、データ送信制御部１０６は、次の初回送信データを変調部１０７へ出力する。なお、初回送信データに関しては、端末２００から複数の初回送信データに関わる束ＡＣＫ／ＮＡＣＫ信号が送信されてくるので、再送命令を示す再送制御信号を受け取ると、データ送信制御部１０６は、その束ＡＣＫ／ＮＡＣＫ信号に関わる複数の保持データをすべて変調部１０７へ出力する。また、ここでは、再送データの応答信号に対してはNon-bundlingが適用されるので、再送データを更に再送する再送制御信号を受け取る場合には、データ送信制御部１０６は、再送制御信号に対応する１つの保持データを変調部１０７へ出力する。
【００５３】
変調部１０７は、データ送信制御部１０６から受け取る符号化後の送信データを変調し、変調信号をマッピング部１０８へ出力する。
【００５４】
マッピング部１０８は、制御部１０１から受け取る下り制御情報割当リソースの示すリソースに、変調部１０４から受け取る制御情報の変調信号をマッピングし、ＩＦＦＴ部１０９へ出力する。
【００５５】
また、マッピング部１０８は、制御部１０１から受け取る下りデータ割当リソースの示すリソースに、変調部１０７から受け取る送信データの変調信号をマッピングし、ＩＦＦＴ部１０９へ出力する。
【００５６】
以上の構成によれば、リソース割当対象端末２００宛の制御情報及び初回送信データは、短期変動単位バンドグループを構成する下り単位バンドにマッピングされ、また、リソース割当対象端末２００宛の制御情報及び再送データは、再送のための下り単位バンドにマッピングされる。
【００５７】
マッピング部１０８にて複数の下り単位バンドにおける複数のサブキャリアにマッピングされた制御情報及び送信データは、ＩＦＦＴ部１０９で周波数領域信号から時間領域信号に変換され、ＣＰ付加部１１０にてＣＰが付加されてＯＦＤＭ信号とされた後に、無線送信部１１１にてＤ／Ａ変換、増幅およびアップコンバート等の送信処理が施され、アンテナを介して端末２００へ送信される。
【００５８】
無線受信部１１２は、端末２００から送信された応答信号または参照信号をアンテナを介して受信し、応答信号または参照信号に対しダウンコンバート、Ａ／Ｄ変換等の受信処理を行う。
【００５９】
ＣＰ除去部１１３は、受信処理後の応答信号または参照信号に付加されているＣＰを除去する。
【００６０】
ＰＵＣＣＨ抽出部１１４は、受信信号に含まれる上り制御チャネル信号を上り単位バンドごとに抽出し、抽出した上り制御チャネル（ＰＵＣＣＨ）信号を上り単位バンドごとに振り分ける。この上り制御チャネル信号には、端末２００から送信された応答信号及び参照信号が含まれている可能性がある。
【００６１】
拡散部１１５−Ｎ、相関処理部１１７−Ｎ、及び判定部１１８−Ｎは、上り単位バンドＮで抽出された上り制御チャネル信号の処理を行う。基地局１００には、基地局１００が利用可能な上り単位バンド１〜Ｎのそれぞれに対応する拡散部１１５、相関処理部１１７、及び判定部１１８の処理系統が設けられている。
【００６２】
具体的には、逆拡散部１１５は、端末２００がそれぞれの上り単位バンドにおいて２次拡散に用いたブロックワイズ拡散コード系列で応答信号を逆拡散し、逆拡散後の応答信号を相関処理部１１７に出力する。また、逆拡散部１１５は、端末２００がそれぞれの上り単位バンドにおいて参照信号の拡散に用いた直交系列で参照信号を逆拡散し、逆拡散後の参照信号を相関処理部１１７に出力する。
【００６３】
系列制御部１１６は、端末２００から送信される応答信号の拡散に用いられているＺＡＣ系列を生成する。また、系列制御部１１６は、端末２００が用いている符号リソース（例えば、循環シフト量）に基づいて、上り単位バンド１〜Ｎのそれぞれで端末２００からの信号成分が含まれる相関窓を特定する。そして、系列制御部１１６は、特定した相関窓を示す情報および生成したＺＡＣ系列を相関処理部１１７に出力する。
【００６４】
相関処理部１１７は、系列制御部１１６から入力される相関窓を示す情報およびＺＡＣ系列を用いて、逆拡散後の応答信号および逆拡散後の参照信号と、端末２００において１次拡散に用いられたＺＡＣ系列との相関値を求めて判定部１１８に出力する。
【００６５】
判定部１１８は、相関処理部１１７から入力される相関値に基づいて、端末から送信された応答信号がＡＣＫまたはＮＡＣＫのいずれかを示しているか、もしくはＤＴＸであるかを判定する。なわち、判定部１１８は、相関処理部１１７から入力される相関値の大きさがある閾値以下であれば、端末２００は当該リソースを用いてＡＣＫもＮＡＣＫも送信していない（ＤＴＸ）と判断し、相関値の大きさが閾値以上であれば、更に当該応答信号がＡＣＫまたはＮＡＣＫのいずれを示しているかを同期検波によって判定する。そして、判定部１１８は、端末毎のＡＣＫ、ＮＡＣＫまたはＤＴＸ情報を再送制御信号生成部１１９へ出力する。
【００６６】
再送制御信号生成部１１９は、受信信号に含まれる複数の応答信号に基づいて、各下り単位バンドで送信したデータを再送すべきか否かを判定し、判定結果に基づいて再送制御信号を生成する。
【００６７】
すなわち、再送制御信号生成部１１９は、短期変動単位バンドグループ内の束ＡＣＫ／ＮＡＣＫ信号が送信される上り単位バンドに対応する判定部１１８から、束ＡＣＫ／ＮＡＣＫ信号またはＤＴＸを受け取る。また、再送制御信号生成部１１９は、再送データに関する応答信号が送信される上り単位バンドに対応する判定部１１８から、再送データに関する応答信号またはＤＴＸを受け取る。
【００６８】
そして、再送制御信号生成部１１９は、束ＡＣＫ／ＮＡＣＫ信号またはＤＴＸに基づいて、前回の送信が初回送信であった送信データの再送を制御すると共に、再送データに関する応答信号またはＤＴＸに基づいて、前回の送信も再送であった送信データの再送を制御する。
【００６９】
具体的には、再送制御信号生成部１１９は、ＮＡＣＫを示す束ＡＣＫ／ＮＡＣＫ信号またはＤＴＸを受け取る場合には、再送命令を示す再送制御信号を生成して、データ送信制御部１０６へ出力すると共に、再送を示すＮＤＩ（つまり、ＮＤＩビット＝０）を制御部１０１へ出力する。また、再送制御信号生成部１１９は、ＡＣＫを示す束ＡＣＫ／ＮＡＣＫ信号を受け取る場合には、再送しないことを示す再送制御信号を生成して、データ送信制御部１０６へ出力すると共に、初回送信を示すＮＤＩ（つまり、ＮＤＩビット＝１）を制御部１０１へ出力する。
【００７０】
また、再送制御信号生成部１１９は、再送データに関する応答信号としてＮＡＣＫまたはＤＴＸを受け取る場合には、再送命令を示す再送制御信号を生成して、データ送信制御部１０６へ出力すると共に、再送を示すＮＤＩを制御部１０１へ出力する。また、再送制御信号生成部１１９は、再送データに関する応答信号としてＡＣＫを受け取る場合には、再送しないことを示す再送制御信号を生成して、データ送信制御部１０６へ出力する。
【００７１】
［端末の構成］
図５は、本発明の実施の形態１に係る端末２００の構成を示すブロック図である。図５において、端末２００は、無線受信部２０１と、ＣＰ除去部２０２と、ＦＦＴ部２０３と、抽出部２０４と、復調部２０５と、復号部２０６と、判定部２０７と、制御部２０８と、復調部２０９と、復号部２１０と、ＣＲＣ部２１１と、Bundling制御部２１２と、上り制御チャネル信号生成部２１３−１〜Ｎと、ＰＵＣＣＨ多重部２１４と、無線送信部２１５とを有する。
【００７２】
無線受信部２０１は、基地局１００から送信されたＯＦＤＭ信号をアンテナを介して受信し、受信ＯＦＤＭ信号に対しダウンコンバート、Ａ／Ｄ変換等の受信処理を行う。
【００７３】
ＣＰ除去部２０２は、受信処理後のＯＦＤＭ信号に付加されているＣＰを除去する。
【００７４】
ＦＦＴ部２０３は、受信ＯＦＤＭ信号をＦＦＴして周波数領域信号に変換し、得られた受信信号を抽出部２０４へ出力する。
【００７５】
抽出部２０４は、入力される符号化率情報に従って、ＦＦＴ部２０３から受け取る受信信号から下り制御チャネル信号（ＰＤＣＣＨ信号）を抽出する。すなわち、符号化率に応じて下り制御情報割当リソースを構成するＣＣＥの数が変わるので、抽出部２０４は、その符号化率に対応する個数のＣＣＥを抽出単位として、下り制御チャネル信号を抽出する。また、下り制御チャネル信号は、下り単位バンドごとに抽出される。抽出された下り制御チャネル信号は、復調部２０５へ出力される。
【００７６】
また、抽出部２０４は、判定部２０７から受け取る自装置宛の下りデータ割当リソースに関する情報に基づいて、受信信号から下り回線データを抽出し、復調部２０９へ出力する。
【００７７】
復調部２０５は、抽出部２０４から受け取る下り制御チャネル信号を復調し、得られた復調結果を復号部２０６に出力する。
【００７８】
復号部２０６は、入力される符号化率情報に従って、復調部２０５から受け取る復調結果を復号して、得られた復号結果を判定部２０７に出力する。
【００７９】
判定部２０７は、復号部２０６から受け取る復号結果に含まれる制御情報が自装置宛の制御情報であるか否かをブラインド判定する。この判定は、上記した抽出単位に対応する復号結果を単位として行われる。例えば、判定部２０７は、自装置の端末ＩＤでＣＲＣビットをデマスキングし、ＣＲＣ＝ＯＫ（誤り無し）となった制御情報を自装置宛の制御情報であると判定する。そして、判定部２０７は、自装置宛の制御情報に含まれる、自装置に対する下りデータ割当リソースに関する情報を抽出部２０４へ出力する。また、判定部２０７は、各下り単位バンドの制御情報から、自装置宛の下り回線データが初回送信データであるか再送データであるかを示すＮＤＩを抽出し、Bundling制御部２１２へ出力する。
【００８０】
また、判定部２０７は、自装置宛の制御情報がマッピングされていた下り単位バンド、及び、当該下り単位バンドにおいて自装置宛の制御情報がマッピングされていたＣＣＥを特定し、特定した下り単位バンド及びＣＣＥの識別情報を制御部２０８へ出力する。
【００８１】
制御部２０８は、判定部２０７から受け取る下り単位バンドの識別情報の示す下り単位バンドのペアとなる上り単位バンド、及び、ＣＣＥ識別情報の示すＣＣＥに対応するＰＵＣＣＨリソース(周波数・符号)を特定する。そして、制御部２０８は、各下り単位バンドのペアとなる上り単位バンドにおいてそれぞれ特定したＰＵＣＣＨリソースに対応するＺＡＣ系列及び循環シフト量を、各上り単位バンドに対応する上り制御チャネル信号生成部２１３−１〜Ｎの拡散部２２２へ出力し、周波数リソース情報をＩＦＦＴ部２２３に出力する。また、制御部２０８は、参照信号としてのＺＡＣ系列及び周波数リソース情報をＩＦＦＴ部２２６へ出力し、応答信号の２次拡散に用いるべきブロックワイズ拡散コード系列を拡散部２２５へ出力し、参照信号の２次拡散に用いるべき直交系列を拡散部２２８へ出力する。
【００８２】
復調部２０９は、抽出部２０４から受け取る下り回線データを復調し、復調後の下り回線データを復号部２１０へ出力する。
【００８３】
復号部２１０は、復調部２０９から受け取る下り回線データを復号し、復号後の下り回線データをＣＲＣ部２１１へ出力する。
【００８４】
ＣＲＣ部２１１は、復号部２１０から受け取る復号後の下り回線データを生成し、ＣＲＣを用いて下り単位バンドごとに誤り検出し、ＣＲＣ＝ＯＫ（誤り無し）の場合にはＡＣＫを、ＣＲＣ＝ＮＧ（誤り有り）の場合にはＮＡＣＫを、Bundling制御部２１２へ出力する。また、ＣＲＣ部２１１は、ＣＲＣ＝ＯＫ（誤り無し）の場合には、復号後の下り回線データを受信データとして出力する。
【００８５】
Bundling制御部２１２は、自装置に設定された単位バンドグループに含まれる各下り単位バンドで送信された下り回線データの受信状況、及び、判定部２０７から受け取るＮＤＩに基づいて、自装置が基地局１００へ送信すべき応答信号を生成する。
【００８６】
具体的には、Bundling制御部２１２は、自装置に設定された短期変動単位バンドグループの下り単位バンドで受信した下り回線データ（つまり、初回送信データ）の受信成否に基づいて、応答信号として束ＡＣＫ／ＮＡＣＫ信号を生成する。より詳細には、短期変動単位バンドグループに複数の下り回線データ（つまり、初回送信データ）が含まれる場合には、複数の下り回線データに対する応答信号の論理積を求めることにより束ＡＣＫ／ＮＡＣＫ信号を生成し、短期変動単位バンドグループに１つの下り回線データ（つまり、初回送信データ）のみが含まれる場合には、当該下り回線データに対する応答信号を束ＡＣＫ／ＮＡＣＫ信号とする。この束ＡＣＫ／ＮＡＣＫ信号を、Bundling制御部２１２は、短期変動単位バンドグループの１つの上り単位バンドに対応する上り制御チャネル信号生成部２１３へ出力する。
【００８７】
また、Bundling制御部２１２は、自装置に設定された単位バンドグループの構成単位バンドから短期変動単位バンドグループの構成単位バンドを除いた残りの単位バンドの内の下り単位バンドで受信した下り回線データ（つまり、再送データ）の受信成否に基づいて、応答信号を生成する。この応答信号を、Bundling制御部２１２は、再送データを受信した下り単位バンドとバンドペアを構成する上り単位バンドに対応する上り制御チャネル信号生成部２１３へ出力する。
【００８８】
上り制御チャネル信号生成部２１３は、Bundling制御部２１２から受け取る応答信号に基づいて、上り単位バンドで送信される上り制御チャネル信号を生成する。端末２００には、基地局１００及び端末２００が利用可能な上り単位バンド１〜Ｎのそれぞれに対応する上り制御チャネル信号生成部２１３−１〜Ｎが設けられている。
【００８９】
具体的には、上り制御チャネル信号生成部２１３は、変調部２２１と、拡散部２２２と、ＩＦＦＴ部２２３と、ＣＰ付加部２２４と、拡散部２２５と、ＩＦＦＴ部２２６と、ＣＰ付加部２２７と、拡散部２２８と、多重部２２９とを有する。
【００９０】
変調部２２１は、Bundling制御部２１２から入力される応答信号を変調して拡散部２２２へ出力する。
【００９１】
拡散部２２２は、制御部２０８によって設定されたＺＡＣ系列及び循環シフト量に基づいて応答信号を１次拡散し、１次拡散後の応答信号をＩＦＦＴ部２２３へ出力する。すなわち、拡散部２２２は、制御部２０８からの指示に従って、応答信号を１次拡散する。
【００９２】
ＩＦＦＴ部２２３は、１次拡散後の応答信号を制御部２０８から入力される周波数リソース情報に基づいて周波数軸上に配置し、ＩＦＦＴを行う。そして、ＩＦＦＴ部２２３は、ＩＦＦＴ後の応答信号をＣＰ付加部２２４へ出力する。
【００９３】
ＣＰ付加部２２４は、ＩＦＦＴ後の応答信号の後尾部分と同じ信号をＣＰとしてその応答信号の先頭に付加する。
【００９４】
拡散部２２５は、制御部２０８によって設定されたブロックワイズ拡散コード系列を用いてＣＰ付加後の応答信号を２次拡散し、２次拡散後の応答信号を多重部２２９へ出力する。つまり、拡散部２２５は、１次拡散後の応答信号を制御部２０８で選択されたリソースに対応するブロックワイズ拡散コード系列を用いて２次拡散する。
【００９５】
ＩＦＦＴ部２２６は、参照信号を制御部２０８から入力される周波数リソース情報に基づいて周波数軸上に配置し、ＩＦＦＴを行う。そして、ＩＦＦＴ部２２６は、ＩＦＦＴ後の参照信号をＣＰ付加部２２７へ出力する。
【００９６】
ＣＰ付加部２２７は、ＩＦＦＴ後の参照信号の後尾部分と同じ信号をＣＰとしてその参照信号の先頭に付加する。
【００９７】
拡散部２２８は、制御部２０８からの指示された直交系列でＣＰ付加後の参照信号を拡散し、拡散後の参照信号を多重部２２９へ出力する。
【００９８】
多重部２２９は、２次拡散後の応答信号と拡散後の参照信号とを１スロットに時間多重してＰＵＣＣＨ多重部２１４出力する。
【００９９】
ＰＵＣＣＨ多重部２１４は、上り制御チャネル信号生成部２１３−１〜Ｎから入力される、複数の上り制御チャネル信号を周波数軸上で重ね合わせ、得られた多重信号を無線送信部２１５に出力する。
【０１００】
無線送信部２１５は、ＰＵＣＣＨ多重部２１４から受け取る多重信号に対しＤ／Ａ変換、増幅およびアップコンバート等の送信処理を行い、アンテナから基地局１００へ送信する。
【０１０１】
［基地局１００及び端末２００の動作］
以上の構成を有する基地局１００及び端末２００の動作について説明する。図６は、基地局１００及び端末２００の動作説明に供する図である。
【０１０２】
〈基地局１００によるリソース割当制御、並びに、下り割当制御情報及び下り回線データの送信〉
基地局１００において、制御部１０１は、端末２００毎に設定されている単位バンドグループにおける基本単位バンドに関する情報を保持している。そして、制御部１０１は、リソース割当対象端末２００への初回送信データのために、リソース割当対象端末２００に対して、上記単位バンドグループに含まれる下り単位バンドと上り単位バンドとにより構成される短期変動単位バンドグループを設定する。この短期変動単位バンドグループは、下り単位バンドの数と上り単位バンドの数とが異なることがあり（具体的には、下り単位バンドの数よりも上り単位バンドの数の方が少ないことがあり）、上り下りで非対称となる場合もある。また、この短期変動単位バンドグループは、例えば、サブフレーム単位で、設定変更できる。また、短期変動単位バンドグループに含まれる上り単位バンドは、同じ短期変動単位バンドグループに属するいずれかの下り単位バンドと「単位バンドペア」を構成している。また、制御部１０１は、リソース割当対象端末２００への再送データのために、リソース割当対象端末２００に対して、上記単位バンドグループの中で単位バンドペア（上り単位バンドと下り単位バンドのペア）を設定する。この再送データを送信するための単位バンドペアは、サブフレームごとに設定変更できる。
【０１０３】
基地局１００は、下り回線データの送信宛先端末２００に対して、当該送信宛先端末２００に設定された短期変動単位バンドグループ及び単位バンドペアの下り単位バンド群において下り割当制御情報を送信する。
【０１０４】
図６を参照して具体的に説明する。図６には、或るサブフレームにおける、単位バンドグループの各下り単位バンドにおける下り制御チャネル、下りデータチャネル、及び各上り単位バンドにおける上り制御チャネルの状況が示されている。図６に示される状況では、下り回線データの送信宛先端末２００に対して、下り単位バンド１，２，３及び上り単位バンド１，２，３から構成される、対称の単位バンドグループが設定されている。また、図６に状況が示されているサブフレームでは、送信宛先端末２００に対して、下り単位バンド１，２及び上り単位バンド１から構成される短期変動単位バンドグループが設定され、下り単位バンド３及び上り単位バンド３から成るバンドペアが再送データの送信のために設定されている。そして、基地局１００は、送信宛先端末２００に設定された短期変動単位バンドグループ及び単位バンドペアの下り単位バンド群（つまり、下り単位バンド１，２，３）のそれぞれにおいて、下り割当制御情報を送信する。
【０１０５】
そして、基地局１００は、短期変動単位バンドグループを構成する下り単位バンド（つまり、下り単位バンド１，２）の下りデータチャネルで初回送信データをそれぞれ送信する。また、基地局１００は、上記単位バンドペアを構成する下り単位バンド（つまり、下り単位バンド３）の下りデータチャネルで再送データを送信する。
【０１０６】
〈端末２００による応答〉
端末２００において、ＣＲＣ部２１１は、受信に成功した下り割当制御情報に対応する下り回線データについて誤り検出を行い、誤り検出結果をBundling制御部２１２へ出力する。
【０１０７】
Bundling制御部２１２は、判定部２０７から受け取るＮＤＩに基づいて、端末２００が受信した複数の下り単位バンドにおける下り回線データが、それぞれ初回送信データか再送データかを判別する。
【０１０８】
そして、Bundling制御部２１２は、短期変動単位バンドグループの下り単位バンドで送信された初回送信データに関する誤り検出結果に基づいて、束ＡＣＫ／ＮＡＣＫ信号を生成する。すなわち、短期変動単位バンドグループは、応答信号がBundlingによって生成される「Bundling単位バンドグループ」である。具体的には、Bundling制御部２１２は、短期変動単位バンドグループに複数の初回送信データが含まれる場合、初回送信データに対する全ての誤り検出結果がＣＲＣ＝ＯＫであったときには、束ＡＣＫ／ＮＡＣＫ信号として１つだけ「ＡＣＫ」を生成し、短期変動単位バンドグループの上り単位バンドに対応する上り制御チャネル信号生成部２１３へ出力する。また、複数の初回送信データのうち、１つでもＣＲＣ＝ＮＧであった場合には、Bundling制御部２１２は、束ＡＣＫ／ＮＡＣＫ信号として１つだけ「ＮＡＣＫ」を生成し、短期変動単位バンドグループの上り単位バンドに対応する上り制御チャネル信号生成部２１３へ出力する。ただし、Bundling制御部２１２は、短期変動単位バンドグループに１つの初回送信データのみが含まれ、当該初回送信データに対する誤り検出結果がＣＲＣ＝ＯＫであった場合、束ＡＣＫ／ＮＡＣＫ信号として「ＡＣＫ」を生成し、短期変動単位バンドグループに１つの初回送信データのみが含まれ、当該初回送信データに対する誤り検出結果がＣＲＣ＝ＮＧであった場合、束ＡＣＫ／ＮＡＣＫ信号として「ＮＡＣＫ」を生成し、短期変動単位バンドグループの上り単位バンドに対応する上り制御チャネル信号生成部２１３へ出力する。
【０１０９】
また、Bundling制御部２１２は、上記単位バンドペアの下り単位バンドで送信された再送データに関する誤り検出結果に基づいて、応答信号を生成する。すなわち、再送データに対する応答信号は、初回送信データに対する応答信号とBundlingされずに独立して生成される。具体的には、Bundling制御部２１２は、再送データに対する誤り検出結果がＣＲＣ＝ＯＫであったときにはＡＣＫを生成し、上記単位バンドペアの上り単位バンドに対応する上り制御チャネル信号生成部２１３へ出力する。また、再送データに対する誤り検出結果がＣＲＣ＝ＮＧであった場合には、ＮＡＣＫを生成し、上記単位バンドペアの上り単位バンドに対応する上り制御チャネル信号生成部２１３へ出力する。
【０１１０】
制御部２０８は、判定部２０７から受け取る下り単位バンドの識別情報の示す下り単位バンドのペアとなる上り単位バンド、及び、ＣＣＥ識別情報の示すＣＣＥに対応するＰＵＣＣＨリソース(周波数・符号)を特定する。そして、制御部２０８は、各下り単位バンドのペアとなる上り単位バンドにおいてそれぞれ特定したＰＵＣＣＨリソースに対応するＺＡＣ系列及び循環シフト量を、各上り単位バンドに対応する上り制御チャネル信号生成部２１３−１〜Ｎの拡散部２２２へ出力し、周波数リソース情報をＩＦＦＴ部２２３に出力する。また、制御部２０８は、参照信号としてのＺＡＣ系列及び周波数リソース情報をＩＦＦＴ部２２６へ出力し、応答信号の２次拡散に用いるべきブロックワイズ拡散コード系列を拡散部２２５へ出力し、参照信号の２次拡散に用いるべき直交系列を拡散部２２８へ出力する。
【０１１１】
図６を参照して具体的に説明する。Bundling制御部２１２は、短期変動単位バンドグループの下り単位バンド（つまり、ここでは、下り単位バンド１，２）で送信された初回送信データに関する誤り検出結果に基づいて、束ＡＣＫ／ＮＡＣＫ信号を生成する。そして、Bundling制御部２１２は、生成した束ＡＣＫ／ＮＡＣＫ信号を、短期変動単位バンドグループの上り単位バンド（つまり、上り単位バンド１）に対応する上り制御チャネル信号生成部２１３へ出力する。そして、上り制御チャネル信号生成部２１３は、束ＡＣＫ／ＮＡＣＫ信号を含めた上り制御チャネル信号を、制御部２０８によって設定されたリソースで送信する。このリソースは、下り単位バンド１の下り制御チャネルのＣＣＥと対応付けられた、上り単位バンド１の上り制御チャネルの構成リソースである。
【０１１２】
ここで、下り単位バンド１，２を含む短期変動単位バンドグループの上り単位バンドとしては、下り単位バンド２と単位バンドペアを構成する上り単位バンド２を選択することもできる。この場合には、Bundling制御部２１２は、束ＡＣＫ／ＮＡＣＫ信号を上り単位バンド２に対応する上り制御チャネル信号生成部２１３へ出力することになる。ただし、図６では、短期変動単位バンドグループを構成する複数の下り単位バンド（つまり、下り単位バンド１，２）と単位バンドペアである上り単位バンド群（つまり、上り単位バンド１，２）のうち、例えば、最も周波数の低い上り単位バンドを選択基準として選択された上り単位バンド（つまり、上り単位バンド１）が短期変動単位バンドに含められている。
【０１１３】
〈基地局１００による再送制御〉
基地局１００において、再送制御信号生成部１１９は、受信信号に含まれる複数の応答信号に基づいて、各下り単位バンドで送信したデータを再送すべきか否かを判定し、判定結果に基づいて再送制御信号を生成する。すなわち、再送制御信号生成部１１９は、束ＡＣＫ／ＮＡＣＫ信号に基づいて、前回の送信が初回送信であった送信データの再送を制御すると共に、再送データに関する応答信号に基づいて、前回の送信も再送であった送信データの再送を制御する。
【０１１４】
具体的には、束ＡＣＫ／ＮＡＣＫ信号としてＡＣＫを受信した場合には、再送制御信号生成部１１９は、初回送信データが端末２００に問題なく到達したと判断し、この束ＡＣＫ／ＮＡＣＫ信号で受信成否が示されている全ての初回送信データ（つまり、同一のサブフレームで送信された初回送信データ）に対する再送を行わないように再送制御信号を生成する。これに対し、束ＡＣＫ／ＮＡＣＫ信号としてＮＡＣＫを受信した場合には、再送制御信号生成部１１９は、この束ＡＣＫ／ＮＡＣＫ信号で受信成否が示されている全ての初回送信データに対する再送制御を行うよう指示する再送制御信号を生成する。
【０１１５】
また、再送制御信号生成部１１９は、再送データに対する応答信号を個別に制御する。すなわち、再送制御信号生成部１１９は、端末２００からの応答信号がＡＣＫであったかＮＡＣＫであったかを確認し、再送データを更に次の機会に再度送信するかについての制御信号を生成する。
【０１１６】
以上に説明した制御により、パケットエラーレートの高い初回送信データに関する応答信号の送信制御と、パケットエラーレートの低い再送データに関する応答信号の送信制御とを、シグナリングオーバーヘッドを増加させることなく切り離すことができると共に、Bundlingによる再送効率の劣化を最小限に抑えつつ、上り制御チャネルのリソースの使用量を抑えることができる(Bundlingの効果)。すなわち、システムスループットを向上できる。
【０１１７】
以上のように本実施の形態によれば、基地局１００は、Ｎ個の下り単位バンドと上り単位バンドとからなる単位バンドグループを用いて端末２００と通信する。
【０１１８】
この基地局１００において、制御部１０１が、Ｎ個の下り単位バンドの内の第１及び第２の下り単位バンドを含むBundling単位バンドグループを設定し、マッピング部１０８が、下りデータの内の初回送信データを、Bundling単位バンドグループの第１及び第２の下り単位バンドにマッピングすると共に、再送データを、Ｎ個の下り単位バンドの内、Bundling単位バンドグループの下り単位バンドを除く第３の下り単位バンドにマッピングする。
【０１１９】
また、端末２００は、Ｎ個の下り単位バンドと上り単位バンドとからなる単位バンドグループを用いて基地局１００と通信し、且つ、下り単位バンドに配置される下りデータの誤り検出結果に基づく応答信号を下り単位バンドに対応する上り単位バンドの上り制御チャネルで送信する。
【０１２０】
この端末２００において、制御情報受信手段としての抽出部２０４、復調部２０５、及び復号部２０６が、複数の下り単位バンドの下り制御チャネルで送信された下り割当制御情報を受信し、下りデータ受信手段としての抽出部２０４、復調部２０９、及び復号部２１０が下り割当制御情報が示す下りデータチャネルで送信された下りデータを受信する。また、ＣＲＣ部２１１が、下りデータの受信誤りを検出し、判定部２０７が、各下り単位バンドで受信された下りデータが初回送信データであるか再送データであるかを判定し、Bundling制御部２１２が、ＣＲＣ部２１１で得られた誤り検出結果、下り割当制御情報の受信成否、及び判定部２０７における判定の結果に基づいて、基地局１００における下りデータの再送制御に用いられる応答信号の送信を制御する。
【０１２１】
そして、Bundling制御部２１２は、初回送信データに対する応答信号を、初回送信データが送信された下り単位バンドの下り制御チャネルと対応付けられて上り単位バンドに設けられた上り制御チャネルの構成リソースで送信し、再送データに対する応答信号を、初回送信データに対する応答信号と異なるリソースで送信する。実施の形態１では、Bundling制御部２１２は、特に、再送データに対する応答信号を、再送データが送信された下り単位バンドの下り制御チャネルと対応付けられて他の上り単位バンドに設けられた上り制御チャネルの構成リソースで送信する。
【０１２２】
こうすることで、シグナリングオーバーヘッドを増加させることなく、初回送信データと再送データの再送制御を切り離すことができるので、上り制御チャネルのオーバーヘッドの増加を防止しつつ、柔軟性の高い再送制御を実現することができる。
【０１２３】
なお、以上の説明では、短期変動単位バンドが、例えば、サブフレーム単位で設定される場合について説明した。しかしながら、本発明はこれに限定されるものではなく、上記短期変動単位バンドを、単位バンドグループと同様に、ある程度長い期間で固定にしても良い。すなわち、複数の上り単位バンドを含み、上り単位バンドの数よりも下り単位バンドの数の方が多い、非対称の単位バンドグループが用いられても良い。図６に示す例では、下り単位バンド１，２，３及び上り単位バンド１，３が、単位バンドグループを構成することになる。要は、初回送信データの再送制御と再送データの再送制御とを切り離せれば良い。
【０１２４】
またなお、以上の説明では、１次拡散にＺＡＣ系列を用い、２次拡散にブロックワイズ拡散コード系列を用いる場合について説明する。しかし、１次拡散には、ＺＡＣ系列以外の、互いに異なる循環シフト量により互いに分離可能な系列を用いても良い。例えば、ＧＣＬ（Generalized Chirp like）系列、ＣＡＺＡＣ（Constant Amplitude Zero Auto Correlation）系列、ＺＣ（Zadoff-Chu）系列、Ｍ系列や直交ゴールド符号系列等のＰＮ系列、または、コンピュータによってランダムに生成された時間軸上での自己相関特性が急峻な系列等を１次拡散に用いても良い。また、２次拡散には、互いに直交する系列、または、互いにほぼ直交すると見なせる系列であればいかなる系列をブロックワイズ拡散コード系列として用いてもよい。例えば、ウォルシュ系列またはフーリエ系列等をブロックワイズ拡散コード系列として２次拡散に用いることができる。以上の説明では、ＺＡＣ系列の循環シフト量とブロックワイズ拡散コード系列の系列番号とによって応答信号のリソース（例えば、ＰＵＣＣＨリソース）が定義されている。
【０１２５】
またなお、下り単位バンドで送信されるデータの種類（つまり、初回送信データ又は再送データ）と、応答信号の種別（つまり、Bundlingによる応答信号又はNon-bundlingによる応答信号）との関係を図７に示す。図７Ａでは下り単位バンドが３つの場合、図７Ｂでは下り単位バンドが２つの場合が示されている。図６では、特に、初回送信データが２つの下り単位バンドで送信され、且つ、再送データが初回送信データと異なる１つの下り単位バンドで送信される場合（図７Ａでは、４番目、６番目、７番目のケース）を例にとり説明を行った。しかし、実施の形態１は下り単位バンドが３つの場合に限定されるわけではなく、下り単位バンドが２つの場合にも適用できる。すなわち、図７Ｂに示すように、ＮＤＩビットが１であるもの同士（初回送信データ）に対する応答信号のみをBundlingし、ＮＤＩビットが異なるもの同士あるいはＮＤＩビットが0であるもの同士に対する応答信号はNon-Bundlingとする（別に送信する）ことで、同様の効果を維持することが出来る。この場合には、図６に示すケースと異なり、例えば、２つの下り単位バンドに初回送信データが配置され、応答信号として束ＡＣＫ／ＮＡＣＫ信号が送信されるサブフレームと、少なくとも１つの下り単位バンドに再送データが配置されるサブフレームとは、時間的にずれる（つまり、時分割される）。
【０１２６】
（実施の形態２）
実施の形態１では、端末２００独自の対称Ｃａｒｒｉｅｒ  ａｇｇｒｅｇａｔｉｏｎによる通信が行われた。また、実施の形態１では、Bundlingによる応答信号とNon-bundlingによる応答信号とが異なる上り単位バンドで送信された。これに対して、実施の形態２では、端末独自の非対称Ｃａｒｒｉｅｒ  ａｇｇｒｅｇａｔｉｏｎによる通信が行われる。また、Bundlingによる応答信号とNon-bundlingによる応答信号とが異なる上りリソースで送信される点では実施の形態１と共通するが、実施の形態２では、Bundlingによる応答信号及びNon-bundlingによる応答信号は同じ上り単位バンドの上り制御チャネルで送信される。ただし、Bundlingによる応答信号及びNon-bundlingによる応答信号は、同じ上り制御チャネルの異なるリソースに配置される。また、実施の形態２では、１つのリソース割当対象端末に対して初回送信データのためにリソースを割り当てた下り単位バンドの数を示す情報であるＤＡＩ（Downlink Assignment Indicator）を下り割当制御情報に含めて送信する。すなわち、ＤＡＩは、Bundling単位バンドに含まれる下り単位バンドの数を示す。
【０１２７】
［通信システムの概要］
後述する基地局３００及び端末４００を含む通信システムでは、上り単位バンド及び上り単位バンドと対応づけられた複数の下り単位バンドを使用した通信、つまり、端末４００独自の非対称Ｃａｒｒｉｅｒ  ａｇｇｒｅｇａｔｉｏｎによる通信が行われる。また、この通信システムには、端末４００と異なり、Ｃａｒｒｉｅｒ  ａｇｇｒｅｇａｔｉｏｎによる通信を行う能力が無く、１つの下り単位バンドとこれに対応づけられた１つの上り単位バンドによる通信（つまり、Ｃａｒｒｉｅｒ  ａｇｇｒｅｇａｔｉｏｎによらない通信）を行う端末も含まれている。
【０１２８】
従って、基地局３００は、非対称Ｃａｒｒｉｅｒ  ａｇｇｒｅｇａｔｉｏｎによる通信及びＣａｒｒｉｅｒ  ａｇｇｒｅｇａｔｉｏｎによらない通信の両方をサポートできるように構成されている。
【０１２９】
また、基地局３００と端末４００との間でも、基地局３００による端末４００に対するリソース割当によっては、Ｃａｒｒｉｅｒ  ａｇｇｒｅｇａｔｉｏｎによらない通信が行われることも可能である。
【０１３０】
以下では、次の事項を前提として説明する。すなわち、予め基地局３００と端末４００の間で、端末４００独自の非対称Ｃａｒｒｉｅｒ  ａｇｇｒｅｇａｔｉｏｎが構成されており、端末４００が用いるべき下り単位バンド及び上り単位バンドの情報が、基地局３００と端末４００との間で共有されている。
【０１３１】
図８は、本発明の実施の形態２に係る基地局３００の構成を示すブロック図である。図８において、基地局３００は、制御部３０１と、制御情報生成部３０２と、逆拡散部３１５と、系列制御部３１６と、再送制御信号生成部３１９とを有する。
【０１３２】
制御部３０１は、リソース割当対象端末４００に対して、制御情報を送信するための下りリソース（つまり、下り制御情報割当リソース）、及び、当該制御情報に含まれる、下り回線データを送信するための下りリソース（つまり、下りデータ割当リソース）を割り当てる（Assignする）。このリソース割当は、リソース割当対象端末４００に設定（Configure）される単位バンドグループに含まれる下り単位バンドにおいて行われる。また、下り制御情報割当リソースは、各下り単位バンドにおける下り制御チャネル（ＰＤＣＣＨ）に対応するリソース内で選択される。また、下りデータ割当リソースは、各下り単位バンドにおける下りデータチャネル（ＰＤＳＣＨ）に対応するリソース内で選択される。また、リソース割当対象端末４００が複数有る場合には、制御部３０１は、リソース割当対象端末２００のそれぞれに異なるリソースを割り当てる。
【０１３３】
制御部３０１は、リソース割当対象端末４００への初回送信データのために、リソース割当対象端末４００に対して、上記単位バンドグループに含まれる下り単位バンドと上り単位バンドとにより構成されるBundling単位バンドグループを設定する。このBundling単位バンドグループは、下り単位バンドの数と上り単位バンドの数とが異なることがあり（具体的には、下り単位バンドの数よりも上り単位バンドの数の方が少ないことがあり）、上り下りで非対称となる場合がある。また、このBundling単位バンドグループに含まれる下り単位バンドは、例えば、サブフレーム単位で、設定変更できる。また、Bundling単位バンドグループに含まれる上り単位バンドは、同じBundling単位バンドグループに属するいずれかの下り単位バンドと「単位バンドペア」を構成している。また、制御部３０１は、リソース割当対象端末４００への再送データのために、リソース割当対象端末４００に対して、上記単位バンドグループの中でBundling単位バンドグループの下り単位バンドを除く下り単位バンドを設定する。
【０１３４】
また、制御部３０１は、リソース割当対象端末４００に対して制御情報を送信する際に用いる符号化率を決定する。この符号化率に応じて制御情報のデータ量が異なるので、このデータ量の制御情報をマッピング可能な数のＣＣＥを持つ下り制御情報割当リソースが、制御部３０１によって割り当てられる。
【０１３５】
また、制御部３０１は、下りデータ割当リソースに関する情報、ＮＤＩ、Bundling単位バンドグループ内の下り単位バンド数（すなわち、下り回線データが割り当てられた下り単位バンド数）を通知するＤＡＩ（Downlink Assignment Indicator）、及び、端末がNon-bundlingによる応答信号の送信に用いるべきＰＵＣＣＨリソースを示すＰＵＣＣＨリソース情報を、制御情報生成部３０２へ出力する。具体的には、制御部３０１は、各下り単位バンドの下り回線データに対するＮＤＩが１の場合（つまり、当該データが初回送信データの場合）には、ＮＤＩとＤＡＩとを共に制御情報生成部３０２へ出力する。一方、各下り単位バンドの下り回線データに対するＮＤＩが０の場合（つまり、当該データが再送データの場合）には、制御部３０１は、ＮＤＩとＰＵＣＣＨリソース情報とを共に制御情報生成部３０２へ出力する。ただし、下りデータ割当リソースに関する情報は、いずれの場合も出力される。
【０１３６】
ここで、ＰＵＣＣＨリソース情報及びＤＡＩには、制御情報フォーマットにおけるビット数も位置も同じ領域が割り当てられる。すなわち、初回送信データが配置される下り単位バンドの制御情報と再送データが配置される下り単位バンドの制御情報には、共通のフォーマットを用いることができる。従って、受信側の端末４００におけるブラインド判定回数を削減できる。なお、受信側の端末４００は、上記領域にマッピングされている情報がＰＵＣＣＨリソース情報であるかＤＡＩであるかは、制御情報に一緒に含められているＮＤＩの値によって判別できる。
【０１３７】
また、制御部３０１は、符号化部１０３に対して、符号化率に関する情報を出力する。また、制御部３０１は送信データ（つまり、下り回線データ）の符号化率を決定し、符号化部１０５に出力する。
【０１３８】
また、制御部３０１は、下りデータ割当リソース及び下り制御情報割当リソースに関する情報をマッピング部１０８に対して出力する。ただし、制御部３０１は下りデータと当該下りデータに対する下り制御情報を同一の下り単位バンドにマッピングするよう制御する。
【０１３９】
また、制御部３０１は、ＤＡＩを再送制御信号生成部３１９へ出力し、ＰＵＣＣＨリソース情報を逆拡散部３１５及び系列制御部３１６へ出力する。
【０１４０】
制御情報生成部３０２は、下りデータ割当リソースに関する情報、ＮＤＩ、及び、ＤＡＩ又はＰＵＣＣＨリソース情報を含む制御情報を生成して符号化部１０３へ出力する。この制御情報は下り単位バンドごとに生成される。また、実施の形態１と同様に、宛先端末の端末ＩＤでマスキングされたＣＲＣビットが制御情報に含まれる。ただし、ＤＡＩは、リソース割当対象端末２００に設定されたBundling単位バンドグループに含まれる下り単位バンド（つまり、初回送信データが配置される下り単位バンド）で送信される制御情報にのみ含められる。また、ＰＵＣＣＨリソース情報は、再送データが配置される下り単位バンドで送信される制御情報にのみ含められる。
【０１４１】
逆拡散部３１５は、端末４００において各下り単位バンドで２次拡散に用いられたブロックワイズ拡散コード系列によって応答信号を逆拡散し、逆拡散後の応答信号を相関処理部１１７に出力する。
【０１４２】
また、逆拡散部３１５は、端末４００において参照信号の拡散に用いられた直交系列で参照信号を逆拡散し、逆拡散後の参照信号を相関処理部１１７に出力する。
【０１４３】
系列制御部３１６は、端末４００から送信される複数の応答信号の拡散に共通で用いられているＺＡＣ系列を生成する。
【０１４４】
また、系列制御部３１６は、端末４００が応答信号に用いた符号リソース（例えば、循環シフト量）に基づいて、端末４００からの信号成分が含まれる相関窓を特定する。具体的には、初回送信データに対しての応答信号である束ＡＣＫ／ＮＡＣＫ信号については、系列制御部３１６は、初回送信データを配置した下り制御チャネルのＣＣＥに対応付けられた上り制御チャネルの構成リソースに基づいて、相関窓を特定する。一方、再送データに対しての応答信号については、系列制御部３１６は、再送データを配置した下り制御チャネルのＣＣＥに対応付けられた上り制御チャネルの構成リソースおよびＰＵＣＣＨリソース情報に基づいて、相関窓を特定する。
【０１４５】
そして、系列制御部３１６は、特定した相関窓を示す情報および生成したＺＡＣ系列を相関処理部１１７に出力する。これにより、同じ上り単位バンドの上り制御チャネルで送信されてくるBundlingによる応答信号及びNon-bundlingによる応答信号をそれぞれ抽出することができる。
【０１４６】
再送制御信号生成部３１９は、受信信号に含まれる複数の応答信号に基づいて、各下り単位バンドで送信したデータを再送すべきか否かを判定し、判定結果に基づいて再送制御信号を生成する。
【０１４７】
すなわち、再送制御信号生成部３１９は、実施の形態１と同様に、Bundling単位バンドグループ内の束ＡＣＫ／ＮＡＣＫ信号が送信される上り単位バンドに対応する判定部１１８から、束ＡＣＫ／ＮＡＣＫ信号またはＤＴＸを受け取る。ただし、実施の形態１と異なり、実施の形態２では、Bundlingによる応答信号及びNon-bundlingによる応答信号は同じ上り単位バンドの上り制御チャネルで送信されるので、再送制御信号生成部３１９は、再送データに関する応答信号またはＤＴＸも、束ＡＣＫ／ＮＡＣＫ信号が送信される上り単位バンドに対応する判定部１１８から受け取る。
【０１４８】
そして、再送制御信号生成部３１９は、束ＡＣＫ／ＮＡＣＫ信号またはＤＴＸに基づいて、前回の送信が初回送信であった送信データの再送を制御すると共に、再送データに関する応答信号またはＤＴＸに基づいて、前回の送信も再送であった送信データの再送を制御する。具体的には、再送制御信号生成部３１９は、実施の形態１と同様に、ＮＡＣＫを示す束ＡＣＫ／ＮＡＣＫ信号またはＤＴＸを受け取る場合には、再送命令を示す再送制御信号を生成して、データ送信制御部１０６へ出力すると共に、再送を示すＮＤＩ（つまり、ＮＤＩビット＝０）を制御部３０１へ出力する。また、再送制御信号生成部３１９は、ＡＣＫを示す束ＡＣＫ／ＮＡＣＫ信号を受け取る場合には、再送しないことを示す再送制御信号を生成して、データ送信制御部１０６へ出力すると共に、初回送信を示すＮＤＩ（つまり、ＮＤＩビット＝１）を制御部３０１へ出力する。
【０１４９】
［端末の構成］
図９は、本発明の実施の形態２に係る端末４００の構成を示すブロック図である。図９において、端末４００は、判定部４０７と、制御部４０８と、Bundling制御部４１２とを有する。
【０１５０】
判定部４０７は、復号部２０６から受け取る復号結果に含まれる制御情報が自装置宛の制御情報であるか否かをブラインド判定する。上記したように制御情報フォーマットが下り単位バンド同士で共通であるので、判定部４０７は、初回送信データがマッピングされる下り単位バンドと再送データがマッピングされる下り単位バンドとの別を意識することなくブラインド判定できる。そして、判定部４０７は、自装置宛の制御情報に含まれる、自装置に対する下りデータ割当リソースに関する情報を抽出部２０４へ出力する。
【０１５１】
また、判定部４０７は、各下り単位バンドの制御情報から、自装置宛の下り回線データが初回送信データであるか再送データであるかを示すＮＤＩを抽出し、Bundling制御部４１２へ出力する。そして、抽出したＮＤＩの値が１である（つまり、当該ＮＤＩの抽出元の制御情報が送信された下り単位バンドでは下り回線データとして初回送信データが送信される）場合には、判定部４０７は、制御情報からＤＡＩを抽出し、Bundling制御部４１２へ出力する。一方、抽出したＮＤＩの値が０である（つまり、当該ＮＤＩの抽出元の制御情報が送信された下り単位バンドでは下り回線データとして再送データが送信される）場合には、判定部４０７は、制御情報からＰＵＣＣＨリソース情報を抽出し、制御部４０８へ出力する。なお、上記したように制御情報フォーマットの同じ領域にマッピングされている情報がＰＵＣＣＨリソース情報であるかＤＡＩであるかは、制御情報に一緒に含められているＮＤＩの値によって判別できる。
【０１５２】
また、判定部４０７は、自装置宛の制御情報がマッピングされていた下り単位バンド、及び、当該下り単位バンドにおいて自装置宛の制御情報がマッピングされていたＣＣＥを特定し、特定した下り単位バンド及びＣＣＥの識別情報を制御部４０８へ出力する。
【０１５３】
制御部４０８は、判定部４０７から受け取る下り単位バンドの識別情報の示す下り単位バンド、ＣＣＥ識別情報、及びＰＵＣＣＨリソース情報から、応答信号を送信すべきＰＵＣＣＨリソース(周波数・符号)を特定する。そして、制御部４０８は、各下り単位バンドについて特定したＰＵＣＣＨリソースに対応するＺＡＣ系列及び循環シフト量を、各下り単位バンドに対応する上り制御チャネル信号生成部２１３−１〜Ｎの拡散部２２２へ出力し、周波数リソース情報をＩＦＦＴ部２２３に出力する。また、制御部４０８は、参照信号としてのＺＡＣ系列及び周波数リソース情報をＩＦＦＴ部２２６へ出力し、応答信号の２次拡散に用いるべきブロックワイズ拡散コード系列を拡散部２２５へ出力し、参照信号の２次拡散に用いるべき直交系列を拡散部２２８へ出力する。
【０１５４】
Bundling制御部４１２は、自装置に設定された単位バンドグループに含まれる各下り単位バンドで送信された下り回線データの受信状況、並びに、判定部４０７から受け取るＮＤＩ及びＤＡＩに基づいて、自装置が基地局３００へ送信すべき応答信号を生成する。
【０１５５】
具体的には、Bundling制御部４１２は、自装置に設定されたBundling単位バンドグループの下り単位バンドで受信した下り回線データ（つまり、初回送信データ）の受信成否に基づいて、応答信号として束ＡＣＫ／ＮＡＣＫ信号を生成する。この束ＡＣＫ／ＮＡＣＫ信号を、Bundling制御部４１２は、Bundling単位バンドグループの１つの上り単位バンドに対応する上り制御チャネル信号生成部２１３へ出力する。より詳細には、Bundling単位バンドグループに複数の下り回線データ（つまり、初回送信データ）が含まれる場合には、複数の下り回線データに対する応答信号の論理積を求めて束ＡＣＫ／ＮＡＣＫ信号を生成し、Bundling単位バンドグループに１つの下り回線データ（つまり、初回送信データ）のみが含まれる場合には、当該下り回線データに対する応答信号を束ＡＣＫ／ＮＡＣＫ信号とする。
【０１５６】
また、Bundling制御部４１２は、自装置に設定された単位バンドグループの構成単位バンドからBundling単位バンドグループの構成単位バンドを除いた残りの下り単位バンドで受信した下り回線データ（つまり、再送データ）の受信成否に基づいて、応答信号を生成する。実施の形態２では、この応答信号を、Bundling制御部４１２は、束ＡＣＫ／ＮＡＣＫ信号と同じ上り制御チャネル信号生成部２１３へ出力する。上り制御チャネル信号生成部２１３では、束ＡＣＫ／ＮＡＣＫ信号と再送データ向けの応答信号のそれぞれが用いるべき符号リソースに基づいて、それぞれ別々に符号拡散される。また、上り制御チャネル信号生成部２１３では、束ＡＣＫ／ＮＡＣＫ信号と再送データ向けの応答信号のそれぞれが用いるべき周波数リソースに基づいて、それぞれ別々の周波数成分に対応付けられてＩＦＦＴが実行される。
【０１５７】
［基地局３００及び端末４００の動作］
以上の構成を有する基地局３００及び端末４００の動作について説明する。図１０は、基地局３００及び端末４００の動作説明に供する図である。
【０１５８】
〈基地局３００によるリソース割当制御、並びに、下り割当制御情報及び下り回線データの送信〉
基地局３００において、制御部３０１は、リソース割当対象端末４００への初回送信データのために、リソース割当対象端末４００に対して、単位バンドグループに含まれる下り単位バンドと上り単位バンドとにより構成されるBundling単位バンドグループを設定する。このBundling単位バンドグループは、下り単位バンドの数と上り単位バンドの数とが異なることがあり（具体的には、下り単位バンドの数よりも上り単位バンドの数の方が少ないことがあり）、上り下りで非対称となる場合がある。また、Bundling単位バンドグループに含まれる上り単位バンドは、同じBundling単位バンドグループに属するいずれかの下り単位バンドと「単位バンドペア」を構成している。また、制御部３０１は、リソース割当対象端末４００への再送データのために、リソース割当対象端末４００に対して、上記単位バンドグループの中でBundling単位バンドグループの下り単位バンドを除く下り単位バンドを設定する。
【０１５９】
また、制御部３０１は、下りデータ割当リソースに関する情報、ＮＤＩ、Bundling単位バンドグループ内の下り単位バンド数（すなわち、下り回線データが割り当てられた下り単位バンド数）を通知するＤＡＩ（Downlink Assignment Indicator）、及び、端末がNon-bundlingによる応答信号の送信に用いるべきＰＵＣＣＨリソースを示すＰＵＣＣＨリソース情報を、制御情報生成部３０２へ出力する。具体的には、制御部３０１は、各下り単位バンドの下り回線データに対するＮＤＩが１の場合（つまり、当該データが初回送信データの場合）には、ＮＤＩとＤＡＩとを共に制御情報生成部３０２へ出力する。一方、各下り単位バンドの下り回線データに対するＮＤＩが０の場合（つまり、当該データが再送データの場合）には、制御部３０１は、ＮＤＩとＰＵＣＣＨリソース情報とを共に制御情報生成部３０２へ出力する。ただし、下りデータ割当リソースに関する情報は、いずれの場合も出力される。
【０１６０】
基地局３００は、下り回線データの送信宛先端末４００に対して、当該送信宛先端末４００に設定されたBundling単位バンドグループの下り単位バンド群（つまり、初回送信データをマッピングする下り単位バンド群）及び当該下り単位バンド群以外の下り単位バンド（つまり、再送データをマッピングする下り単位バンド）において下り割当制御情報を送信する。
【０１６１】
図１０を参照して具体的に説明する。図１０では、下り回線データの送信宛先端末４００に対して、下り単位バンド１，２，３及び上り単位バンド１から構成される、非対称の単位バンドグループが設定されている。また、図１０では、送信宛先端末４００に対して、下り単位バンド１，２及び上り単位バンド１から構成されるBundling単位バンドグループが設定され、下り単位バンド３が再送データの送信のために設定されている。そして、基地局３００は、送信宛先端末４００に設定されたBundling単位バンドグループの下り単位バンド群（つまり、下り単位バンド１，２）及び再送データ送信のために設定される下り単位バンド（つまり、下り単位バンド３）のそれぞれにおいて、下り割当制御情報を送信する。
【０１６２】
そして、基地局３００は、Bundling単位バンドグループを構成する下り単位バンド（つまり、下り単位バンド１，２）の下りデータチャネルで初回送信データをそれぞれ送信する。また、基地局３００は、下り単位バンド３の下りデータチャネルで再送データを送信する。
【０１６３】
〈端末４００による応答〉
端末４００において、ＣＲＣ部２１１は、受信に成功した下り割当制御情報に対応する下り回線データについて誤り検出を行い、誤り検出結果をBundling制御部４１２へ出力する。
【０１６４】
Bundling制御部４１２は、判定部４０７から受け取るＤＡＩ及びＣＲＣ部２１１から受け取る誤り検出結果の数に基づいて、受信に失敗した下り制御情報が存在するか否かを判別する。
【０１６５】
また、Bundling制御部４１２は、判定部４０７から受け取るＮＤＩに基づいて、端末４００が受信した複数の下り単位バンドにおける下り回線データが、それぞれ初回送信データか再送データかを判別する。
【０１６６】
そして、Bundling制御部４１２は、Bundling単位バンドグループの下り単位バンドで送信された下り制御信号の受信成否及び初回送信データに関する誤り検出結果に基づいて、束ＡＣＫ／ＮＡＣＫ信号を生成する。具体的には、Bundling制御部４１２は、ＣＲＣ部２１１から受け取る、初回送信データに対する誤り検出結果の全てがＣＲＣ＝ＯＫであり、且つ、受信に失敗した下り制御情報が存在しないと判別されたときには、束ＡＣＫ／ＮＡＣＫ信号として１つだけ「ＡＣＫ」を生成し、Bundling単位バンドグループの上り単位バンドに対応する上り制御チャネル信号生成部２１３へ出力する。また、複数の初回送信データのうち、１つでもＣＲＣ＝ＮＧであった場合、又は、受信に失敗した下り制御情報が存在すると判別された場合には、Bundling制御部４１２は、束ＡＣＫ／ＮＡＣＫ信号として１つだけ「ＮＡＣＫ」を生成し、Bundling単位バンドグループの上り単位バンドに対応する上り制御チャネル信号生成部２１３へ出力する。ただし、Bundling制御部４１２は、Bundling単位バンドグループに１つの初回送信データのみが含まれ、当該初回送信データに対する誤り検出結果がＣＲＣ＝ＯＫであった場合、束ＡＣＫ／ＮＡＣＫ信号として「ＡＣＫ」を生成し、Bundling単位バンドグループに１つの初回送信データのみが含まれ、当該初回送信データに対する誤り検出結果がＣＲＣ＝ＮＧであった場合、束ＡＣＫ／ＮＡＣＫ信号として「ＮＡＣＫ」を生成し、Bundling単位バンドグループの上り単位バンドに対応する上り制御チャネル信号生成部２１３へ出力する。
【０１６７】
また、Bundling制御部４１２は、再送データに関する誤り検出結果に基づいて、応答信号を生成する。すなわち、再送データに対する応答信号は、実施の形態１と同様に、初回送信データに対する応答信号とBundlingされずに独立して生成される。ただし、実施の形態２では、再送データに対する応答信号は、束ＡＣＫ／ＮＡＣＫ信号と同じ上り制御チャネル信号生成部２１３へ出力される。
【０１６８】
制御部４０８は、判定部４０７から受け取る下り単位バンドの識別情報の示す下り単位バンド、ＣＣＥ識別情報、及びＰＵＣＣＨリソース情報から、応答信号を送信すべきＰＵＣＣＨリソース(周波数・符号)を特定する。そして、制御部４０８は、各下り単位バンドについて特定したＰＵＣＣＨリソースに対応するＺＡＣ系列及び循環シフト量を、各下り単位バンドに対応する上り制御チャネル信号生成部２１３−１〜Ｎの拡散部２２２へ出力し、周波数リソース情報をＩＦＦＴ部２２３に出力する。また、制御部４０８は、参照信号としてのＺＡＣ系列及び周波数リソース情報をＩＦＦＴ部２２６へ出力し、応答信号の２次拡散に用いるべきブロックワイズ拡散コード系列を拡散部２２５へ出力し、参照信号の２次拡散に用いるべき直交系列を拡散部２２８へ出力する。
【０１６９】
こうしてBundlingによる応答信号（つまり、束ＡＣＫ／ＮＡＣＫ信号）及びNon-bundlingによる応答信号（つまり、再送データに対する応答信号）は、同じ上り制御チャネルの異なるリソースに配置される。
【０１７０】
図１０を参照して具体的に説明する。Bundling制御部４１２は、Bundling単位バンドグループの下り単位バンド（つまり、ここでは、下り単位バンド１，２）で送信された初回送信データに関する誤り検出結果に基づいて、束ＡＣＫ／ＮＡＣＫ信号を生成する。そして、Bundling制御部４１２は、生成した束ＡＣＫ／ＮＡＣＫ信号を、Bundling単位バンドグループの上り単位バンド（つまり、上り単位バンド１）に対応する上り制御チャネル信号生成部２１３へ出力する。そして、上り制御チャネル信号生成部２１３は、束ＡＣＫ／ＮＡＣＫ信号を含めた上り制御チャネル信号を、制御部４０８によって設定されたリソースで送信する。このリソースは、下り単位バンド１の下り制御チャネルのＣＣＥと対応付けられた、上り単位バンド１の上り制御チャネルの構成リソースである。
【０１７１】
なお、図１０では、単位バンドグループ内に１つの上り単位バンド１のみを含んでいるが、単位バンドグループ内に複数の上り単位バンド（例えば、上り単位バンド１，２）を含む場合（つまり、単位バンドグループが下り単位バンド１，２，３及び上り単位バンド１，２から構成される場合）には、Bundling単位バンドグループの上り単位バンドとして、下り単位バンド２と単位バンドペアを構成する上り単位バンド２を選択することもできる。この場合には、Bundling制御部４１２は、束ＡＣＫ／ＮＡＣＫ信号を上り単位バンド２に対応する上り制御チャネル信号生成部２１３へ出力することになる。ただし、図１０では、Bundling単位バンドグループを構成する複数の下り単位バンド（つまり、下り単位バンド１，２）と単位バンドペアである上り単位バンド群（つまり、上り単位バンド１，２）のうち、例えば、最も周波数の低い上り単位バンドを選択基準として選択された上り単位バンド（つまり、上り単位バンド１）がBundling単位バンドグループに含められている。
【０１７２】
さらに、Bundling制御部４１２は、下り単位バンド３で送信された再送データに関する誤り検出結果に基づいて、応答信号を生成する。そして、Bundling制御部４１２は、再送データに対する応答信号を、束ＡＣＫ／ＮＡＣＫ信号と同じ上り制御チャネル信号生成部２１３へ出力する。そして、上り制御チャネル信号生成部２１３は、再送データに対する応答信号を含めた上り制御チャネル信号を、制御部４０８によって設定されたリソースで送信する。このリソースは、下り単位バンド３の下り制御チャネルのＣＣＥ及びＰＵＣＣＨリソース情報に対応づけられた、上り単位バンド１の上り制御チャネルの構成リソースである。この場合には、制御部４０８は、下り単位バンド３の下り制御チャネルのＣＣＥと対応付けられた上り単位バンド１のリソースＩｎｄｅｘに対してＰＵＣＣＨリソース情報の示す数を加算して得られるリソースＩｎｄｅｘを持つリソースに応答信号を配置する。また、ＰＵＣＣＨリソース情報を、例えば、上り制御チャネルにおいて、束ＡＣＫ／ＮＡＣＫ信号が配置されるリソースのＩｎｄｅｘと、再送データに対する応答信号が配置されるリソースのＩｎｄｅｘとの差分とすることもできる。
【０１７３】
〈基地局３００による再送制御〉
基地局３００において、再送制御信号生成部３１９は、受信信号に含まれる複数の応答信号に基づいて、各下り単位バンドで送信したデータを再送すべきか否かを判定し、判定結果に基づいて再送制御信号を生成する。すなわち、再送制御信号生成部３１９は、束ＡＣＫ／ＮＡＣＫ信号に基づいて、前回の送信が初回送信であった送信データの再送を制御すると共に、再送データに関する応答信号に基づいて、前回の送信も再送であった送信データの再送を制御する。
【０１７４】
以上のように本実施の形態によれば、基地局３００において、各下り単位バンドの下り制御チャネルで送信される下り割当制御情報を生成する制御情報生成部３０２が、Bundling単位バンドグループの下り単位バンドの下り割当制御情報には、初回送信データであることを示すデータ種別情報及び初回送信データが配置された下り単位バンドの数を示す配置情報を含める一方、Bundling単位バンドグループの下り単位バンドを除く下り単位バンドには、再送データであることを示すデータ種別情報及び再送データに対応する応答信号が配置される上り制御チャネルのリソースを示すリソース情報（つまり、ＰＵＣＣＨリソース情報）を含める。
【０１７５】
こうすることで、下り割当制御情報の情報サイズ（Payloadサイズ）を下り単位バンドの違いに依らず同一にすることができるので、下り割当制御情報のフォーマットを共通化することができる。この結果、受信側の端末４００におけるブラインド判定回数を削減できる。
【０１７６】
また、再送データに対する下り割当制御情報の中でＰＵＣＣＨリソース情報を通知することで、Bundlingを行わない再送データに対する応答信号が用いるべきリソースに柔軟性を持たせられるので、スケジューラーの自由度を向上させることができる。
【０１７７】
また、端末４００において、Bundling制御部４１２が、再送データに対する応答信号を、初回送信データに対応する応答信号が送信される上り制御チャネル内の他の構成リソースで送信する。この構成リソースを特定するための情報が、ＰＵＣＣＨリソース情報に含まれている。
【０１７８】
なお、以上の説明では、非対称の単位バンドグループを前提として説明したが、これに限定されるものではなく、対称の単位バンドグループでも本実施の形態の技術は適用できる。この場合、Bundling単位バンドグループに含まれる上り単位バンドが、サブフレーム単位で変更されても良い。
【０１７９】
（実施の形態３）
実施の形態３は、特に、端末の応答信号送信制御に関して実施の形態２と異なる。以下では、実施の形態２と異なる点を中心に説明する。また、以下では、次の事項を前提として説明する。すなわち、予め基地局５００と端末６００の間で、端末６００独自の非対称Ｃａｒｒｉｅｒ  ａｇｇｒｅｇａｔｉｏｎが構成されており、端末６００が用いるべき下り単位バンド及び上り単位バンドの情報が、基地局５００と端末６００との間で共有されている。また、基地局５００によって任意の端末６００に対して設定（Configure）され、予め端末６００に通知（Signaling）された単位バンドグループを構成する上り単位バンドに関する情報を報知するＢＣＨが送信される下り単位バンドが、当該端末６００に対する「基本単位バンド」である。そして、この基本単位バンドに関する情報が、「基本単位バンド情報」である。従って、任意の端末６００は、各下り単位バンドにおけるＢＣＨ情報を読むことによって、この基本単位バンド情報を認識できる。
【０１８０】
［基地局の構成］
図１１は、本発明の実施の形態３に係る基地局５００の構成を示すブロック図である。図１１において、基地局５００は、制御部５０１と、マッピング部５０８と、判定部５１８と、再送制御信号生成部５１９と、報知信号生成部５２０とを有する。
【０１８１】
制御部５０１は、基本的には、実施の形態２の制御部３０１と同じ機能を有している。制御部５０１は、さらに、各下り単位バンドで送信される報知チャネル信号（ＢＣＨ）を生成させる制御信号を報知信号生成部５２０へ出力する。また、制御部５０１は、各端末６００の基本単位バンド情報を再送制御信号生成部５１９へ出力する。
【０１８２】
マッピング部５０８は、基本的には、マッピング部１０８と同じ機能を有している。マッピング部５０８は、さらに、予め決められた時間・周波数リソースに、報知情報をマッピングし、ＩＦＦＴ部１０９へ出力する。
【０１８３】
報知信号生成部５２０は、制御部５０１から受け取る制御信号に従って、下り単位バンドごとに報知信号（ＢＣＨ）を生成し、マッピング部５０８へ出力する。この報知信号には、当該報知信号が送信される下り単位バンドと単位バンドペアを形成する上り単位バンドの情報等が含まれる。
【０１８４】
判定部５１８は、相関処理部１１７から入力される相関値に基づいて、端末から送信された応答信号がＡＣＫまたはＮＡＣＫのいずれかを示しているか、もしくはＤＴＸであるかを判定する。すなわち、判定部５１８は、相関処理部１１７から入力される相関値の大きさがある閾値以下であれば、端末６００が当該リソースを用いてＡＣＫもＮＡＣＫも送信していない（ＤＴＸ）と判断し、相関値の大きさが閾値以上であれば、更に当該応答信号がＡＣＫまたはＮＡＣＫのいずれを示しているかを同期検波によって判定する。そして、判定部５１８は、端末毎のＡＣＫ、ＮＡＣＫまたはＤＴＸ情報を再送制御信号生成部５１９へ出力する。
【０１８５】
再送制御信号生成部５１９は、受信信号に含まれる複数の応答信号に基づいて、各下り単位バンドで送信したデータを再送すべきか否かを判定し、判定結果に基づいて再送制御信号を生成する。
【０１８６】
すなわち、再送制御信号生成部５１９は、Bundling単位バンドグループ内の束ＡＣＫ／ＮＡＣＫ信号が送信される上り単位バンドに対応する判定部５１８から、束ＡＣＫ／ＮＡＣＫ信号またはＤＴＸを受け取る。また、Bundlingによる応答信号及びNon-bundlingによる応答信号は同じ上り単位バンドの上り制御チャネルで送信されるので、再送制御信号生成部５１９は、再送データに関する応答信号またはＤＴＸも、束ＡＣＫ／ＮＡＣＫ信号が送信される上り単位バンドに対応する判定部５１８から受け取る。
【０１８７】
そして、再送制御信号生成部５１９は、束ＡＣＫ／ＮＡＣＫ信号またはＤＴＸに基づいて、前回の送信が初回送信であった送信データの再送を制御すると共に、再送データに関する応答信号またはＤＴＸに基づいて、前回の送信も再送であった送信データの再送を制御する。
【０１８８】
［端末の構成］
図１２は、本発明の実施の形態３に係る端末６００の構成を示すブロック図である。図１２において、端末６００は、抽出部６０４と、制御部６０８と、Bundling制御部６１２と、報知信号受信部６３０とを有する。
【０１８９】
抽出部６０４は、基本的には、上記した抽出部２０４と同じ機能を有する。抽出部６０４は、さらに、ＦＦＴ部２０３から受け取る受信信号から報知信号を抽出して報知信号受信部６３０へ出力する。報知信号がマッピングされるリソースは予め決まっているので、抽出部６０４は、そのリソースにマッピングされている情報を抽出する。また、抽出された報知信号には、各下り単位バンドと上り単位バンドとの関連付けに関する情報が含まれている。
【０１９０】
報知信号受信部６３０は、下り単位バンド毎に含まれる報知信号をそれぞれ復号し、各下り単位バンドと単位バンドペアを構成する上り単位バンドの情報（すなわち、各下り単位バンドにマッピングされたＳＩＢ２によって通知される上り単位バンドの情報）を抽出する。また、報知信号受信部６３０は、自装置に対する単位バンドグループに含まれる上り単位バンドとペアになっている下り単位バンドを「基本単位バンド」と認識し、基本単位バンド情報をBundling制御部６１２及び制御部６０８へ出力する。
【０１９１】
制御部６０８は、判定部４０７から受け取る下り単位バンドの識別情報の示す下り単位バンド、ＣＣＥ識別情報、及びＰＵＣＣＨリソース情報から、応答信号を送信すべきＰＵＣＣＨリソース(周波数・符号)を特定する。そして、制御部６０８は、各下り単位バンドについて特定したＰＵＣＣＨリソースに対応するＺＡＣ系列及び循環シフト量を、各下り単位バンドに対応する上り制御チャネル信号生成部２１３−１〜Ｎの拡散部２２２へ出力し、周波数リソース情報をＩＦＦＴ部２２３に出力する。また、制御部６０８は、参照信号としてのＺＡＣ系列及び周波数リソース情報をＩＦＦＴ部２２６へ出力し、応答信号の２次拡散に用いるべきブロックワイズ拡散コード系列を拡散部２２５へ出力し、参照信号の２次拡散に用いるべき直交系列を拡散部２２８へ出力する。
【０１９２】
Bundling制御部６１２は、自装置に設定された単位バンドグループに含まれる各下り単位バンドで送信された下り回線データの受信状況、報知信号受信部６３０から受け取る基本単位バンド情報、並びに、判定部４０７から受け取るＮＤＩ及びＤＡＩに基づいて、自装置が基地局５００へ送信すべき応答信号を生成する。Bundling制御部６１２は、生成した応答信号を、基本単位バンドと単位バンドペアを形成する上り単位バンドに対応する上り制御チャネル信号生成部２１３へ出力する。応答信号の送信制御については、後に詳しく説明する。
【０１９３】
［基地局５００及び端末６００の動作］
以上の構成を有する基地局５００及び端末６００の動作について説明する。図１３は、基地局５００及び端末６００の動作説明に供する図である。
【０１９４】
〈基地局５００によるリソース割当制御、並びに、下り割当制御情報及び下り回線データの送信〉
基地局５００において、制御部５０１は、リソース割当対象端末６００への初回送信データのために、リソース割当対象端末６００に対して、単位バンドグループに含まれる下り単位バンドと上り単位バンドとにより構成されるBundling単位バンドグループを設定する。このBundling単位バンドグループは、下り単位バンドの数と上り単位バンドの数とが異なることがあり（具体的には、下り単位バンドの数よりも上り単位バンドの数の方が少ないことがあり）、上り下りで非対称となる場合がある。このBundling単位バンドグループに含まれる下り単位バンドは、例えば、サブフレーム単位で、設定変更できる。また、Bundling単位バンドグループに含まれる上り単位バンドは、同じBundling単位バンドグループに属するいずれかの下り単位バンドと「単位バンドペア」を構成している。また、Bundling単位バンドグループに含まれる上り単位バンドに関する情報を報知するＢＣＨが送信される下り単位バンドが、リソース割当対象端末６００に対する「基本単位バンド」である。換言すれば、Bundlingによる応答信号の送信に用いられる上り単位バンドに関する情報を報知するＢＣＨが送信される下り単位バンドが、リソース割当対象端末６００に対する「基本単位バンド」である。
【０１９５】
また、制御部５０１は、リソース割当対象端末６００への再送データのために、リソース割当対象端末６００に対して、上記単位バンドグループの中でBundling単位バンドグループの下り単位バンドを除く下り単位バンドを設定する。
【０１９６】
そして、制御部５０１は、端末６００毎に設定されている単位バンドグループにおける基本単位バンド（つまり、Bundling単位バンドグループにおける基本単位バンド）に関する情報を保持している。制御部５０１は、端末６００に対して初回送信データを送信する場合、当該端末６００にとっての基本単位バンドを優先して使用する。すなわち、基地局５００側で１つの初回送信のデータ（Ｔｒａｎｓｐｏｔ  ｂｌｏｃｋ：ＴＢとも呼ぶ）を端末６００に送信する場合、制御部５０１は、当該端末６００にとっての基本単位バンドにデータをマッピングする制御を行い、また、端末６００に対して、Bundling単位バンドグループに基本単位バンド以外の下り単位バンドが無いこと（すなわち、基本単位バンド以外に初回送信データの配置が無いこと）を通知するＤＡＩビット情報を生成する。このＤＡＩビットは、制御部５０１から、その他の制御情報と一緒に制御情報生成部３０２へ出力され、下り回線データと同一の下り単位バンドで送信される。また、基地局５００側で２つ以上の初回送信のデータを端末６００に同時に送信する場合、制御部５０１は、一つのデータを必ず端末６００の基本単位バンドにマッピングし、残りのデータはBundling単位バンドグループ内の基本単位バンドを除く下り単位バンドにマッピングする制御を行う。制御部５０１は、端末６００に対して、Bundling単位バンドグループに基本単位バンド以外の下り単位バンドが含まれること（すなわち、基本単位バンド以外に初回送信データの配置があること）を通知するＤＡＩビット情報を生成し、制御情報生成部３０２に出力する。このＤＡＩビットは、基本単位バンドで送信される下り割当制御情報に含まれて端末６００に通知される。
【０１９７】
基地局５００は、下り回線データの送信宛先端末６００に対して、当該送信宛先端末６００に設定された単位バンドグループ内の、下り回線データ（初回送信データ及び再送データ）の送信に利用する下り単位バンドにおいて下り割当制御情報をそれぞれ送信する。また、基地局５００は、Bundling単位バンドグループにおける基本単位バンド以外の下り単位バンドの数（すなわち、基本単位バンド以外で下り回線データが配置された下り単位バンドの数）を、基本単位バンドで送信される下り割当制御情報に含まれるＤＡＩによって、送信宛先端末６００に通知する。
【０１９８】
図１３を参照して具体的に説明すると、送信宛先端末６００に対しては、下り単位バンド１，２，３及び上り単位バンド１から成る単位バンドグループが設定されている。そして、Bundling単位バンドグループは、下り単位バンド１，２及び上り単位バンド１から構成されている。ここで、送信宛先端末６００に対してＣａｒｒｉｅｒ  ａｇｇｒｅｇａｔｉｏｎによる通信が適用される場合、基地局５００は、下り単位バンド１，２，３を用いて、下り割当制御情報を送信する。この下り割当制御情報を送信するために、基地局５００は、下り単位バンドの下り制御チャネル（ＰＤＣＣＨ）に含まれるサブチャネル（すなわち、Ｌ１／Ｌ２  ＣＣＨ）を送信宛先端末６００に割り当て、割り当てたサブチャネルを用いて送信宛先端末６００へ下り割当制御情報を送信する。各サブチャネルは、１つ又は複数のＣＣＥによって構成されている。
【０１９９】
〈端末６００による下り回線データの受信〉
端末６００では、報知信号受信部６３０が、端末６００に通知された単位バンドグループを構成する上り単位バンドに関する情報を報知するＢＣＨが送信される下り単位バンドを基本単位バンドとして特定する。
【０２００】
また、判定部４０７が、各下り単位バンドの下り制御チャネルに自装置宛の下り割当制御情報が含まれているか否かを判定し、自身宛の下り割当制御情報を抽出部６０４へ出力する。
【０２０１】
抽出部６０４は、判定部４０７から受け取る下り割当制御情報に基づいて、受信信号から下り回線データを抽出する。
【０２０２】
こうして端末６００は、基地局５００から送信された下り回線データを受信することができる。
【０２０３】
図１３を参照して具体的に説明すると、まず、上り単位バンド１に関する情報を報知するＢＣＨが下り単位バンド１で送信されるので、下り単位バンド１が端末６００の基本単位バンドとなる。
【０２０４】
また、下り単位バンド１で送信される下り割当制御情報には、下り単位バンド１で送信される下り回線データ（DL data）の送信に用いられるリソースに関する情報が含まれ、下り単位バンド２で送信される下り割当制御情報には、下り単位バンド２で送信される下り回線データの送信に用いられるリソースに関する情報が含まれ、下り単位バンド３で送信される下り割当制御情報には、下り単位バンド３で送信される下り回線データ（DL data）の送信に用いられるリソースに関する情報が含まれる。
【０２０５】
従って、端末６００は、下り単位バンド１で送信される下り割当制御情報、下り単位バンド２で送信される下り割当制御情報及び下り単位バンド３で送信される下り割当制御情報を受信することにより、下り単位バンド１、下り単位バンド２及び下り単位バンド３のすべてで下り回線データを受信することができる。逆に、下り割当制御情報を受信することができなければ、端末６００は、下り回線データを受信することができない。
【０２０６】
また、端末６００は、下り単位バンド１で送信されるＤＡＩにより、下り割当制御情報が、基本単位バンドである下り単位バンド１だけでなく、下り単位バンド２でも送信されていることを認識することができる。
【０２０７】
〈端末６００による応答〉
実施の形態２と同様に、初回送信データに対する応答制御と再送データに対する応答制御とは別に行われる。
【０２０８】
（１）初回送信データに対する応答
Bundling制御部６１２は、ＣＲＣ部２１１から受け取る誤り検出結果、制御部６０８から受け取るＤＡＩ、及び、報知信号受信部６３０から受け取る基本単位バンド情報に基づいて、次のように応答信号の送信制御を行う。
【０２０９】
Bundling制御部６１２は、ＤＡＩから求められる下り回線データの数と等しい数の初回送信データに対する誤り検出結果をＣＲＣ部２１１から受け取る場合（つまり、Bundling単位バンドグループの全ての下り単位バンドにおいて初回送信データに対する下り割当制御情報の受信に成功した場合）には、これらの誤り検出結果を１つにまとめた束ＡＣＫ／ＮＡＣＫ信号を基地局５００へ送信する。
【０２１０】
Bundling制御部６１２は、基本単位バンドで下り割当制御情報の受信に成功し、基本単位バンドで送信された下り回線データについての誤り検出結果をＣＲＣ部２１１から受け取るが、ＣＲＣ部２１１から受け取る誤り検出結果の総数がＤＡＩから求められる初回送信データの数よりも少ない場合、束ＡＣＫ／ＮＡＣＫ信号としてＮＡＣＫを送信する。なお、ここではＮＡＣＫを送信するとしたが、応答信号自体を送信しないこととしても良い。端末６００が応答信号を送信しなくても、基地局５００はＤＴＸと見なして再送制御を行うので、ＮＡＣＫを送信した場合と結果として同じ再送制御が為されるためである。
【０２１１】
また、Bundling制御部６１２は、ＣＲＣ部２１１から初回送信データに対する誤り検出結果自体を受け取らない場合（つまり、端末６００でBundling単位バンドグループ内のいずれの下り割当制御情報の受信にも成功しなかった場合）だけでなく、基本単位バンド以外の下り単位バンドで送信された初回送信データについての誤り検出結果のみを受け取る場合（つまり、基本単位バンドで初回送信データに対する下り割当制御情報の受信に成功しなかった場合）にも、初回送信データに対する束ＡＣＫ／ＮＡＣＫ信号を基地局５００へ送信しない。
【０２１２】
図１４を参照して初回送信データに対する束ＡＣＫ／ＮＡＣＫ信号の送信制御を具体的に説明する。図１４Ａでは、Ｃａｒｒｉｅｒ  ａｇｇｒｅｇａｔｉｏｎが基地局５００と端末６００との間の通信に適用されることが前提とされている。
【０２１３】
Bundling制御部６１２は、下り単位バンド１で送信された初回送信データに対する下り割当制御情報及び下り単位バンド２で送信された初回送信データに対する下り割当制御情報の両方の受信に成功した場合には、両下り割当制御情報の示すリソースで受信した下り回線データの誤り検出結果に基づく応答信号（すなわち、束ＡＣＫ／ＮＡＣＫ信号）を、従来から下り単位バンド１に対応する上り制御チャネル用のリソースとして用意されているＰＵＣＣＨ１で送信する。
【０２１４】
また、Bundling制御部６１２は、下り単位バンド１で送信された初回送信データに対する下り割当制御情報の受信のみに成功した場合には、ＮＡＣＫを、ＰＵＣＣＨ１で送信する。
【０２１５】
また、Bundling制御部６１２は、下り単位バンド１で送信された初回送信データに対する下り割当制御情報及び下り単位バンド２で送信された初回送信データに対する下り割当制御情報の両方の受信に失敗した場合だけでなく、下り単位バンド２で送信された下り割当制御情報の受信にのみ成功した場合も、束ＡＣＫ／ＮＡＣＫ信号を送信しない。こうすることで、単位バンドグループにおける下り単位バンド２と上り単位バンド１との対応関係に対応する上り制御チャネル用に新たにリソースを確保する必要がない。この結果、上り制御チャネルのオーバーヘッドを削減できる。
【０２１６】
以上で説明した初回送信データに対する応答信号の送信制御を行ったとしても、ACK/NACK bundling動作では、そもそも、下り単位バンドに配置された下り回線データのうちいずれか一つでも受信に失敗すれば端末からＮＡＣＫが送信され、これに応じて基地局側では全ての下り回線データの再送を行うことが前提となっているので、ACK/NACK Bundlingにおける再送効率が劣化することは無い。
【０２１７】
また、以上で説明した初回送信データに対する応答信号の送信制御を行うことにより、Ｃａｒｒｉｅｒ  ａｇｇｒｅｇａｔｉｏｎによる通信を行う能力の無い端末に設定される、１つの下り単位バンドと１つの上り単位バンドとから成るバンドペアにおいて用いられる上り制御チャネル用のリソースを、このバンドペアを含む単位バンドグループにおいても利用することができる。このことは、基本単位バンドを、基地局が個別に端末に対して構成した非対称Ｃａｒｒｉｅｒ  ａｇｇｒｅｇａｔｉｏｎにおける単位バンドグループのうち、上り単位バンドの情報を報知するＢＣＨが配置された下り単位バンドとして定義することにより、保証されている。従って、非対称Ｃａｒｒｉｅｒ  ａｇｇｒｅｇａｔｉｏｎを行うことによって下り単位バンドと上り単位バンドとの対応関係が新たに生じるにも関わらず、この対応関係に対応する上り制御チャネル用のリソースを新たに確保する必要が無いので、上り制御チャネルのオーバーヘッドを削減できる。また、Ｃａｒｒｉｅｒ  ａｇｇｒｅｇａｔｉｏｎによる通信を行う能力の無い端末に設定されるバンドペアにおける下り単位バンドとこれに対応する上り制御チャネル用のリソースとの対応関係も維持されるので、Ｃａｒｒｉｅｒ  ａｇｇｒｅｇａｔｉｏｎによる通信を行う能力の有る端末とＣａｒｒｉｅｒ  ａｇｇｒｅｇａｔｉｏｎによる通信を行う能力の無い端末とが共存できるシステムを実現できる。
【０２１８】
（２）再送データに対する応答
図１４Ｂに示すように、Bundling制御部６１２は、再送データの送信に割り当てられた下り単位バンド（図１３では、下り単位バンド３）で下り割当制御情報の受信に成功した場合には、その下り割当制御情報の示すリソースで受信した下り回線データの誤り検出結果に基づく応答信号を基地局５００へ送信する。
【０２１９】
また、Bundling制御部６１２は、再送データの送信に割り当てられた下り単位バンドで下り割当制御情報の受信に失敗した場合には、応答信号を送信しない。
【０２２０】
以上で説明した再送データに対する応答信号の送信制御を行うことにより、再送データ向けに追加のＰＵＣＣＨリソースが必要となるが、そもそも、再送が発生する確率は１０％程度であるため、オーバーヘッドの増加は最小限に抑えることができる。さらに、実施の形態２と同様に、ＰＵＣＣＨリソース情報を端末に対して通知しているため、再送データに対する応答信号のリソースの使用方法に関して柔軟性を持たせることができ、スケジューラーの自由度が向上する。
【０２２１】
以上のように本実施の形態によれば、端末６００において、Bundling制御部６１２が、制御情報受信手段としての抽出部６０４、復調部２０５、及び復号部２０６においてBundling単位バンドグループにおける上り単位バンドに関する情報が含まれる報知チャネル信号が送信される下り単位バンドである基本単位バンド、及び、初回送信データが配置された、基本単位バンド以外の第２の下り単位バンドで送信された下り割当制御情報の受信に成功した場合には、基本単位バンドにおける下り制御チャネルと関連付けられて上り単位バンドに設けられた上り制御チャネルのリソースを用いて、初回送信データに対する応答信号（すなわち、束ＡＣＫ／ＮＡＣＫ信号）を送信し、制御情報受信手段において第２の下り単位バンドで送信された下り割当制御情報の受信のみに成功した場合には、初回送信データに対する応答信号を基地局５００へ送信しない。
【０２２２】
こうすることで、単位バンドグループにおける基本単位バンド以外の下り単位バンドと基本単位バンドとバンドペアを形成する上り単位バンドとの対応関係に対応する上り制御チャネル用に新たにリソースを確保する必要がないので、上り制御チャネルのオーバーヘッドを削減できる。
【０２２３】
なお、以上の説明では、端末６００に対して構成された非対称Ｃａｒｒｉｅｒ  ａｇｇｒｅｇａｔｉｏｎにおける単位バンドグループの中に、上り単位バンドが一つだけ含まれる場合を前提として説明した。しかしながら、本実施の形態はこれに限定されない。すなわち、単位バンドグループの中に複数の上り単位バンドが含まれている場合、基地局５００から端末６００に対していずれの上り単位バンドを用いて上り応答信号を送信すべきが指示される。ある端末６００にとっての単位バンドグループの中に、複数の上り単位バンドが含まれる場合であっても、基地局５００から上り応答信号送信に用いるように指示された上り単位バンドの情報を報知するＢＣＨを送信する下り単位バンドを、当該端末６００にとっての基本単位バンドとすれば、上記した効果を維持することが可能である。
【０２２４】
またなお、以上の説明では、非対称の単位バンドグループを前提として説明したが、これに限定されるものではなく、対称の単位バンドグループでも本実施の形態の技術は適用できる。この場合、Bundling単位バンドグループに含まれる上り単位バンドは、サブフレーム単位で変更されても良い。
【０２２５】
（他の実施の形態）
（１）実施の形態１乃至３において、再送データが複数の下り単位バンドで送信される場合には、再送データに対する応答信号同士もBundlingしても良い。すなわち、実施の形態１では、初回送信データのための第１のBundling単位バンドグループの他に、再送データのための第２のBundling単位バンドグループが設定され、束ＡＣＫ／ＮＡＣＫ信号が第２のBundling単位バンドグループの上り単位バンドの上り制御チャネルに配置されることになる。また、実施の形態２及び３では、再送データに対する束ＡＣＫ／ＮＡＣＫ信号がＰＵＣＣＨリソース情報の示すリソースに配置されることになる。こうすることで、上り制御チャネルのリソース使用量をより抑えることができるので、端末の消費電力を削減できると共に上り制御チャネルでの干渉をさらに削減できる。さらに、再送データであっても、再送回数により誤り率が異なるため、RVの指示値(再送回数が反映されている)が同一の再送データに対する応答信号のみをBundlingしても良い。
【０２２６】
（２）また、上記各実施の形態におけるＺＡＣ系列は、循環シフト処理を施すベースとなる系列という意味で、Base sequenceと称されることもある。
【０２２７】
また、ウォルシュ系列は、ウォルシュ符号系列(Walsh code sequence)と称されることもある。
【０２２８】
（３）また、上記各実施の形態では、端末側の処理の順番として、１次拡散、ＩＦＦＴ変換の後に、２次拡散を行う場合について説明した。しかし、これらの処理の順番はこれに限定されない。すなわち、１次拡散、２次拡散は共に乗算の処理であるため、１次拡散処理の後段にＩＦＦＴ処理がある限り、２次拡散処理の場所はどこにあっても等価な結果が得られる。
【０２２９】
（４）また、上記各実施の形態では、本発明をハードウェアで構成する場合を例にとって説明したが、本発明はソフトウェアで実現することも可能である。
【０２３０】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０２３１】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０２３２】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０２３３】
２００９年４月２４日出願の特願２００９−１０６３３２の日本出願に含まれる明細書、図面および要約書の開示内容は、すべて本願に援用される。
【産業上の利用可能性】
【０２３４】
本発明の基地局装置及び端末装置は、上り制御チャネルのオーバーヘッドの増加を防止しつつ、柔軟性の高い再送制御を実現するものとして有用である。
【符号の説明】
【０２３５】
１００，３００，５００  基地局
１０１，２０８，３０１，４０８，５０１，６０８  制御部
１０２，３０２  制御情報生成部
１０３，１０５  符号化部
１０４，１０７，２２１  変調部
１０６  データ送信制御部
１０８，５０８  マッピング部
１０９，２２３，２２６  ＩＦＦＴ部
１１０，２２４，２２７  ＣＰ付加部
１１１，２１５  無線送信部
１１２，２０１  無線受信部
１１３，２０２  ＣＰ除去部
１１４  ＰＵＣＣＨ抽出部
１１５，３１５  逆拡散部
１１６，３１６  系列制御部
１１７  相関処理部
１１８，２０７，４０７，５１８  判定部
１１９，３１９，５１９  再送制御信号生成部
２００，４００，６００  端末
２０３  ＦＦＴ部
２０４，６０４  抽出部
２０５，２０９  復調部
２０６，２１０  復号部
２１１  ＣＲＣ部
２１２，４１２，６１２  Bundling制御部
２１３  上り制御チャネル信号生成部
２１４  ＰＵＣＣＨ多重部
２２２，２２５，２２８  拡散部
２２９  多重部
５２０  報知信号生成部
６３０  報知信号受信部
【図１】
2010122808.tif 000003
【図２】
2010122808.tif 000004
【図３】
2010122808.tif 000005
【図４】
2010122808.tif 000006
【図５】
2010122808.tif 000007
【図６】
2010122808.tif 000008
【図７】
2010122808.tif 000009
【図８】
2010122808.tif 000010
【図９】
2010122808.tif 000011
【図１０】
2010122808.tif 000012
【図１１】
2010122808.tif 000013
【図１２】
2010122808.tif 000014
【図１３】
2010122808.tif 000015
【図１４】
2010122808.tif 000016
【手続補正書】
【提出日】平成23年6月29日(2011.6.29)
【手続補正１】
【補正対象書類名】明細書
【補正対象項目名】全文
【補正方法】変更
【補正の内容】
【発明の詳細な説明】
【技術分野】
【０００１】
本発明は、基地局装置及び端末装置に関する。
【背景技術】
【０００２】
３ＧＰＰ  ＬＴＥでは、下り回線の通信方式としてＯＦＤＭＡ（Orthogonal Frequency
Division Multiple Access）が採用されている。３ＧＰＰ  ＬＴＥが適用された無線通信システムでは、基地局が予め定められた通信リソースを用いて同期信号(Synchronization Channel：ＳＣＨ)及び報知信号（Broadcast Channel：ＢＣＨ）を送信する。そして、端末は、まず、ＳＣＨを捕まえることによって基地局との同期を確保する。その後、端末は、ＢＣＨ情報を読むことにより基地局独自のパラメータ(例えば、周波数帯域幅など)を取得する（非特許文献１、２、３参照）。
【０００３】
また、端末は、基地局独自のパラメータの取得が完了した後、基地局に対して接続要求を行うことにより、基地局との通信を確立する。基地局は、通信が確立された端末に対して、必要に応じてＰＤＣＣＨ(Physical Downlink Control CHannel)を介して制御情報を送信する。
【０００４】
そして、端末は、受信したＰＤＣＣＨ信号に含まれる複数の制御情報をそれぞれ「ブラインド判定」する。すなわち、制御情報は、ＣＲＣ（Cyclic Redundancy Check）部分を含み、このＣＲＣ部分は、基地局において、送信対象端末の端末ＩＤによってマスクされる。従って、端末は、受信した制御情報のＣＲＣ部分を自機の端末ＩＤでデマスクしてみるまでは、自機宛の制御情報であるか否かを判定できない。このブラインド判定では、デマスクした結果、ＣＲＣ演算がＯＫとなれば、その制御情報が自機宛であると判定される。
【０００５】
また、３ＧＰＰ  ＬＴＥでは、基地局から端末への下り回線データに対してＡＲＱ（Automatic Repeat Request）が適用される。つまり、端末は下り回線データの誤り検出結果を示す応答信号を基地局へフィードバックする。端末は下り回線データに対しＣＲＣを行って、ＣＲＣ＝ＯＫ（誤り無し）であればＡＣＫ（Acknowledgment）を、ＣＲＣ＝ＮＧ（誤り有り）であればＮＡＣＫ（Negative Acknowledgment）を応答信号として基地局へフィードバックする。この応答信号(つまり、ＡＣＫ／ＮＡＣＫ信号)のフィードバックには、ＰＵＣＣＨ(Physical Uplink Control Channel)等の上り回線制御チャネルが用いられる。
【０００６】
そして、受信した応答信号がＮＡＣＫを示す場合には、基地局は、端末に対して再送データを送信する。この際には、下り割当制御信号の中のNew Data Indicator(NDI)ビットを０にして、再送データと割当制御信号とを同一サブフレームで送信する。また、この再送は、所謂Incremental Redundancy(IR)(非特許文献４参照)によって実行される。より具体的には、基地局は、非特許文献１〜３に示すように、再送回数に応じて最適なRedundancy Version (RV)を用いてデータを再送する。すなわち、基地局は、データの再送時には、NDIビットを０に設定すると共に、再送データに用いられているRV番号を同じく下り割当制御信号の中に設定し、得られた下り割当制御信号を下り再送データとを同一サブフレームで送信する。なお、初回送信のデータと同一サブフレームで送信される下り割当制御信号中のＮＤＩビットは、１とされる。
【０００７】
ここで、基地局から送信される上記制御情報には、基地局が端末に対して割り当てたリソース情報等を含むリソース割当情報が含まれる。この制御情報の送信には、前述の通り
ＰＤＣＣＨが用いられる。このＰＤＣＣＨは、１つ又は複数のＬ１／Ｌ２ＣＣＨ（L1/L2 Control Channel）から構成される。各Ｌ１／Ｌ２ＣＣＨは、１つ又は複数のＣＣＥ（Control Channel Element）から構成される。すなわち、ＣＣＥは、制御情報をＰＤＣＣＨにマッピングするときの基本単位である。また、１つのＬ１／Ｌ２ＣＣＨが複数のＣＣＥから構成される場合には、そのＬ１／Ｌ２ＣＣＨには連続する複数のＣＣＥが割り当てられる。基地局は、リソース割当対象端末に対する制御情報の通知に必要なＣＣＥ数に従って、そのリソース割当対象端末に対してＬ１／Ｌ２ＣＣＨを割り当てる。そして、基地局は、このＬ１／Ｌ２ＣＣＨのＣＣＥに対応する物理リソースにマッピングして制御情報を送信する。
【０００８】
またここで、各ＣＣＥは、ＰＵＣＣＨの構成リソースと１対１に対応付けられている。従って、Ｌ１／Ｌ２ＣＣＨを受信した端末は、このＬ１／Ｌ２ＣＣＨを構成するＣＣＥに対応するＰＵＣＣＨの構成リソースを暗黙的（Implicit）に特定することができ、この特定されたリソースを用いて応答信号を基地局へ送信する。こうして下り回線の通信リソースが効率良く使用される。
【０００９】
複数の端末から送信される複数の応答信号は、図１に示すように、時間軸上でZero Auto-correlation特性を持つＺＡＣ（Zero Auto-correlation）系列、ウォルシュ（Walsh）系列、及び、ＤＦＴ(Discrete Fourier Transform)系列によって拡散され、PUCCH内でコード多重されている。図１において（Ｗ０,Ｗ１,Ｗ２,Ｗ３）は系列長４のウォルシュ系列を表わし、（Ｆ０,Ｆ１,Ｆ２）は系列長３のＤＦＴ系列を表す。図１に示すように、端末では、ＡＣＫ又はＮＡＣＫの応答信号が、まず周波数軸上でＺＡＣ系列（系列長１２）によって１ＳＣ−ＦＤＭＡシンボル内に１次拡散される。次いで１次拡散後の応答信号がＷ０〜Ｗ３、Ｆ０〜Ｆ３それぞれに対応させられてＩＦＦＴ（Inverse Fast Fourier Transform）される。周波数軸上で系列長１２のＺＡＣ系列によって拡散された応答信号は、このＩＦＦＴにより時間軸上の系列長１２のＺＡＣ系列に変換される。そして、ＩＦＦＴ後の信号がさらにウォルシュ系列（系列長４）、ＤＦＴ系列(系列長３)を用いて２次拡散される。
【００１０】
また、３ＧＰＰ  ＬＴＥよりも更なる通信の高速化を実現する３ＧＰＰ  ＬＴＥ−Ａｄｖａｎｃｅｄの標準化が開始された。３ＧＰＰ  ＬＴＥ−Ａｄｖａｎｃｅｄシステム（以下、「ＬＴＥ−Ａシステム」と呼ばれることがある）は、３ＧＰＰ  ＬＴＥシステム（以下、「ＬＴＥシステム」と呼ばれることがある）を踏襲する。３ＧＰＰ  ＬＴＥ−Ａｄｖａｎｃｅｄでは、最大１Ｇｂｐｓ以上の下り伝送速度を実現するために、４０ＭＨｚ以上の広帯域周波数で通信可能な基地局及び端末が導入される見込みである。
【００１１】
ＬＴＥ−Ａシステムにおいては、ＬＴＥシステムにおける伝送速度の数倍もの超高速伝送速度による通信、及び、ＬＴＥシステムに対するバックワードコンパチビリティーを同時に実現するために、ＬＴＥ−Ａシステム向けの帯域が、ＬＴＥシステムのサポート帯域幅である２０ＭＨｚ以下の「単位バンド」に区切られる。すなわち、「単位バンド」は、ここでは、最大２０ＭＨｚの幅を持つ帯域であって、通信帯域の基本単位として定義される。さらに、下り回線における「単位バンド」（以下、「下り単位バンド」という）は基地局から報知されるＢＣＨの中の下り周波数帯域情報によって区切られた帯域、または、下り制御チャネル（ＰＤＣＣＨ）が周波数領域に分散配置される場合の分散幅によって定義される帯域として定義されることもある。また、上り回線における「単位バンド」（以下、「上り単位バンド」という）は、基地局から報知されるＢＣＨの中の上り周波数帯域情報によって区切られた帯域、または、中心付近にＰＵＳＣＨ(Physical Uplink Shared CHannel)領域を含み、両端部にＬＴＥ向けのＰＵＣＣＨを含む２０ＭＨｚ以下の通信帯域の基本単位として定義されることもある。また、「単位バンド」は、３ＧＰＰ  ＬＴＥ−Ａｄｖａｎｃｅｄにおいて、英語でＣｏｍｐｏｎｅｎｔ  Ｃａｒｒｉｅｒ（ｓ）と表記さ
れることがある。
【００１２】
そして、ＬＴＥ−Ａシステムでは、その単位バンドを幾つか束ねた帯域を用いた通信、所謂Carrier aggregationがサポートされる。ＬＴＥ−Ａシステムでは、任意のＬＴＥ−Ａシステム対応の端末（以下、「ＬＴＥ−Ａ端末」という）に対して設定される単位バンドの数が上りと下りで等しいCarrier aggregation、所謂Symmetric carrier aggregationと、任意のＬＴＥ−Ａ端末に対して設定される単位バンドの数が上りと下りで異なるCarrier aggregation、所謂Asymmetric carrier aggregationが検討されている。後者は、上りに対するスループット要求と下りに対するスループット要求が異なる場合に有用である。さらに、上りと下りで単位バンド数が非対称であり、且つ、各単位バンドの周波数帯域幅がそれぞれ異なる場合も、サポートされる見込みである。
【００１３】
図２は、個別の端末に適用される非対称のCarrier aggregation及びその制御シーケンスの説明に供する図である。図２には、基地局の上りと下りの帯域幅及び単位バンド数が対称である例が示されている。
【００１４】
図２において、端末１に対しては、２つの下り単位バンドと左側の１つの上り単位バンドを用いてCarrier aggregationを行うような設定(Configuration)が為される一方、端末２に対しては、端末１と同一の２つの下り単位バンドを用いるような設定が為されるにも拘らず、上り通信では右側の上り単位バンドを利用するような設定が為される。
【００１５】
そして、端末１に着目すると、ＬＴＥ−Ａシステムを構成するＬＴＥ−Ａ基地局とＬＴＥ−Ａ端末との間では、図２Ａに示すシーケンス図に従って、信号の送受信が行われる。図２Ａに示すように、（１）端末１は、基地局との通信開始時に、左側の下り単位バンドと同期を取り、左側の下り単位バンドとペアになっている上り単位バンドの情報をＳＩＢ２(System Information Block Type 2)と呼ばれる報知信号から読み取る。（２）端末１は、この上り単位バンドを用いて、例えば、接続要求を基地局に送信することによって基地局との通信を開始する。（３）端末に対し複数の下り単位バンドを割り当てる必要があると判断した場合には、基地局は、端末に下り単位バンドの追加を指示する。ただし、この場合、上り単位バンド数は増えず、個別の端末である端末１において非対称Carrier aggregationが開始される。  
【先行技術文献】
【非特許文献】
【００１６】
【非特許文献１】3GPP TS 36.211 V8.6.0, “Physical Channels and Modulation (Release 8),” March 2009
【非特許文献２】3GPP TS 36.212 V8.6.0, “Multiplexing and channel coding (Release 8),” March 2009
【非特許文献３】3GPP TS 36.213 V8.6.0, “Physical layer procedures (Release 8),”March 2009
【非特許文献４】P.Frenger, S.Parkvall, and E.Dahlman, “Performance comparison of HARQ with chase combining and incremental redundancy for HSDPA,” Proc. IEEE VTC’01-Fall, Oct. 2001
【発明の概要】
【発明が解決しようとする課題】
【００１７】
ところで、ＬＴＥ−Ａでは、応答信号の送信モードとして、次の２つのモードが検討されている。すなわち、第１のモードは、複数の下り単位バンドにおいて送信された複数のデータに対して個別に応答信号を送信する、所謂Non-bundlingモードである。所謂Non-bundlingモードでは、複数の応答信号は、周波数又は符号の少なくとも一つが異なるリソー
スを割り当てられ、同時に送信される。Non-bundlingモードは、Multi-code送信モードと呼ばれることもある。また、第２のモードは、複数の下り単位バンドにおいて送信された複数のデータに対する複数の応答信号を一つにまとめて(Bundlingして)送信する、所謂ＡＣＫ／ＮＡＣＫ Bundling(以下、単に「Bundling」と記す)である。Bundlingでは、端末が送信すべき複数のＡＣＫ／ＮＡＣＫ信号の論理積(つまり、Logical AND)を計算し、その計算結果を「束ＡＣＫ／ＮＡＣＫ信号（Bundled ＡＣＫ／ＮＡＣＫ信号、または束応答信号とも呼ぶ）」として基地局にフィードバックする。
【００１８】
上記したCarrier aggregationが端末に適用される場合には、ＡＲＱは以下のように制御される。まず、図３左図を参照して、Bundlingの場合について説明する。図３に示すように、端末に対して、下り単位バンド１，２及び上り単位バンド１から成る単位バンドグループが設定される場合には、下り単位バンド１，２のそれぞれのＰＤＣＣＨで下りリソース割当情報が基地局から端末へ送信された後に、その下りリソース割当情報に対応するリソースで下り回線データが送信される。そして、下り単位バンド２で送信された下り回線データに対するＡＣＫ／ＮＡＣＫ信号だけでなく、下り単位バンド１で送信された下り回線データに対するＡＣＫ／ＮＡＣＫ信号も、下り単位バンド２に対応する上り単位バンド２のＰＵＣＣＨで送信される。
【００１９】
そして、端末が２つの下り回線データの両方の受信に成功した場合（ＣＲＣ＝ＯＫ）の場合、端末は下り単位バンド１に対するＡＣＫ(=1)と、下り単位バンド２に対するＡＣＫ(=1)との論理積を計算し、その結果として「1」（つまりＡＣＫ）を束ＡＣＫ／ＮＡＣＫ信号として基地局に送信する。また、端末が下り単位バンド１における下り回線データの受信に成功し、且つ、下り単位バンド２における下り回線データの受信に失敗した場合には、端末は、下り単位バンドに対するＡＣＫ(=1)と、下り単位バンド２に対するＮＡＣＫ(=0)との論理積を計算し、「0」（つまり、ＮＡＣＫ）を束ＡＣＫ／ＮＡＣＫ信号として基地局に送信する。同様に、端末が下り回線データを２つとも受信に失敗した場合には、端末は、ＮＡＣＫ(=0)とＮＡＣＫ(=0)との論理積を計算し、「0」（つまり、ＮＡＣＫ）を束ＡＣＫ／ＮＡＣＫ信号として基地局にフィードバックする。
【００２０】
このように、Bundlingでは、端末に対して送信された複数の下り回線データの全ての受信に成功した場合のみ、端末はＡＣＫを一つだけ束ＡＣＫ／ＮＡＣＫ信号として基地局に送信し、一つでも受信に失敗した場合には基地局に対してＮＡＣＫを一つだけ束ＡＣＫ／ＮＡＣＫ信号として送信することで、上り制御チャネルにおけるオーバーヘッドを削減できる。なお、端末側では、受信した複数の下り制御信号が占有していた複数のＣＣＥに対応するそれぞれのＰＵＣＣＨリソースのうち、例えば、最も周波数や識別番号（Index）が小さいＰＵＣＣＨリソースを用いて、束ＡＣＫ／ＮＡＣＫ信号を送信する。
【００２１】
これに対し、Non-bundlingモードでは、図３右図に示すように、それぞれの下りデータに対する応答信号を個別に送信する。ただし、図３右図では、或る端末に設定された単位バンドグループを構成する下り単位バンドと上り単位バンドとが同数である、Symmetric carrier aggregation時の例が示されている。
【００２２】
しかしながら、上記した２つのモードには、一長一短がある。すなわち、Bundlingでは、端末が複数の下り単位バンドのデータに対する応答信号の論理積を取ってまとめて送信する。これにより、第１に、ＬＴＥシステムと同様に、端末側の送信波形のSingle carrier特性を保つことができ、第２に、ＰＵＣＣＨリソースを一つしか占有しないので、ＰＵＣＣＨにおけるキャパシティーの制限になっている他の信号に与える符号間干渉（Inter-code interference）を削減することができる。しかし、複数の下り単位バンドにおけるデータ受信の成否を個別に基地局に伝達することができず、端末側で一つでも下りデータ受信に失敗すれば端末はＮＡＣＫを基地局に返すため、基地局は全てのデータを再送せざ
るを得ない。すなわち、Bundlingでは、符号間干渉を低減できる等のメリットがある一方で、再送制御の柔軟性が低下する問題がある。
【００２３】
一方、Non-bundlingモードでは、再送制御の柔軟性は高いが、上り制御チャネルにおけるオーバーヘッドがBundlingに比べて大きくなってしまう。
【００２４】
本発明の目的は、上り制御チャネルのオーバーヘッドの増加を防止しつつ、柔軟性の高い再送制御を実現する基地局装置及び端末装置を提供することである。
【課題を解決するための手段】
【００２５】
本発明の一態様の基地局装置は、Ｎ個（Ｎは、２以上の自然数）の下り単位バンドと上り単位バンドとからなる単位バンドグループを用いて端末と通信する基地局であって、前記Ｎ個の下り単位バンドの中からBundling単位バンドグループを設定する制御手段と、下りデータの内の初回送信データを、前記Bundling単位バンドグループの下り単位バンドにマッピングすると共に、再送データを、前記Ｎ個の下り単位バンドの内、前記Bundling単位バンドグループの下り単位バンド以外の下り単位バンドにマッピングするマッピング手段と、を具備する構成を採る。
【００２６】
本発明の一態様の端末装置は、Ｎ個（Ｎは、２以上の自然数）の下り単位バンドと上り単位バンドとからなる単位バンドグループを用いて基地局と通信し、且つ、下り単位バンドに配置される下りデータの誤り検出結果に基づく応答信号を前記下り単位バンドに対応する上り単位バンドの上り制御チャネルで送信する端末装置であって、前記複数の下り単位バンドの下り制御チャネルで送信された下り割当制御情報を受信する制御情報受信手段と、前記下り割当制御情報が示す下りデータチャネルで送信された下りデータを受信する下りデータ受信手段と、前記受信された下りデータの受信誤りを検出する誤り検出手段と、各下り単位バンドで受信された下りデータが初回送信データであるか再送データであるかを判定する判定手段と、前記誤り検出手段で得られた誤り検出結果、前記下り割当制御情報の受信成否、及び前記判定の結果に基づいて、前記基地局における下りデータの再送制御に用いられる応答信号の送信を制御する応答制御手段と、を具備し、前記応答制御手段は、前記初回送信データに対する応答信号を、前記初回送信データが送信された下り単位バンドの下り制御チャネルと対応付けられて前記上り単位バンドに設けられた上り制御チャネルの構成リソースで送信し、前記再送データに対する応答信号を、前記初回送信データに対する応答信号と異なるリソースで送信する。
【発明の効果】
【００２７】
本発明によれば、上り制御チャネルのオーバーヘッドの増加を防止しつつ、柔軟性の高い再送制御を実現する基地局装置及び端末装置を提供することできる。
【図面の簡単な説明】
【００２８】
【図１】応答信号及び参照信号の拡散方法を示す図
【図２】個別の端末に適用される非対称のCarrier aggregation及びその制御シーケンスの説明に供する図
【図３】Carrier aggregationが端末に適用される場合のＡＲＱ制御の説明に供する図
【図４】本発明の実施の形態１に係る基地局の構成を示すブロック図
【図５】本発明に実施の形態１に係る端末の構成を示すブロック図
【図６】基地局及び端末の動作説明に供する図
【図７】下り単位バンドで送信されるデータの種類（つまり、初回送信データ又は再送データ）と、応答信号の種別（つまり、Bundlingによる応答信号又はNon-bundlingによる応答信号）との関係を示す図
【図８】本発明の実施の形態２に係る基地局の構成を示すブロック図
【図９】本発明に実施の形態２に係る端末の構成を示すブロック図
【図１０】基地局及び端末の動作説明に供する図
【図１１】本発明の実施の形態３に係る基地局の構成を示すブロック図
【図１２】本発明に実施の形態３に係る端末の構成を示すブロック図
【図１３】基地局及び端末の動作説明に供する図
【図１４】基地局及び端末の動作説明に供する図
【発明を実施するための形態】
【００２９】
本発明者は、まず、Bundlingでの再送制御の柔軟性が低下する問題は、誤り率が大きく異なる複数の下りデータ又は緊急度が大きく異なる複数の下りデータに対する応答信号をBundlingする際に、より強調される点に着目した。
【００３０】
また、本発明者は、データの再送回数と誤り率との間に高い相関性があることに着目した。具体的には、初回送信データの誤り率が１０％程度である一方で、再送データの誤り率はＩＲ（Incremental Redundancy）の利得等により誤り率が数％まで低下する。誤り率は、再送回数が増す程さらに低下する。因みに、データの再送回数は、下りデータの割当制御信号内に含まれる、ＮＤＩ(New Data Indicator)ビット及びＲＶ(Redundancy Version)ビットから判断できる。
【００３１】
そして、本発明者は、誤り率の異なる初回送信データと再送データとで個別に再送制御（特に、応答信号の送信制御）を行い、Bundling及びNon-bundlingの両方の利点を活かすことのできる本発明をするに到った。
【００３２】
以下、本発明の実施の形態について図面を参照して詳細に説明する。なお、実施の形態において、同一の構成要素には同一の符号を付し、その説明は重複するので省略する。
【００３３】
（実施の形態１）
［通信システムの概要］
後述する基地局１００及び端末２００を含む通信システムでは、Ｎ（Ｎは、２以上の自然数）個の上り単位バンド及び当該Ｎ個の上り単位バンドと対応づけられたＮ個の下り単位バンドを使用した通信、つまり、端末２００独自の対称Ｃａｒｒｉｅｒ  ａｇｇｒｅｇａｔｉｏｎによる通信が行われる。このＮ個の上り単位バンド及びＮ個の下り単位バンドは、端末２００に対して設定された「単位バンドグループ」である。また、この通信システムには、端末２００と異なり、Ｃａｒｒｉｅｒ  ａｇｇｒｅｇａｔｉｏｎによる通信を行う能力が無く、１つの下り単位バンドとこれに対応づけられた１つの上り単位バンドによる通信（つまり、Ｃａｒｒｉｅｒ  ａｇｇｒｅｇａｔｉｏｎによらない通信）を行う端末も含まれている。
【００３４】
従って、基地局１００は、対称Ｃａｒｒｉｅｒ  ａｇｇｒｅｇａｔｉｏｎによる通信及びＣａｒｒｉｅｒ  ａｇｇｒｅｇａｔｉｏｎによらない通信の両方をサポートできるように構成されている。
【００３５】
また、基地局１００と端末２００との間でも、基地局１００による端末２００に対するリソース割当によっては、Ｃａｒｒｉｅｒ  ａｇｇｒｅｇａｔｉｏｎによらない通信が行われることも可能である。
【００３６】
また、この通信システムでは、Ｃａｒｒｉｅｒ  ａｇｇｒｅｇａｔｉｏｎによらない通信が行われる場合には、従来通りのＡＲＱが行われる一方、Ｃａｒｒｉｅｒ  ａｇｇｒｅｇａｔｉｏｎによる通信が行われる場合には、ＡＲＱにおいて応答信号のBundlingが採用
される。すなわち、この通信システムは、例えば、ＬＴＥ−Ａシステムであり、基地局１００は、例えば、ＬＴＥ−Ａ基地局であり、端末２００は、例えば、ＬＴＥ−Ａ端末である。また、Ｃａｒｒｉｅｒ  ａｇｇｒｅｇａｔｉｏｎによる通信を行う能力の無い端末は、例えば、ＬＴＥ端末である。
【００３７】
また、特に、Ｃａｒｒｉｅｒ  ａｇｇｒｅｇａｔｉｏｎによる通信が行われる場合には、初回送信データに関する応答信号の送信制御に対してBundlingが適用され、再送データに関する応答信号の送信制御に対してはNon-bundlingが適用される。
【００３８】
以下では、次の事項を前提として説明する。すなわち、予め基地局１００と端末２００の間で、端末２００独自の対称Ｃａｒｒｉｅｒ  ａｇｇｒｅｇａｔｉｏｎが構成されており、端末２００が用いるべき下り単位バンド及び上り単位バンドの情報が、基地局１００と端末２００との間で共有されている。
【００３９】
［基地局の構成］
図４は、本発明の実施の形態１に係る基地局１００の構成を示すブロック図である。図４において、基地局１００は、制御部１０１と、制御情報生成部１０２と、符号化部１０３と、変調部１０４と、符号化部１０５と、データ送信制御部１０６と、変調部１０７と、マッピング部１０８と、ＩＦＦＴ部１０９と、ＣＰ付加部１１０と、無線送信部１１１と、無線受信部１１２と、ＣＰ除去部１１３と、ＰＵＣＣＨ抽出部１１４と、逆拡散部１１５と、系列制御部１１６と、相関処理部１１７と、判定部１１８と、再送制御信号生成部１１９とを有する。
【００４０】
制御部１０１は、リソース割当対象端末２００に対して、制御情報を送信するための下りリソース（つまり、下り制御情報割当リソース）、及び、当該制御情報に含まれる、下り回線データを送信するための下りリソース（つまり、下りデータ割当リソース）を割り当てる（Assignする）。このリソース割当は、リソース割当対象端末２００に設定（Configure）される単位バンドグループに含まれる下り単位バンドにおいて行われる。また、下り制御情報割当リソースは、各下り単位バンドにおける下り制御チャネル（ＰＤＣＣＨ）に対応するリソース内で選択される。また、下りデータ割当リソースは、各下り単位バンドにおける下りデータチャネル（ＰＤＳＣＨ）に対応するリソース内で選択される。また、リソース割当対象端末２００が複数有る場合には、制御部１０１は、リソース割当対象端末２００のそれぞれに異なるリソースを割り当てる。
【００４１】
制御部１０１は、リソース割当対象端末２００への初回送信データのために、リソース割当対象端末２００に対して、上記単位バンドグループに含まれる１つ以上の下り単位バンドと上り単位バンドとにより構成される短期変動（variable in short-term）単位バンドグループを設定する。この短期変動単位バンドグループは、下り単位バンドの数と上り単位バンドの数とが異なることもあり（具体的には、下り単位バンドの数よりも上り単位バンドの数の方が少ないこともあり）、上り下りで非対称となる場合がある。また、この短期変動単位バンドグループは、例えば、サブフレーム単位で、設定変更できる。また、短期変動単位バンドグループに含まれる上り単位バンドは、同じ短期変動単位バンドグループに属するいずれかの下り単位バンドと「単位バンドペア」を構成している。また、制御部１０１は、リソース割当対象端末２００への再送データのために、リソース割当対象端末２００に対して、上記単位バンドグループの中で単位バンドペア（上り単位バンドと下り単位バンドのペア）を設定する。この再送データを送信するための単位バンドペアは、サブフレームごとに設定変更できる。
【００４２】
下り制御情報割当リソースは、上記したＬ１／Ｌ２ＣＣＨと同等である。すなわち、下り制御情報割当リソースは、１つ又は複数のＣＣＥから構成される。また、各ＣＣＥは、
上り制御チャネル（ＰＵＣＣＨ）の構成リソースと１対１に対応づけられている。ただし、ＣＣＥとＰＵＣＣＨ構成リソースとの関連付けは、ＬＴＥシステム向けに報知された下り単位バンドと上り単位バンドの関連付けにおいてなされる。すなわち、端末２００に対して送信された複数の下り制御情報割当リソースを構成するＣＣＥに対応付けられたＰＵＣＣＨの構成リソースが、全て、当該端末２００向けに設定された単位バンドグループに含まれるとは限らない。
【００４３】
また、制御部１０１は、リソース割当対象端末２００に対して制御情報を送信する際に用いる符号化率を決定する。この符号化率に応じて制御情報のデータ量が異なるので、このデータ量の制御情報をマッピング可能な数のＣＣＥを持つ下り制御情報割当リソースが、制御部１０１によって割り当てられる。
【００４４】
また、制御部１０１は、ＮＤＩを再送制御信号生成部１１９から受け取る。このＮＤＩは、各下り単位バンドで送信される下り回線データが初回送信データであるか再送データであるかを示す情報である。
【００４５】
そして、制御部１０１は、制御情報生成部１０２に対して、下りデータ割当リソースに関する情報及ＮＤＩを制御情報生成部１０２へ出力する。また、制御部１０１は、符号化部１０３に対して、符号化率に関する情報及を出力する。制御部１０１は、送信データ（つまり、下り回線データ）の符号化率を決定し、符号化部１０５に出力する。また、制御部１０１は、下りデータ割当リソース及び下り制御情報割当リソースに関する情報をマッピング部１０８に対して出力する。ただし、制御部１０１は下りデータと当該下りデータに対する下り制御情報を同一の下り単位バンドにマッピングするよう制御する。
【００４６】
制御情報生成部１０２は、下りデータ割当リソース及びＮＤＩを含む制御情報を生成して符号化部１０３へ出力する。この制御情報は下り単位バンドごとに生成される。また、リソース割当対象端末２００が複数有る場合に、リソース割当対象端末２００同士を区別するために、制御情報には、宛先端末の端末ＩＤが含まれる。例えば、宛先端末の端末ＩＤでマスキングされたＣＲＣビットが制御情報に含まれる。この制御情報は、「下り割当制御情報」と呼ばれることがある。
【００４７】
また、制御情報生成部１０２は、下り制御情報割当リソースに関する情報を符号化部１０３及び変調部１０４を介してマッピング部１０８へ出力する。これにより、制御情報が、マッピング部１０８によって下り制御情報割当リソースにマッピングされる。
【００４８】
符号化部１０３は、制御部１０１から受け取る符号化率に従って、制御情報を符号化し、符号化された制御情報を変調部１０４へ出力する。
【００４９】
変調部１０４は、符号化後の制御情報を変調し、得られた変調信号をマッピング部１０８へ出力する。
【００５０】
符号化部１０５は、送信宛先端末２００ごとの送信データ（つまり、下り回線データ）及び制御部１０１からの符号化率情報を入力として、送信データを符号化率情報の示す符号化率で符号化し、データ送信制御部１０６に出力する。ただし、送信宛先端末２００に対して複数の下り単位バンドが割り当てられる場合には、符号化部１０５は、各下り単位バンドで送信される送信データをそれぞれ符号化し、符号化後の送信データをデータ送信制御部１０６へ出力する。
【００５１】
データ送信制御部１０６は、初回送信時には、符号化後の送信データを保持するとともに変調部１０７へ出力する。符号化後の送信データは、送信宛先端末２００ごとに保持さ
れる。また、１つの送信宛先端末２００への送信データは、送信される下り単位バンドごとに保持される。これにより、送信宛先端末２００に送信されるデータ全体の再送制御だけでなく、下り単位バンドごとの再送制御も可能になる。
【００５２】
また、データ送信制御部１０６は、再送制御信号生成部１１９から受け取る再送制御信号が再送命令を示す場合には、当該再送制御信号に対応する保持データを、変調部１０７へ出力する。また、データ送信制御部１０６は、再送制御信号生成部１１９から受け取る再送制御信号が再送しないことを示す場合には、当該再送制御信号に対応する保持データを削除する。この場合には、データ送信制御部１０６は、次の初回送信データを変調部１０７へ出力する。なお、初回送信データに関しては、端末２００から複数の初回送信データに関わる束ＡＣＫ／ＮＡＣＫ信号が送信されてくるので、再送命令を示す再送制御信号を受け取ると、データ送信制御部１０６は、その束ＡＣＫ／ＮＡＣＫ信号に関わる複数の保持データをすべて変調部１０７へ出力する。また、ここでは、再送データの応答信号に対してはNon-bundlingが適用されるので、再送データを更に再送する再送制御信号を受け取る場合には、データ送信制御部１０６は、再送制御信号に対応する１つの保持データを変調部１０７へ出力する。
【００５３】
変調部１０７は、データ送信制御部１０６から受け取る符号化後の送信データを変調し、変調信号をマッピング部１０８へ出力する。
【００５４】
マッピング部１０８は、制御部１０１から受け取る下り制御情報割当リソースの示すリソースに、変調部１０４から受け取る制御情報の変調信号をマッピングし、ＩＦＦＴ部１０９へ出力する。
【００５５】
また、マッピング部１０８は、制御部１０１から受け取る下りデータ割当リソースの示すリソースに、変調部１０７から受け取る送信データの変調信号をマッピングし、ＩＦＦＴ部１０９へ出力する。
【００５６】
以上の構成によれば、リソース割当対象端末２００宛の制御情報及び初回送信データは、短期変動単位バンドグループを構成する下り単位バンドにマッピングされ、また、リソース割当対象端末２００宛の制御情報及び再送データは、再送のための下り単位バンドにマッピングされる。
【００５７】
マッピング部１０８にて複数の下り単位バンドにおける複数のサブキャリアにマッピングされた制御情報及び送信データは、ＩＦＦＴ部１０９で周波数領域信号から時間領域信号に変換され、ＣＰ付加部１１０にてＣＰが付加されてＯＦＤＭ信号とされた後に、無線送信部１１１にてＤ／Ａ変換、増幅およびアップコンバート等の送信処理が施され、アンテナを介して端末２００へ送信される。
【００５８】
無線受信部１１２は、端末２００から送信された応答信号または参照信号をアンテナを介して受信し、応答信号または参照信号に対しダウンコンバート、Ａ／Ｄ変換等の受信処理を行う。
【００５９】
ＣＰ除去部１１３は、受信処理後の応答信号または参照信号に付加されているＣＰを除去する。
【００６０】
ＰＵＣＣＨ抽出部１１４は、受信信号に含まれる上り制御チャネル信号を上り単位バンドごとに抽出し、抽出した上り制御チャネル（ＰＵＣＣＨ）信号を上り単位バンドごとに振り分ける。この上り制御チャネル信号には、端末２００から送信された応答信号及び参照信号が含まれている可能性がある。
【００６１】
拡散部１１５−Ｎ、相関処理部１１７−Ｎ、及び判定部１１８−Ｎは、上り単位バンドＮで抽出された上り制御チャネル信号の処理を行う。基地局１００には、基地局１００が利用可能な上り単位バンド１〜Ｎのそれぞれに対応する拡散部１１５、相関処理部１１７、及び判定部１１８の処理系統が設けられている。
【００６２】
具体的には、逆拡散部１１５は、端末２００がそれぞれの上り単位バンドにおいて２次拡散に用いたブロックワイズ拡散コード系列で応答信号を逆拡散し、逆拡散後の応答信号を相関処理部１１７に出力する。また、逆拡散部１１５は、端末２００がそれぞれの上り単位バンドにおいて参照信号の拡散に用いた直交系列で参照信号を逆拡散し、逆拡散後の参照信号を相関処理部１１７に出力する。
【００６３】
系列制御部１１６は、端末２００から送信される応答信号の拡散に用いられているＺＡＣ系列を生成する。また、系列制御部１１６は、端末２００が用いている符号リソース（例えば、循環シフト量）に基づいて、上り単位バンド１〜Ｎのそれぞれで端末２００からの信号成分が含まれる相関窓を特定する。そして、系列制御部１１６は、特定した相関窓を示す情報および生成したＺＡＣ系列を相関処理部１１７に出力する。
【００６４】
相関処理部１１７は、系列制御部１１６から入力される相関窓を示す情報およびＺＡＣ系列を用いて、逆拡散後の応答信号および逆拡散後の参照信号と、端末２００において１次拡散に用いられたＺＡＣ系列との相関値を求めて判定部１１８に出力する。
【００６５】
判定部１１８は、相関処理部１１７から入力される相関値に基づいて、端末から送信された応答信号がＡＣＫまたはＮＡＣＫのいずれかを示しているか、もしくはＤＴＸであるかを判定する。なわち、判定部１１８は、相関処理部１１７から入力される相関値の大きさがある閾値以下であれば、端末２００は当該リソースを用いてＡＣＫもＮＡＣＫも送信していない（ＤＴＸ）と判断し、相関値の大きさが閾値以上であれば、更に当該応答信号がＡＣＫまたはＮＡＣＫのいずれを示しているかを同期検波によって判定する。そして、判定部１１８は、端末毎のＡＣＫ、ＮＡＣＫまたはＤＴＸ情報を再送制御信号生成部１１９へ出力する。
【００６６】
再送制御信号生成部１１９は、受信信号に含まれる複数の応答信号に基づいて、各下り単位バンドで送信したデータを再送すべきか否かを判定し、判定結果に基づいて再送制御信号を生成する。
【００６７】
すなわち、再送制御信号生成部１１９は、短期変動単位バンドグループ内の束ＡＣＫ／ＮＡＣＫ信号が送信される上り単位バンドに対応する判定部１１８から、束ＡＣＫ／ＮＡＣＫ信号またはＤＴＸを受け取る。また、再送制御信号生成部１１９は、再送データに関する応答信号が送信される上り単位バンドに対応する判定部１１８から、再送データに関する応答信号またはＤＴＸを受け取る。
【００６８】
そして、再送制御信号生成部１１９は、束ＡＣＫ／ＮＡＣＫ信号またはＤＴＸに基づいて、前回の送信が初回送信であった送信データの再送を制御すると共に、再送データに関する応答信号またはＤＴＸに基づいて、前回の送信も再送であった送信データの再送を制御する。
【００６９】
具体的には、再送制御信号生成部１１９は、ＮＡＣＫを示す束ＡＣＫ／ＮＡＣＫ信号またはＤＴＸを受け取る場合には、再送命令を示す再送制御信号を生成して、データ送信制御部１０６へ出力すると共に、再送を示すＮＤＩ（つまり、ＮＤＩビット＝０）を制御部１０１へ出力する。また、再送制御信号生成部１１９は、ＡＣＫを示す束ＡＣＫ／ＮＡＣ
Ｋ信号を受け取る場合には、再送しないことを示す再送制御信号を生成して、データ送信制御部１０６へ出力すると共に、初回送信を示すＮＤＩ（つまり、ＮＤＩビット＝１）を制御部１０１へ出力する。
【００７０】
また、再送制御信号生成部１１９は、再送データに関する応答信号としてＮＡＣＫまたはＤＴＸを受け取る場合には、再送命令を示す再送制御信号を生成して、データ送信制御部１０６へ出力すると共に、再送を示すＮＤＩを制御部１０１へ出力する。また、再送制御信号生成部１１９は、再送データに関する応答信号としてＡＣＫを受け取る場合には、再送しないことを示す再送制御信号を生成して、データ送信制御部１０６へ出力する。
【００７１】
［端末の構成］
図５は、本発明の実施の形態１に係る端末２００の構成を示すブロック図である。図５において、端末２００は、無線受信部２０１と、ＣＰ除去部２０２と、ＦＦＴ部２０３と、抽出部２０４と、復調部２０５と、復号部２０６と、判定部２０７と、制御部２０８と、復調部２０９と、復号部２１０と、ＣＲＣ部２１１と、Bundling制御部２１２と、上り制御チャネル信号生成部２１３−１〜Ｎと、ＰＵＣＣＨ多重部２１４と、無線送信部２１５とを有する。
【００７２】
無線受信部２０１は、基地局１００から送信されたＯＦＤＭ信号をアンテナを介して受信し、受信ＯＦＤＭ信号に対しダウンコンバート、Ａ／Ｄ変換等の受信処理を行う。
【００７３】
ＣＰ除去部２０２は、受信処理後のＯＦＤＭ信号に付加されているＣＰを除去する。
【００７４】
ＦＦＴ部２０３は、受信ＯＦＤＭ信号をＦＦＴして周波数領域信号に変換し、得られた受信信号を抽出部２０４へ出力する。
【００７５】
抽出部２０４は、入力される符号化率情報に従って、ＦＦＴ部２０３から受け取る受信信号から下り制御チャネル信号（ＰＤＣＣＨ信号）を抽出する。すなわち、符号化率に応じて下り制御情報割当リソースを構成するＣＣＥの数が変わるので、抽出部２０４は、その符号化率に対応する個数のＣＣＥを抽出単位として、下り制御チャネル信号を抽出する。また、下り制御チャネル信号は、下り単位バンドごとに抽出される。抽出された下り制御チャネル信号は、復調部２０５へ出力される。
【００７６】
また、抽出部２０４は、判定部２０７から受け取る自装置宛の下りデータ割当リソースに関する情報に基づいて、受信信号から下り回線データを抽出し、復調部２０９へ出力する。
【００７７】
復調部２０５は、抽出部２０４から受け取る下り制御チャネル信号を復調し、得られた復調結果を復号部２０６に出力する。
【００７８】
復号部２０６は、入力される符号化率情報に従って、復調部２０５から受け取る復調結果を復号して、得られた復号結果を判定部２０７に出力する。
【００７９】
判定部２０７は、復号部２０６から受け取る復号結果に含まれる制御情報が自装置宛の制御情報であるか否かをブラインド判定する。この判定は、上記した抽出単位に対応する復号結果を単位として行われる。例えば、判定部２０７は、自装置の端末ＩＤでＣＲＣビットをデマスキングし、ＣＲＣ＝ＯＫ（誤り無し）となった制御情報を自装置宛の制御情報であると判定する。そして、判定部２０７は、自装置宛の制御情報に含まれる、自装置に対する下りデータ割当リソースに関する情報を抽出部２０４へ出力する。また、判定部２０７は、各下り単位バンドの制御情報から、自装置宛の下り回線データが初回送信デー
タであるか再送データであるかを示すＮＤＩを抽出し、Bundling制御部２１２へ出力する。
【００８０】
また、判定部２０７は、自装置宛の制御情報がマッピングされていた下り単位バンド、及び、当該下り単位バンドにおいて自装置宛の制御情報がマッピングされていたＣＣＥを特定し、特定した下り単位バンド及びＣＣＥの識別情報を制御部２０８へ出力する。
【００８１】
制御部２０８は、判定部２０７から受け取る下り単位バンドの識別情報の示す下り単位バンドのペアとなる上り単位バンド、及び、ＣＣＥ識別情報の示すＣＣＥに対応するＰＵＣＣＨリソース(周波数・符号)を特定する。そして、制御部２０８は、各下り単位バンドのペアとなる上り単位バンドにおいてそれぞれ特定したＰＵＣＣＨリソースに対応するＺＡＣ系列及び循環シフト量を、各上り単位バンドに対応する上り制御チャネル信号生成部２１３−１〜Ｎの拡散部２２２へ出力し、周波数リソース情報をＩＦＦＴ部２２３に出力する。また、制御部２０８は、参照信号としてのＺＡＣ系列及び周波数リソース情報をＩＦＦＴ部２２６へ出力し、応答信号の２次拡散に用いるべきブロックワイズ拡散コード系列を拡散部２２５へ出力し、参照信号の２次拡散に用いるべき直交系列を拡散部２２８へ出力する。
【００８２】
復調部２０９は、抽出部２０４から受け取る下り回線データを復調し、復調後の下り回線データを復号部２１０へ出力する。
【００８３】
復号部２１０は、復調部２０９から受け取る下り回線データを復号し、復号後の下り回線データをＣＲＣ部２１１へ出力する。
【００８４】
ＣＲＣ部２１１は、復号部２１０から受け取る復号後の下り回線データを生成し、ＣＲＣを用いて下り単位バンドごとに誤り検出し、ＣＲＣ＝ＯＫ（誤り無し）の場合にはＡＣＫを、ＣＲＣ＝ＮＧ（誤り有り）の場合にはＮＡＣＫを、Bundling制御部２１２へ出力する。また、ＣＲＣ部２１１は、ＣＲＣ＝ＯＫ（誤り無し）の場合には、復号後の下り回線データを受信データとして出力する。
【００８５】
Bundling制御部２１２は、自装置に設定された単位バンドグループに含まれる各下り単位バンドで送信された下り回線データの受信状況、及び、判定部２０７から受け取るＮＤＩに基づいて、自装置が基地局１００へ送信すべき応答信号を生成する。
【００８６】
具体的には、Bundling制御部２１２は、自装置に設定された短期変動単位バンドグループの下り単位バンドで受信した下り回線データ（つまり、初回送信データ）の受信成否に基づいて、応答信号として束ＡＣＫ／ＮＡＣＫ信号を生成する。より詳細には、短期変動単位バンドグループに複数の下り回線データ（つまり、初回送信データ）が含まれる場合には、複数の下り回線データに対する応答信号の論理積を求めることにより束ＡＣＫ／ＮＡＣＫ信号を生成し、短期変動単位バンドグループに１つの下り回線データ（つまり、初回送信データ）のみが含まれる場合には、当該下り回線データに対する応答信号を束ＡＣＫ／ＮＡＣＫ信号とする。この束ＡＣＫ／ＮＡＣＫ信号を、Bundling制御部２１２は、短期変動単位バンドグループの１つの上り単位バンドに対応する上り制御チャネル信号生成部２１３へ出力する。
【００８７】
また、Bundling制御部２１２は、自装置に設定された単位バンドグループの構成単位バンドから短期変動単位バンドグループの構成単位バンドを除いた残りの単位バンドの内の下り単位バンドで受信した下り回線データ（つまり、再送データ）の受信成否に基づいて、応答信号を生成する。この応答信号を、Bundling制御部２１２は、再送データを受信した下り単位バンドとバンドペアを構成する上り単位バンドに対応する上り制御チャネル信
号生成部２１３へ出力する。
【００８８】
上り制御チャネル信号生成部２１３は、Bundling制御部２１２から受け取る応答信号に基づいて、上り単位バンドで送信される上り制御チャネル信号を生成する。端末２００には、基地局１００及び端末２００が利用可能な上り単位バンド１〜Ｎのそれぞれに対応する上り制御チャネル信号生成部２１３−１〜Ｎが設けられている。
【００８９】
具体的には、上り制御チャネル信号生成部２１３は、変調部２２１と、拡散部２２２と、ＩＦＦＴ部２２３と、ＣＰ付加部２２４と、拡散部２２５と、ＩＦＦＴ部２２６と、ＣＰ付加部２２７と、拡散部２２８と、多重部２２９とを有する。
【００９０】
変調部２２１は、Bundling制御部２１２から入力される応答信号を変調して拡散部２２２へ出力する。
【００９１】
拡散部２２２は、制御部２０８によって設定されたＺＡＣ系列及び循環シフト量に基づいて応答信号を１次拡散し、１次拡散後の応答信号をＩＦＦＴ部２２３へ出力する。すなわち、拡散部２２２は、制御部２０８からの指示に従って、応答信号を１次拡散する。
【００９２】
ＩＦＦＴ部２２３は、１次拡散後の応答信号を制御部２０８から入力される周波数リソース情報に基づいて周波数軸上に配置し、ＩＦＦＴを行う。そして、ＩＦＦＴ部２２３は、ＩＦＦＴ後の応答信号をＣＰ付加部２２４へ出力する。
【００９３】
ＣＰ付加部２２４は、ＩＦＦＴ後の応答信号の後尾部分と同じ信号をＣＰとしてその応答信号の先頭に付加する。
【００９４】
拡散部２２５は、制御部２０８によって設定されたブロックワイズ拡散コード系列を用いてＣＰ付加後の応答信号を２次拡散し、２次拡散後の応答信号を多重部２２９へ出力する。つまり、拡散部２２５は、１次拡散後の応答信号を制御部２０８で選択されたリソースに対応するブロックワイズ拡散コード系列を用いて２次拡散する。
【００９５】
ＩＦＦＴ部２２６は、参照信号を制御部２０８から入力される周波数リソース情報に基づいて周波数軸上に配置し、ＩＦＦＴを行う。そして、ＩＦＦＴ部２２６は、ＩＦＦＴ後の参照信号をＣＰ付加部２２７へ出力する。
【００９６】
ＣＰ付加部２２７は、ＩＦＦＴ後の参照信号の後尾部分と同じ信号をＣＰとしてその参照信号の先頭に付加する。
【００９７】
拡散部２２８は、制御部２０８からの指示された直交系列でＣＰ付加後の参照信号を拡散し、拡散後の参照信号を多重部２２９へ出力する。
【００９８】
多重部２２９は、２次拡散後の応答信号と拡散後の参照信号とを１スロットに時間多重してＰＵＣＣＨ多重部２１４出力する。
【００９９】
ＰＵＣＣＨ多重部２１４は、上り制御チャネル信号生成部２１３−１〜Ｎから入力される、複数の上り制御チャネル信号を周波数軸上で重ね合わせ、得られた多重信号を無線送信部２１５に出力する。
【０１００】
無線送信部２１５は、ＰＵＣＣＨ多重部２１４から受け取る多重信号に対しＤ／Ａ変換、増幅およびアップコンバート等の送信処理を行い、アンテナから基地局１００へ送信する。
【０１０１】
［基地局１００及び端末２００の動作］
以上の構成を有する基地局１００及び端末２００の動作について説明する。図６は、基地局１００及び端末２００の動作説明に供する図である。
【０１０２】
〈基地局１００によるリソース割当制御、並びに、下り割当制御情報及び下り回線データの送信〉
基地局１００において、制御部１０１は、端末２００毎に設定されている単位バンドグループにおける基本単位バンドに関する情報を保持している。そして、制御部１０１は、リソース割当対象端末２００への初回送信データのために、リソース割当対象端末２００に対して、上記単位バンドグループに含まれる下り単位バンドと上り単位バンドとにより構成される短期変動単位バンドグループを設定する。この短期変動単位バンドグループは、下り単位バンドの数と上り単位バンドの数とが異なることがあり（具体的には、下り単位バンドの数よりも上り単位バンドの数の方が少ないことがあり）、上り下りで非対称となる場合もある。また、この短期変動単位バンドグループは、例えば、サブフレーム単位で、設定変更できる。また、短期変動単位バンドグループに含まれる上り単位バンドは、同じ短期変動単位バンドグループに属するいずれかの下り単位バンドと「単位バンドペア」を構成している。また、制御部１０１は、リソース割当対象端末２００への再送データのために、リソース割当対象端末２００に対して、上記単位バンドグループの中で単位バンドペア（上り単位バンドと下り単位バンドのペア）を設定する。この再送データを送信するための単位バンドペアは、サブフレームごとに設定変更できる。
【０１０３】
基地局１００は、下り回線データの送信宛先端末２００に対して、当該送信宛先端末２００に設定された短期変動単位バンドグループ及び単位バンドペアの下り単位バンド群において下り割当制御情報を送信する。
【０１０４】
図６を参照して具体的に説明する。図６には、或るサブフレームにおける、単位バンドグループの各下り単位バンドにおける下り制御チャネル、下りデータチャネル、及び各上り単位バンドにおける上り制御チャネルの状況が示されている。図６に示される状況では、下り回線データの送信宛先端末２００に対して、下り単位バンド１，２，３及び上り単位バンド１，２，３から構成される、対称の単位バンドグループが設定されている。また、図６に状況が示されているサブフレームでは、送信宛先端末２００に対して、下り単位バンド１，２及び上り単位バンド１から構成される短期変動単位バンドグループが設定され、下り単位バンド３及び上り単位バンド３から成るバンドペアが再送データの送信のために設定されている。そして、基地局１００は、送信宛先端末２００に設定された短期変動単位バンドグループ及び単位バンドペアの下り単位バンド群（つまり、下り単位バンド１，２，３）のそれぞれにおいて、下り割当制御情報を送信する。
【０１０５】
そして、基地局１００は、短期変動単位バンドグループを構成する下り単位バンド（つまり、下り単位バンド１，２）の下りデータチャネルで初回送信データをそれぞれ送信する。また、基地局１００は、上記単位バンドペアを構成する下り単位バンド（つまり、下り単位バンド３）の下りデータチャネルで再送データを送信する。
【０１０６】
〈端末２００による応答〉
端末２００において、ＣＲＣ部２１１は、受信に成功した下り割当制御情報に対応する下り回線データについて誤り検出を行い、誤り検出結果をBundling制御部２１２へ出力する。
【０１０７】
Bundling制御部２１２は、判定部２０７から受け取るＮＤＩに基づいて、端末２００が受信した複数の下り単位バンドにおける下り回線データが、それぞれ初回送信データか再
送データかを判別する。
【０１０８】
そして、Bundling制御部２１２は、短期変動単位バンドグループの下り単位バンドで送信された初回送信データに関する誤り検出結果に基づいて、束ＡＣＫ／ＮＡＣＫ信号を生成する。すなわち、短期変動単位バンドグループは、応答信号がBundlingによって生成される「Bundling単位バンドグループ」である。具体的には、Bundling制御部２１２は、短期変動単位バンドグループに複数の初回送信データが含まれる場合、初回送信データに対する全ての誤り検出結果がＣＲＣ＝ＯＫであったときには、束ＡＣＫ／ＮＡＣＫ信号として１つだけ「ＡＣＫ」を生成し、短期変動単位バンドグループの上り単位バンドに対応する上り制御チャネル信号生成部２１３へ出力する。また、複数の初回送信データのうち、１つでもＣＲＣ＝ＮＧであった場合には、Bundling制御部２１２は、束ＡＣＫ／ＮＡＣＫ信号として１つだけ「ＮＡＣＫ」を生成し、短期変動単位バンドグループの上り単位バンドに対応する上り制御チャネル信号生成部２１３へ出力する。ただし、Bundling制御部２１２は、短期変動単位バンドグループに１つの初回送信データのみが含まれ、当該初回送信データに対する誤り検出結果がＣＲＣ＝ＯＫであった場合、束ＡＣＫ／ＮＡＣＫ信号として「ＡＣＫ」を生成し、短期変動単位バンドグループに１つの初回送信データのみが含まれ、当該初回送信データに対する誤り検出結果がＣＲＣ＝ＮＧであった場合、束ＡＣＫ／ＮＡＣＫ信号として「ＮＡＣＫ」を生成し、短期変動単位バンドグループの上り単位バンドに対応する上り制御チャネル信号生成部２１３へ出力する。
【０１０９】
また、Bundling制御部２１２は、上記単位バンドペアの下り単位バンドで送信された再送データに関する誤り検出結果に基づいて、応答信号を生成する。すなわち、再送データに対する応答信号は、初回送信データに対する応答信号とBundlingされずに独立して生成される。具体的には、Bundling制御部２１２は、再送データに対する誤り検出結果がＣＲＣ＝ＯＫであったときにはＡＣＫを生成し、上記単位バンドペアの上り単位バンドに対応する上り制御チャネル信号生成部２１３へ出力する。また、再送データに対する誤り検出結果がＣＲＣ＝ＮＧであった場合には、ＮＡＣＫを生成し、上記単位バンドペアの上り単位バンドに対応する上り制御チャネル信号生成部２１３へ出力する。
【０１１０】
制御部２０８は、判定部２０７から受け取る下り単位バンドの識別情報の示す下り単位バンドのペアとなる上り単位バンド、及び、ＣＣＥ識別情報の示すＣＣＥに対応するＰＵＣＣＨリソース(周波数・符号)を特定する。そして、制御部２０８は、各下り単位バンドのペアとなる上り単位バンドにおいてそれぞれ特定したＰＵＣＣＨリソースに対応するＺＡＣ系列及び循環シフト量を、各上り単位バンドに対応する上り制御チャネル信号生成部２１３−１〜Ｎの拡散部２２２へ出力し、周波数リソース情報をＩＦＦＴ部２２３に出力する。また、制御部２０８は、参照信号としてのＺＡＣ系列及び周波数リソース情報をＩＦＦＴ部２２６へ出力し、応答信号の２次拡散に用いるべきブロックワイズ拡散コード系列を拡散部２２５へ出力し、参照信号の２次拡散に用いるべき直交系列を拡散部２２８へ出力する。
【０１１１】
図６を参照して具体的に説明する。Bundling制御部２１２は、短期変動単位バンドグループの下り単位バンド（つまり、ここでは、下り単位バンド１，２）で送信された初回送信データに関する誤り検出結果に基づいて、束ＡＣＫ／ＮＡＣＫ信号を生成する。そして、Bundling制御部２１２は、生成した束ＡＣＫ／ＮＡＣＫ信号を、短期変動単位バンドグループの上り単位バンド（つまり、上り単位バンド１）に対応する上り制御チャネル信号生成部２１３へ出力する。そして、上り制御チャネル信号生成部２１３は、束ＡＣＫ／ＮＡＣＫ信号を含めた上り制御チャネル信号を、制御部２０８によって設定されたリソースで送信する。このリソースは、下り単位バンド１の下り制御チャネルのＣＣＥと対応付けられた、上り単位バンド１の上り制御チャネルの構成リソースである。
【０１１２】
ここで、下り単位バンド１，２を含む短期変動単位バンドグループの上り単位バンドとしては、下り単位バンド２と単位バンドペアを構成する上り単位バンド２を選択することもできる。この場合には、Bundling制御部２１２は、束ＡＣＫ／ＮＡＣＫ信号を上り単位バンド２に対応する上り制御チャネル信号生成部２１３へ出力することになる。ただし、図６では、短期変動単位バンドグループを構成する複数の下り単位バンド（つまり、下り単位バンド１，２）と単位バンドペアである上り単位バンド群（つまり、上り単位バンド１，２）のうち、例えば、最も周波数の低い上り単位バンドを選択基準として選択された上り単位バンド（つまり、上り単位バンド１）が短期変動単位バンドに含められている。
【０１１３】
〈基地局１００による再送制御〉
基地局１００において、再送制御信号生成部１１９は、受信信号に含まれる複数の応答信号に基づいて、各下り単位バンドで送信したデータを再送すべきか否かを判定し、判定結果に基づいて再送制御信号を生成する。すなわち、再送制御信号生成部１１９は、束ＡＣＫ／ＮＡＣＫ信号に基づいて、前回の送信が初回送信であった送信データの再送を制御すると共に、再送データに関する応答信号に基づいて、前回の送信も再送であった送信データの再送を制御する。
【０１１４】
具体的には、束ＡＣＫ／ＮＡＣＫ信号としてＡＣＫを受信した場合には、再送制御信号生成部１１９は、初回送信データが端末２００に問題なく到達したと判断し、この束ＡＣＫ／ＮＡＣＫ信号で受信成否が示されている全ての初回送信データ（つまり、同一のサブフレームで送信された初回送信データ）に対する再送を行わないように再送制御信号を生成する。これに対し、束ＡＣＫ／ＮＡＣＫ信号としてＮＡＣＫを受信した場合には、再送制御信号生成部１１９は、この束ＡＣＫ／ＮＡＣＫ信号で受信成否が示されている全ての初回送信データに対する再送制御を行うよう指示する再送制御信号を生成する。
【０１１５】
また、再送制御信号生成部１１９は、再送データに対する応答信号を個別に制御する。すなわち、再送制御信号生成部１１９は、端末２００からの応答信号がＡＣＫであったかＮＡＣＫであったかを確認し、再送データを更に次の機会に再度送信するかについての制御信号を生成する。
【０１１６】
以上に説明した制御により、パケットエラーレートの高い初回送信データに関する応答信号の送信制御と、パケットエラーレートの低い再送データに関する応答信号の送信制御とを、シグナリングオーバーヘッドを増加させることなく切り離すことができると共に、Bundlingによる再送効率の劣化を最小限に抑えつつ、上り制御チャネルのリソースの使用量を抑えることができる(Bundlingの効果)。すなわち、システムスループットを向上できる。
【０１１７】
以上のように本実施の形態によれば、基地局１００は、Ｎ個の下り単位バンドと上り単位バンドとからなる単位バンドグループを用いて端末２００と通信する。
【０１１８】
この基地局１００において、制御部１０１が、Ｎ個の下り単位バンドの内の第１及び第２の下り単位バンドを含むBundling単位バンドグループを設定し、マッピング部１０８が、下りデータの内の初回送信データを、Bundling単位バンドグループの第１及び第２の下り単位バンドにマッピングすると共に、再送データを、Ｎ個の下り単位バンドの内、Bundling単位バンドグループの下り単位バンドを除く第３の下り単位バンドにマッピングする。
【０１１９】
また、端末２００は、Ｎ個の下り単位バンドと上り単位バンドとからなる単位バンドグループを用いて基地局１００と通信し、且つ、下り単位バンドに配置される下りデータの誤り検出結果に基づく応答信号を下り単位バンドに対応する上り単位バンドの上り制御チ
ャネルで送信する。
【０１２０】
この端末２００において、制御情報受信手段としての抽出部２０４、復調部２０５、及び復号部２０６が、複数の下り単位バンドの下り制御チャネルで送信された下り割当制御情報を受信し、下りデータ受信手段としての抽出部２０４、復調部２０９、及び復号部２１０が下り割当制御情報が示す下りデータチャネルで送信された下りデータを受信する。また、ＣＲＣ部２１１が、下りデータの受信誤りを検出し、判定部２０７が、各下り単位バンドで受信された下りデータが初回送信データであるか再送データであるかを判定し、Bundling制御部２１２が、ＣＲＣ部２１１で得られた誤り検出結果、下り割当制御情報の受信成否、及び判定部２０７における判定の結果に基づいて、基地局１００における下りデータの再送制御に用いられる応答信号の送信を制御する。
【０１２１】
そして、Bundling制御部２１２は、初回送信データに対する応答信号を、初回送信データが送信された下り単位バンドの下り制御チャネルと対応付けられて上り単位バンドに設けられた上り制御チャネルの構成リソースで送信し、再送データに対する応答信号を、初回送信データに対する応答信号と異なるリソースで送信する。実施の形態１では、Bundling制御部２１２は、特に、再送データに対する応答信号を、再送データが送信された下り単位バンドの下り制御チャネルと対応付けられて他の上り単位バンドに設けられた上り制御チャネルの構成リソースで送信する。
【０１２２】
こうすることで、シグナリングオーバーヘッドを増加させることなく、初回送信データと再送データの再送制御を切り離すことができるので、上り制御チャネルのオーバーヘッドの増加を防止しつつ、柔軟性の高い再送制御を実現することができる。
【０１２３】
なお、以上の説明では、短期変動単位バンドが、例えば、サブフレーム単位で設定される場合について説明した。しかしながら、本発明はこれに限定されるものではなく、上記短期変動単位バンドを、単位バンドグループと同様に、ある程度長い期間で固定にしても良い。すなわち、複数の上り単位バンドを含み、上り単位バンドの数よりも下り単位バンドの数の方が多い、非対称の単位バンドグループが用いられても良い。図６に示す例では、下り単位バンド１，２，３及び上り単位バンド１，３が、単位バンドグループを構成することになる。要は、初回送信データの再送制御と再送データの再送制御とを切り離せれば良い。
【０１２４】
またなお、以上の説明では、１次拡散にＺＡＣ系列を用い、２次拡散にブロックワイズ拡散コード系列を用いる場合について説明する。しかし、１次拡散には、ＺＡＣ系列以外の、互いに異なる循環シフト量により互いに分離可能な系列を用いても良い。例えば、ＧＣＬ（Generalized Chirp like）系列、ＣＡＺＡＣ（Constant Amplitude Zero Auto Correlation）系列、ＺＣ（Zadoff-Chu）系列、Ｍ系列や直交ゴールド符号系列等のＰＮ系列、または、コンピュータによってランダムに生成された時間軸上での自己相関特性が急峻な系列等を１次拡散に用いても良い。また、２次拡散には、互いに直交する系列、または、互いにほぼ直交すると見なせる系列であればいかなる系列をブロックワイズ拡散コード系列として用いてもよい。例えば、ウォルシュ系列またはフーリエ系列等をブロックワイズ拡散コード系列として２次拡散に用いることができる。以上の説明では、ＺＡＣ系列の循環シフト量とブロックワイズ拡散コード系列の系列番号とによって応答信号のリソース（例えば、ＰＵＣＣＨリソース）が定義されている。
【０１２５】
またなお、下り単位バンドで送信されるデータの種類（つまり、初回送信データ又は再送データ）と、応答信号の種別（つまり、Bundlingによる応答信号又はNon-bundlingによる応答信号）との関係を図７に示す。図７Ａでは下り単位バンドが３つの場合、図７Ｂでは下り単位バンドが２つの場合が示されている。図６では、特に、初回送信データが２つ
の下り単位バンドで送信され、且つ、再送データが初回送信データと異なる１つの下り単位バンドで送信される場合（図７Ａでは、４番目、６番目、７番目のケース）を例にとり説明を行った。しかし、実施の形態１は下り単位バンドが３つの場合に限定されるわけではなく、下り単位バンドが２つの場合にも適用できる。すなわち、図７Ｂに示すように、ＮＤＩビットが１であるもの同士（初回送信データ）に対する応答信号のみをBundlingし、ＮＤＩビットが異なるもの同士あるいはＮＤＩビットが0であるもの同士に対する応答信号はNon-Bundlingとする（別に送信する）ことで、同様の効果を維持することが出来る。この場合には、図６に示すケースと異なり、例えば、２つの下り単位バンドに初回送信データが配置され、応答信号として束ＡＣＫ／ＮＡＣＫ信号が送信されるサブフレームと、少なくとも１つの下り単位バンドに再送データが配置されるサブフレームとは、時間的にずれる（つまり、時分割される）。
【０１２６】
（実施の形態２）
実施の形態１では、端末２００独自の対称Ｃａｒｒｉｅｒ  ａｇｇｒｅｇａｔｉｏｎによる通信が行われた。また、実施の形態１では、Bundlingによる応答信号とNon-bundlingによる応答信号とが異なる上り単位バンドで送信された。これに対して、実施の形態２では、端末独自の非対称Ｃａｒｒｉｅｒ  ａｇｇｒｅｇａｔｉｏｎによる通信が行われる。また、Bundlingによる応答信号とNon-bundlingによる応答信号とが異なる上りリソースで送信される点では実施の形態１と共通するが、実施の形態２では、Bundlingによる応答信号及びNon-bundlingによる応答信号は同じ上り単位バンドの上り制御チャネルで送信される。ただし、Bundlingによる応答信号及びNon-bundlingによる応答信号は、同じ上り制御チャネルの異なるリソースに配置される。また、実施の形態２では、１つのリソース割当対象端末に対して初回送信データのためにリソースを割り当てた下り単位バンドの数を示す情報であるＤＡＩ（Downlink Assignment Indicator）を下り割当制御情報に含めて送信する。すなわち、ＤＡＩは、Bundling単位バンドに含まれる下り単位バンドの数を示す。
【０１２７】
［通信システムの概要］
後述する基地局３００及び端末４００を含む通信システムでは、上り単位バンド及び上り単位バンドと対応づけられた複数の下り単位バンドを使用した通信、つまり、端末４００独自の非対称Ｃａｒｒｉｅｒ  ａｇｇｒｅｇａｔｉｏｎによる通信が行われる。また、この通信システムには、端末４００と異なり、Ｃａｒｒｉｅｒ  ａｇｇｒｅｇａｔｉｏｎによる通信を行う能力が無く、１つの下り単位バンドとこれに対応づけられた１つの上り単位バンドによる通信（つまり、Ｃａｒｒｉｅｒ  ａｇｇｒｅｇａｔｉｏｎによらない通信）を行う端末も含まれている。
【０１２８】
従って、基地局３００は、非対称Ｃａｒｒｉｅｒ  ａｇｇｒｅｇａｔｉｏｎによる通信及びＣａｒｒｉｅｒ  ａｇｇｒｅｇａｔｉｏｎによらない通信の両方をサポートできるように構成されている。
【０１２９】
また、基地局３００と端末４００との間でも、基地局３００による端末４００に対するリソース割当によっては、Ｃａｒｒｉｅｒ  ａｇｇｒｅｇａｔｉｏｎによらない通信が行われることも可能である。
【０１３０】
以下では、次の事項を前提として説明する。すなわち、予め基地局３００と端末４００の間で、端末４００独自の非対称Ｃａｒｒｉｅｒ  ａｇｇｒｅｇａｔｉｏｎが構成されており、端末４００が用いるべき下り単位バンド及び上り単位バンドの情報が、基地局３００と端末４００との間で共有されている。
【０１３１】
図８は、本発明の実施の形態２に係る基地局３００の構成を示すブロック図である。図
８において、基地局３００は、制御部３０１と、制御情報生成部３０２と、逆拡散部３１５と、系列制御部３１６と、再送制御信号生成部３１９とを有する。
【０１３２】
制御部３０１は、リソース割当対象端末４００に対して、制御情報を送信するための下りリソース（つまり、下り制御情報割当リソース）、及び、当該制御情報に含まれる、下り回線データを送信するための下りリソース（つまり、下りデータ割当リソース）を割り当てる（Assignする）。このリソース割当は、リソース割当対象端末４００に設定（Configure）される単位バンドグループに含まれる下り単位バンドにおいて行われる。また、下り制御情報割当リソースは、各下り単位バンドにおける下り制御チャネル（ＰＤＣＣＨ）に対応するリソース内で選択される。また、下りデータ割当リソースは、各下り単位バンドにおける下りデータチャネル（ＰＤＳＣＨ）に対応するリソース内で選択される。また、リソース割当対象端末４００が複数有る場合には、制御部３０１は、リソース割当対象端末２００のそれぞれに異なるリソースを割り当てる。
【０１３３】
制御部３０１は、リソース割当対象端末４００への初回送信データのために、リソース割当対象端末４００に対して、上記単位バンドグループに含まれる下り単位バンドと上り単位バンドとにより構成されるBundling単位バンドグループを設定する。このBundling単位バンドグループは、下り単位バンドの数と上り単位バンドの数とが異なることがあり（具体的には、下り単位バンドの数よりも上り単位バンドの数の方が少ないことがあり）、上り下りで非対称となる場合がある。また、このBundling単位バンドグループに含まれる下り単位バンドは、例えば、サブフレーム単位で、設定変更できる。また、Bundling単位バンドグループに含まれる上り単位バンドは、同じBundling単位バンドグループに属するいずれかの下り単位バンドと「単位バンドペア」を構成している。また、制御部３０１は、リソース割当対象端末４００への再送データのために、リソース割当対象端末４００に対して、上記単位バンドグループの中でBundling単位バンドグループの下り単位バンドを除く下り単位バンドを設定する。
【０１３４】
また、制御部３０１は、リソース割当対象端末４００に対して制御情報を送信する際に用いる符号化率を決定する。この符号化率に応じて制御情報のデータ量が異なるので、このデータ量の制御情報をマッピング可能な数のＣＣＥを持つ下り制御情報割当リソースが、制御部３０１によって割り当てられる。
【０１３５】
また、制御部３０１は、下りデータ割当リソースに関する情報、ＮＤＩ、Bundling単位バンドグループ内の下り単位バンド数（すなわち、下り回線データが割り当てられた下り単位バンド数）を通知するＤＡＩ（Downlink Assignment Indicator）、及び、端末がNon-bundlingによる応答信号の送信に用いるべきＰＵＣＣＨリソースを示すＰＵＣＣＨリソース情報を、制御情報生成部３０２へ出力する。具体的には、制御部３０１は、各下り単位バンドの下り回線データに対するＮＤＩが１の場合（つまり、当該データが初回送信データの場合）には、ＮＤＩとＤＡＩとを共に制御情報生成部３０２へ出力する。一方、各下り単位バンドの下り回線データに対するＮＤＩが０の場合（つまり、当該データが再送データの場合）には、制御部３０１は、ＮＤＩとＰＵＣＣＨリソース情報とを共に制御情報生成部３０２へ出力する。ただし、下りデータ割当リソースに関する情報は、いずれの場合も出力される。
【０１３６】
ここで、ＰＵＣＣＨリソース情報及びＤＡＩには、制御情報フォーマットにおけるビット数も位置も同じ領域が割り当てられる。すなわち、初回送信データが配置される下り単位バンドの制御情報と再送データが配置される下り単位バンドの制御情報には、共通のフォーマットを用いることができる。従って、受信側の端末４００におけるブラインド判定回数を削減できる。なお、受信側の端末４００は、上記領域にマッピングされている情報がＰＵＣＣＨリソース情報であるかＤＡＩであるかは、制御情報に一緒に含められている
ＮＤＩの値によって判別できる。
【０１３７】
また、制御部３０１は、符号化部１０３に対して、符号化率に関する情報を出力する。また、制御部３０１は送信データ（つまり、下り回線データ）の符号化率を決定し、符号化部１０５に出力する。
【０１３８】
また、制御部３０１は、下りデータ割当リソース及び下り制御情報割当リソースに関する情報をマッピング部１０８に対して出力する。ただし、制御部３０１は下りデータと当該下りデータに対する下り制御情報を同一の下り単位バンドにマッピングするよう制御する。
【０１３９】
また、制御部３０１は、ＤＡＩを再送制御信号生成部３１９へ出力し、ＰＵＣＣＨリソース情報を逆拡散部３１５及び系列制御部３１６へ出力する。
【０１４０】
制御情報生成部３０２は、下りデータ割当リソースに関する情報、ＮＤＩ、及び、ＤＡＩ又はＰＵＣＣＨリソース情報を含む制御情報を生成して符号化部１０３へ出力する。この制御情報は下り単位バンドごとに生成される。また、実施の形態１と同様に、宛先端末の端末ＩＤでマスキングされたＣＲＣビットが制御情報に含まれる。ただし、ＤＡＩは、リソース割当対象端末２００に設定されたBundling単位バンドグループに含まれる下り単位バンド（つまり、初回送信データが配置される下り単位バンド）で送信される制御情報にのみ含められる。また、ＰＵＣＣＨリソース情報は、再送データが配置される下り単位バンドで送信される制御情報にのみ含められる。
【０１４１】
逆拡散部３１５は、端末４００において各下り単位バンドで２次拡散に用いられたブロックワイズ拡散コード系列によって応答信号を逆拡散し、逆拡散後の応答信号を相関処理部１１７に出力する。
【０１４２】
また、逆拡散部３１５は、端末４００において参照信号の拡散に用いられた直交系列で参照信号を逆拡散し、逆拡散後の参照信号を相関処理部１１７に出力する。
【０１４３】
系列制御部３１６は、端末４００から送信される複数の応答信号の拡散に共通で用いられているＺＡＣ系列を生成する。
【０１４４】
また、系列制御部３１６は、端末４００が応答信号に用いた符号リソース（例えば、循環シフト量）に基づいて、端末４００からの信号成分が含まれる相関窓を特定する。具体的には、初回送信データに対しての応答信号である束ＡＣＫ／ＮＡＣＫ信号については、系列制御部３１６は、初回送信データを配置した下り制御チャネルのＣＣＥに対応付けられた上り制御チャネルの構成リソースに基づいて、相関窓を特定する。一方、再送データに対しての応答信号については、系列制御部３１６は、再送データを配置した下り制御チャネルのＣＣＥに対応付けられた上り制御チャネルの構成リソースおよびＰＵＣＣＨリソース情報に基づいて、相関窓を特定する。
【０１４５】
そして、系列制御部３１６は、特定した相関窓を示す情報および生成したＺＡＣ系列を相関処理部１１７に出力する。これにより、同じ上り単位バンドの上り制御チャネルで送信されてくるBundlingによる応答信号及びNon-bundlingによる応答信号をそれぞれ抽出することができる。
【０１４６】
再送制御信号生成部３１９は、受信信号に含まれる複数の応答信号に基づいて、各下り単位バンドで送信したデータを再送すべきか否かを判定し、判定結果に基づいて再送制御信号を生成する。
【０１４７】
すなわち、再送制御信号生成部３１９は、実施の形態１と同様に、Bundling単位バンドグループ内の束ＡＣＫ／ＮＡＣＫ信号が送信される上り単位バンドに対応する判定部１１８から、束ＡＣＫ／ＮＡＣＫ信号またはＤＴＸを受け取る。ただし、実施の形態１と異なり、実施の形態２では、Bundlingによる応答信号及びNon-bundlingによる応答信号は同じ上り単位バンドの上り制御チャネルで送信されるので、再送制御信号生成部３１９は、再送データに関する応答信号またはＤＴＸも、束ＡＣＫ／ＮＡＣＫ信号が送信される上り単位バンドに対応する判定部１１８から受け取る。
【０１４８】
そして、再送制御信号生成部３１９は、束ＡＣＫ／ＮＡＣＫ信号またはＤＴＸに基づいて、前回の送信が初回送信であった送信データの再送を制御すると共に、再送データに関する応答信号またはＤＴＸに基づいて、前回の送信も再送であった送信データの再送を制御する。具体的には、再送制御信号生成部３１９は、実施の形態１と同様に、ＮＡＣＫを示す束ＡＣＫ／ＮＡＣＫ信号またはＤＴＸを受け取る場合には、再送命令を示す再送制御信号を生成して、データ送信制御部１０６へ出力すると共に、再送を示すＮＤＩ（つまり、ＮＤＩビット＝０）を制御部３０１へ出力する。また、再送制御信号生成部３１９は、ＡＣＫを示す束ＡＣＫ／ＮＡＣＫ信号を受け取る場合には、再送しないことを示す再送制御信号を生成して、データ送信制御部１０６へ出力すると共に、初回送信を示すＮＤＩ（つまり、ＮＤＩビット＝１）を制御部３０１へ出力する。
【０１４９】
［端末の構成］
図９は、本発明の実施の形態２に係る端末４００の構成を示すブロック図である。図９において、端末４００は、判定部４０７と、制御部４０８と、Bundling制御部４１２とを有する。
【０１５０】
判定部４０７は、復号部２０６から受け取る復号結果に含まれる制御情報が自装置宛の制御情報であるか否かをブラインド判定する。上記したように制御情報フォーマットが下り単位バンド同士で共通であるので、判定部４０７は、初回送信データがマッピングされる下り単位バンドと再送データがマッピングされる下り単位バンドとの別を意識することなくブラインド判定できる。そして、判定部４０７は、自装置宛の制御情報に含まれる、自装置に対する下りデータ割当リソースに関する情報を抽出部２０４へ出力する。
【０１５１】
また、判定部４０７は、各下り単位バンドの制御情報から、自装置宛の下り回線データが初回送信データであるか再送データであるかを示すＮＤＩを抽出し、Bundling制御部４１２へ出力する。そして、抽出したＮＤＩの値が１である（つまり、当該ＮＤＩの抽出元の制御情報が送信された下り単位バンドでは下り回線データとして初回送信データが送信される）場合には、判定部４０７は、制御情報からＤＡＩを抽出し、Bundling制御部４１２へ出力する。一方、抽出したＮＤＩの値が０である（つまり、当該ＮＤＩの抽出元の制御情報が送信された下り単位バンドでは下り回線データとして再送データが送信される）場合には、判定部４０７は、制御情報からＰＵＣＣＨリソース情報を抽出し、制御部４０８へ出力する。なお、上記したように制御情報フォーマットの同じ領域にマッピングされている情報がＰＵＣＣＨリソース情報であるかＤＡＩであるかは、制御情報に一緒に含められているＮＤＩの値によって判別できる。
【０１５２】
また、判定部４０７は、自装置宛の制御情報がマッピングされていた下り単位バンド、及び、当該下り単位バンドにおいて自装置宛の制御情報がマッピングされていたＣＣＥを特定し、特定した下り単位バンド及びＣＣＥの識別情報を制御部４０８へ出力する。
【０１５３】
制御部４０８は、判定部４０７から受け取る下り単位バンドの識別情報の示す下り単位バンド、ＣＣＥ識別情報、及びＰＵＣＣＨリソース情報から、応答信号を送信すべきＰＵ
ＣＣＨリソース(周波数・符号)を特定する。そして、制御部４０８は、各下り単位バンドについて特定したＰＵＣＣＨリソースに対応するＺＡＣ系列及び循環シフト量を、各下り単位バンドに対応する上り制御チャネル信号生成部２１３−１〜Ｎの拡散部２２２へ出力し、周波数リソース情報をＩＦＦＴ部２２３に出力する。また、制御部４０８は、参照信号としてのＺＡＣ系列及び周波数リソース情報をＩＦＦＴ部２２６へ出力し、応答信号の２次拡散に用いるべきブロックワイズ拡散コード系列を拡散部２２５へ出力し、参照信号の２次拡散に用いるべき直交系列を拡散部２２８へ出力する。
【０１５４】
Bundling制御部４１２は、自装置に設定された単位バンドグループに含まれる各下り単位バンドで送信された下り回線データの受信状況、並びに、判定部４０７から受け取るＮＤＩ及びＤＡＩに基づいて、自装置が基地局３００へ送信すべき応答信号を生成する。
【０１５５】
具体的には、Bundling制御部４１２は、自装置に設定されたBundling単位バンドグループの下り単位バンドで受信した下り回線データ（つまり、初回送信データ）の受信成否に基づいて、応答信号として束ＡＣＫ／ＮＡＣＫ信号を生成する。この束ＡＣＫ／ＮＡＣＫ信号を、Bundling制御部４１２は、Bundling単位バンドグループの１つの上り単位バンドに対応する上り制御チャネル信号生成部２１３へ出力する。より詳細には、Bundling単位バンドグループに複数の下り回線データ（つまり、初回送信データ）が含まれる場合には、複数の下り回線データに対する応答信号の論理積を求めて束ＡＣＫ／ＮＡＣＫ信号を生成し、Bundling単位バンドグループに１つの下り回線データ（つまり、初回送信データ）のみが含まれる場合には、当該下り回線データに対する応答信号を束ＡＣＫ／ＮＡＣＫ信号とする。
【０１５６】
また、Bundling制御部４１２は、自装置に設定された単位バンドグループの構成単位バンドからBundling単位バンドグループの構成単位バンドを除いた残りの下り単位バンドで受信した下り回線データ（つまり、再送データ）の受信成否に基づいて、応答信号を生成する。実施の形態２では、この応答信号を、Bundling制御部４１２は、束ＡＣＫ／ＮＡＣＫ信号と同じ上り制御チャネル信号生成部２１３へ出力する。上り制御チャネル信号生成部２１３では、束ＡＣＫ／ＮＡＣＫ信号と再送データ向けの応答信号のそれぞれが用いるべき符号リソースに基づいて、それぞれ別々に符号拡散される。また、上り制御チャネル信号生成部２１３では、束ＡＣＫ／ＮＡＣＫ信号と再送データ向けの応答信号のそれぞれが用いるべき周波数リソースに基づいて、それぞれ別々の周波数成分に対応付けられてＩＦＦＴが実行される。
【０１５７】
［基地局３００及び端末４００の動作］
以上の構成を有する基地局３００及び端末４００の動作について説明する。図１０は、基地局３００及び端末４００の動作説明に供する図である。
【０１５８】
〈基地局３００によるリソース割当制御、並びに、下り割当制御情報及び下り回線データの送信〉
基地局３００において、制御部３０１は、リソース割当対象端末４００への初回送信データのために、リソース割当対象端末４００に対して、単位バンドグループに含まれる下り単位バンドと上り単位バンドとにより構成されるBundling単位バンドグループを設定する。このBundling単位バンドグループは、下り単位バンドの数と上り単位バンドの数とが異なることがあり（具体的には、下り単位バンドの数よりも上り単位バンドの数の方が少ないことがあり）、上り下りで非対称となる場合がある。また、Bundling単位バンドグループに含まれる上り単位バンドは、同じBundling単位バンドグループに属するいずれかの下り単位バンドと「単位バンドペア」を構成している。また、制御部３０１は、リソース割当対象端末４００への再送データのために、リソース割当対象端末４００に対して、上記単位バンドグループの中でBundling単位バンドグループの下り単位バンドを除く下り単
位バンドを設定する。
【０１５９】
また、制御部３０１は、下りデータ割当リソースに関する情報、ＮＤＩ、Bundling単位バンドグループ内の下り単位バンド数（すなわち、下り回線データが割り当てられた下り単位バンド数）を通知するＤＡＩ（Downlink Assignment Indicator）、及び、端末がNon-bundlingによる応答信号の送信に用いるべきＰＵＣＣＨリソースを示すＰＵＣＣＨリソース情報を、制御情報生成部３０２へ出力する。具体的には、制御部３０１は、各下り単位バンドの下り回線データに対するＮＤＩが１の場合（つまり、当該データが初回送信データの場合）には、ＮＤＩとＤＡＩとを共に制御情報生成部３０２へ出力する。一方、各下り単位バンドの下り回線データに対するＮＤＩが０の場合（つまり、当該データが再送データの場合）には、制御部３０１は、ＮＤＩとＰＵＣＣＨリソース情報とを共に制御情報生成部３０２へ出力する。ただし、下りデータ割当リソースに関する情報は、いずれの場合も出力される。
【０１６０】
基地局３００は、下り回線データの送信宛先端末４００に対して、当該送信宛先端末４００に設定されたBundling単位バンドグループの下り単位バンド群（つまり、初回送信データをマッピングする下り単位バンド群）及び当該下り単位バンド群以外の下り単位バンド（つまり、再送データをマッピングする下り単位バンド）において下り割当制御情報を送信する。
【０１６１】
図１０を参照して具体的に説明する。図１０では、下り回線データの送信宛先端末４００に対して、下り単位バンド１，２，３及び上り単位バンド１から構成される、非対称の単位バンドグループが設定されている。また、図１０では、送信宛先端末４００に対して、下り単位バンド１，２及び上り単位バンド１から構成されるBundling単位バンドグループが設定され、下り単位バンド３が再送データの送信のために設定されている。そして、基地局３００は、送信宛先端末４００に設定されたBundling単位バンドグループの下り単位バンド群（つまり、下り単位バンド１，２）及び再送データ送信のために設定される下り単位バンド（つまり、下り単位バンド３）のそれぞれにおいて、下り割当制御情報を送信する。
【０１６２】
そして、基地局３００は、Bundling単位バンドグループを構成する下り単位バンド（つまり、下り単位バンド１，２）の下りデータチャネルで初回送信データをそれぞれ送信する。また、基地局３００は、下り単位バンド３の下りデータチャネルで再送データを送信する。
【０１６３】
〈端末４００による応答〉
端末４００において、ＣＲＣ部２１１は、受信に成功した下り割当制御情報に対応する下り回線データについて誤り検出を行い、誤り検出結果をBundling制御部４１２へ出力する。
【０１６４】
Bundling制御部４１２は、判定部４０７から受け取るＤＡＩ及びＣＲＣ部２１１から受け取る誤り検出結果の数に基づいて、受信に失敗した下り制御情報が存在するか否かを判別する。
【０１６５】
また、Bundling制御部４１２は、判定部４０７から受け取るＮＤＩに基づいて、端末４００が受信した複数の下り単位バンドにおける下り回線データが、それぞれ初回送信データか再送データかを判別する。
【０１６６】
そして、Bundling制御部４１２は、Bundling単位バンドグループの下り単位バンドで送信された下り制御信号の受信成否及び初回送信データに関する誤り検出結果に基づいて、
束ＡＣＫ／ＮＡＣＫ信号を生成する。具体的には、Bundling制御部４１２は、ＣＲＣ部２１１から受け取る、初回送信データに対する誤り検出結果の全てがＣＲＣ＝ＯＫであり、且つ、受信に失敗した下り制御情報が存在しないと判別されたときには、束ＡＣＫ／ＮＡＣＫ信号として１つだけ「ＡＣＫ」を生成し、Bundling単位バンドグループの上り単位バンドに対応する上り制御チャネル信号生成部２１３へ出力する。また、複数の初回送信データのうち、１つでもＣＲＣ＝ＮＧであった場合、又は、受信に失敗した下り制御情報が存在すると判別された場合には、Bundling制御部４１２は、束ＡＣＫ／ＮＡＣＫ信号として１つだけ「ＮＡＣＫ」を生成し、Bundling単位バンドグループの上り単位バンドに対応する上り制御チャネル信号生成部２１３へ出力する。ただし、Bundling制御部４１２は、Bundling単位バンドグループに１つの初回送信データのみが含まれ、当該初回送信データに対する誤り検出結果がＣＲＣ＝ＯＫであった場合、束ＡＣＫ／ＮＡＣＫ信号として「ＡＣＫ」を生成し、Bundling単位バンドグループに１つの初回送信データのみが含まれ、当該初回送信データに対する誤り検出結果がＣＲＣ＝ＮＧであった場合、束ＡＣＫ／ＮＡＣＫ信号として「ＮＡＣＫ」を生成し、Bundling単位バンドグループの上り単位バンドに対応する上り制御チャネル信号生成部２１３へ出力する。
【０１６７】
また、Bundling制御部４１２は、再送データに関する誤り検出結果に基づいて、応答信号を生成する。すなわち、再送データに対する応答信号は、実施の形態１と同様に、初回送信データに対する応答信号とBundlingされずに独立して生成される。ただし、実施の形態２では、再送データに対する応答信号は、束ＡＣＫ／ＮＡＣＫ信号と同じ上り制御チャネル信号生成部２１３へ出力される。
【０１６８】
制御部４０８は、判定部４０７から受け取る下り単位バンドの識別情報の示す下り単位バンド、ＣＣＥ識別情報、及びＰＵＣＣＨリソース情報から、応答信号を送信すべきＰＵＣＣＨリソース(周波数・符号)を特定する。そして、制御部４０８は、各下り単位バンドについて特定したＰＵＣＣＨリソースに対応するＺＡＣ系列及び循環シフト量を、各下り単位バンドに対応する上り制御チャネル信号生成部２１３−１〜Ｎの拡散部２２２へ出力し、周波数リソース情報をＩＦＦＴ部２２３に出力する。また、制御部４０８は、参照信号としてのＺＡＣ系列及び周波数リソース情報をＩＦＦＴ部２２６へ出力し、応答信号の２次拡散に用いるべきブロックワイズ拡散コード系列を拡散部２２５へ出力し、参照信号の２次拡散に用いるべき直交系列を拡散部２２８へ出力する。
【０１６９】
こうしてBundlingによる応答信号（つまり、束ＡＣＫ／ＮＡＣＫ信号）及びNon-bundlingによる応答信号（つまり、再送データに対する応答信号）は、同じ上り制御チャネルの異なるリソースに配置される。
【０１７０】
図１０を参照して具体的に説明する。Bundling制御部４１２は、Bundling単位バンドグループの下り単位バンド（つまり、ここでは、下り単位バンド１，２）で送信された初回送信データに関する誤り検出結果に基づいて、束ＡＣＫ／ＮＡＣＫ信号を生成する。そして、Bundling制御部４１２は、生成した束ＡＣＫ／ＮＡＣＫ信号を、Bundling単位バンドグループの上り単位バンド（つまり、上り単位バンド１）に対応する上り制御チャネル信号生成部２１３へ出力する。そして、上り制御チャネル信号生成部２１３は、束ＡＣＫ／ＮＡＣＫ信号を含めた上り制御チャネル信号を、制御部４０８によって設定されたリソースで送信する。このリソースは、下り単位バンド１の下り制御チャネルのＣＣＥと対応付けられた、上り単位バンド１の上り制御チャネルの構成リソースである。
【０１７１】
なお、図１０では、単位バンドグループ内に１つの上り単位バンド１のみを含んでいるが、単位バンドグループ内に複数の上り単位バンド（例えば、上り単位バンド１，２）を含む場合（つまり、単位バンドグループが下り単位バンド１，２，３及び上り単位バンド１，２から構成される場合）には、Bundling単位バンドグループの上り単位バンドとして
、下り単位バンド２と単位バンドペアを構成する上り単位バンド２を選択することもできる。この場合には、Bundling制御部４１２は、束ＡＣＫ／ＮＡＣＫ信号を上り単位バンド２に対応する上り制御チャネル信号生成部２１３へ出力することになる。ただし、図１０では、Bundling単位バンドグループを構成する複数の下り単位バンド（つまり、下り単位バンド１，２）と単位バンドペアである上り単位バンド群（つまり、上り単位バンド１，２）のうち、例えば、最も周波数の低い上り単位バンドを選択基準として選択された上り単位バンド（つまり、上り単位バンド１）がBundling単位バンドグループに含められている。
【０１７２】
さらに、Bundling制御部４１２は、下り単位バンド３で送信された再送データに関する誤り検出結果に基づいて、応答信号を生成する。そして、Bundling制御部４１２は、再送データに対する応答信号を、束ＡＣＫ／ＮＡＣＫ信号と同じ上り制御チャネル信号生成部２１３へ出力する。そして、上り制御チャネル信号生成部２１３は、再送データに対する応答信号を含めた上り制御チャネル信号を、制御部４０８によって設定されたリソースで送信する。このリソースは、下り単位バンド３の下り制御チャネルのＣＣＥ及びＰＵＣＣＨリソース情報に対応づけられた、上り単位バンド１の上り制御チャネルの構成リソースである。この場合には、制御部４０８は、下り単位バンド３の下り制御チャネルのＣＣＥと対応付けられた上り単位バンド１のリソースＩｎｄｅｘに対してＰＵＣＣＨリソース情報の示す数を加算して得られるリソースＩｎｄｅｘを持つリソースに応答信号を配置する。また、ＰＵＣＣＨリソース情報を、例えば、上り制御チャネルにおいて、束ＡＣＫ／ＮＡＣＫ信号が配置されるリソースのＩｎｄｅｘと、再送データに対する応答信号が配置されるリソースのＩｎｄｅｘとの差分とすることもできる。
【０１７３】
〈基地局３００による再送制御〉
基地局３００において、再送制御信号生成部３１９は、受信信号に含まれる複数の応答信号に基づいて、各下り単位バンドで送信したデータを再送すべきか否かを判定し、判定結果に基づいて再送制御信号を生成する。すなわち、再送制御信号生成部３１９は、束ＡＣＫ／ＮＡＣＫ信号に基づいて、前回の送信が初回送信であった送信データの再送を制御すると共に、再送データに関する応答信号に基づいて、前回の送信も再送であった送信データの再送を制御する。
【０１７４】
以上のように本実施の形態によれば、基地局３００において、各下り単位バンドの下り制御チャネルで送信される下り割当制御情報を生成する制御情報生成部３０２が、Bundling単位バンドグループの下り単位バンドの下り割当制御情報には、初回送信データであることを示すデータ種別情報及び初回送信データが配置された下り単位バンドの数を示す配置情報を含める一方、Bundling単位バンドグループの下り単位バンドを除く下り単位バンドには、再送データであることを示すデータ種別情報及び再送データに対応する応答信号が配置される上り制御チャネルのリソースを示すリソース情報（つまり、ＰＵＣＣＨリソース情報）を含める。
【０１７５】
こうすることで、下り割当制御情報の情報サイズ（Payloadサイズ）を下り単位バンドの違いに依らず同一にすることができるので、下り割当制御情報のフォーマットを共通化することができる。この結果、受信側の端末４００におけるブラインド判定回数を削減できる。
【０１７６】
また、再送データに対する下り割当制御情報の中でＰＵＣＣＨリソース情報を通知することで、Bundlingを行わない再送データに対する応答信号が用いるべきリソースに柔軟性を持たせられるので、スケジューラーの自由度を向上させることができる。
【０１７７】
また、端末４００において、Bundling制御部４１２が、再送データに対する応答信号を
、初回送信データに対応する応答信号が送信される上り制御チャネル内の他の構成リソースで送信する。この構成リソースを特定するための情報が、ＰＵＣＣＨリソース情報に含まれている。
【０１７８】
なお、以上の説明では、非対称の単位バンドグループを前提として説明したが、これに限定されるものではなく、対称の単位バンドグループでも本実施の形態の技術は適用できる。この場合、Bundling単位バンドグループに含まれる上り単位バンドが、サブフレーム単位で変更されても良い。
【０１７９】
（実施の形態３）
実施の形態３は、特に、端末の応答信号送信制御に関して実施の形態２と異なる。以下では、実施の形態２と異なる点を中心に説明する。また、以下では、次の事項を前提として説明する。すなわち、予め基地局５００と端末６００の間で、端末６００独自の非対称Ｃａｒｒｉｅｒ  ａｇｇｒｅｇａｔｉｏｎが構成されており、端末６００が用いるべき下り単位バンド及び上り単位バンドの情報が、基地局５００と端末６００との間で共有されている。また、基地局５００によって任意の端末６００に対して設定（Configure）され、予め端末６００に通知（Signaling）された単位バンドグループを構成する上り単位バンドに関する情報を報知するＢＣＨが送信される下り単位バンドが、当該端末６００に対する「基本単位バンド」である。そして、この基本単位バンドに関する情報が、「基本単位バンド情報」である。従って、任意の端末６００は、各下り単位バンドにおけるＢＣＨ情報を読むことによって、この基本単位バンド情報を認識できる。
【０１８０】
［基地局の構成］
図１１は、本発明の実施の形態３に係る基地局５００の構成を示すブロック図である。図１１において、基地局５００は、制御部５０１と、マッピング部５０８と、判定部５１８と、再送制御信号生成部５１９と、報知信号生成部５２０とを有する。
【０１８１】
制御部５０１は、基本的には、実施の形態２の制御部３０１と同じ機能を有している。制御部５０１は、さらに、各下り単位バンドで送信される報知チャネル信号（ＢＣＨ）を生成させる制御信号を報知信号生成部５２０へ出力する。また、制御部５０１は、各端末６００の基本単位バンド情報を再送制御信号生成部５１９へ出力する。
【０１８２】
マッピング部５０８は、基本的には、マッピング部１０８と同じ機能を有している。マッピング部５０８は、さらに、予め決められた時間・周波数リソースに、報知情報をマッピングし、ＩＦＦＴ部１０９へ出力する。
【０１８３】
報知信号生成部５２０は、制御部５０１から受け取る制御信号に従って、下り単位バンドごとに報知信号（ＢＣＨ）を生成し、マッピング部５０８へ出力する。この報知信号には、当該報知信号が送信される下り単位バンドと単位バンドペアを形成する上り単位バンドの情報等が含まれる。
【０１８４】
判定部５１８は、相関処理部１１７から入力される相関値に基づいて、端末から送信された応答信号がＡＣＫまたはＮＡＣＫのいずれかを示しているか、もしくはＤＴＸであるかを判定する。すなわち、判定部５１８は、相関処理部１１７から入力される相関値の大きさがある閾値以下であれば、端末６００が当該リソースを用いてＡＣＫもＮＡＣＫも送信していない（ＤＴＸ）と判断し、相関値の大きさが閾値以上であれば、更に当該応答信号がＡＣＫまたはＮＡＣＫのいずれを示しているかを同期検波によって判定する。そして、判定部５１８は、端末毎のＡＣＫ、ＮＡＣＫまたはＤＴＸ情報を再送制御信号生成部５１９へ出力する。
【０１８５】
再送制御信号生成部５１９は、受信信号に含まれる複数の応答信号に基づいて、各下り単位バンドで送信したデータを再送すべきか否かを判定し、判定結果に基づいて再送制御信号を生成する。
【０１８６】
すなわち、再送制御信号生成部５１９は、Bundling単位バンドグループ内の束ＡＣＫ／ＮＡＣＫ信号が送信される上り単位バンドに対応する判定部５１８から、束ＡＣＫ／ＮＡＣＫ信号またはＤＴＸを受け取る。また、Bundlingによる応答信号及びNon-bundlingによる応答信号は同じ上り単位バンドの上り制御チャネルで送信されるので、再送制御信号生成部５１９は、再送データに関する応答信号またはＤＴＸも、束ＡＣＫ／ＮＡＣＫ信号が送信される上り単位バンドに対応する判定部５１８から受け取る。
【０１８７】
そして、再送制御信号生成部５１９は、束ＡＣＫ／ＮＡＣＫ信号またはＤＴＸに基づいて、前回の送信が初回送信であった送信データの再送を制御すると共に、再送データに関する応答信号またはＤＴＸに基づいて、前回の送信も再送であった送信データの再送を制御する。
【０１８８】
［端末の構成］
図１２は、本発明の実施の形態３に係る端末６００の構成を示すブロック図である。図１２において、端末６００は、抽出部６０４と、制御部６０８と、Bundling制御部６１２と、報知信号受信部６３０とを有する。
【０１８９】
抽出部６０４は、基本的には、上記した抽出部２０４と同じ機能を有する。抽出部６０４は、さらに、ＦＦＴ部２０３から受け取る受信信号から報知信号を抽出して報知信号受信部６３０へ出力する。報知信号がマッピングされるリソースは予め決まっているので、抽出部６０４は、そのリソースにマッピングされている情報を抽出する。また、抽出された報知信号には、各下り単位バンドと上り単位バンドとの関連付けに関する情報が含まれている。
【０１９０】
報知信号受信部６３０は、下り単位バンド毎に含まれる報知信号をそれぞれ復号し、各下り単位バンドと単位バンドペアを構成する上り単位バンドの情報（すなわち、各下り単位バンドにマッピングされたＳＩＢ２によって通知される上り単位バンドの情報）を抽出する。また、報知信号受信部６３０は、自装置に対する単位バンドグループに含まれる上り単位バンドとペアになっている下り単位バンドを「基本単位バンド」と認識し、基本単位バンド情報をBundling制御部６１２及び制御部６０８へ出力する。
【０１９１】
制御部６０８は、判定部４０７から受け取る下り単位バンドの識別情報の示す下り単位バンド、ＣＣＥ識別情報、及びＰＵＣＣＨリソース情報から、応答信号を送信すべきＰＵＣＣＨリソース(周波数・符号)を特定する。そして、制御部６０８は、各下り単位バンドについて特定したＰＵＣＣＨリソースに対応するＺＡＣ系列及び循環シフト量を、各下り単位バンドに対応する上り制御チャネル信号生成部２１３−１〜Ｎの拡散部２２２へ出力し、周波数リソース情報をＩＦＦＴ部２２３に出力する。また、制御部６０８は、参照信号としてのＺＡＣ系列及び周波数リソース情報をＩＦＦＴ部２２６へ出力し、応答信号の２次拡散に用いるべきブロックワイズ拡散コード系列を拡散部２２５へ出力し、参照信号の２次拡散に用いるべき直交系列を拡散部２２８へ出力する。
【０１９２】
Bundling制御部６１２は、自装置に設定された単位バンドグループに含まれる各下り単位バンドで送信された下り回線データの受信状況、報知信号受信部６３０から受け取る基本単位バンド情報、並びに、判定部４０７から受け取るＮＤＩ及びＤＡＩに基づいて、自装置が基地局５００へ送信すべき応答信号を生成する。Bundling制御部６１２は、生成した応答信号を、基本単位バンドと単位バンドペアを形成する上り単位バンドに対応する上
り制御チャネル信号生成部２１３へ出力する。応答信号の送信制御については、後に詳しく説明する。
【０１９３】
［基地局５００及び端末６００の動作］
以上の構成を有する基地局５００及び端末６００の動作について説明する。図１３は、基地局５００及び端末６００の動作説明に供する図である。
【０１９４】
〈基地局５００によるリソース割当制御、並びに、下り割当制御情報及び下り回線データの送信〉
基地局５００において、制御部５０１は、リソース割当対象端末６００への初回送信データのために、リソース割当対象端末６００に対して、単位バンドグループに含まれる下り単位バンドと上り単位バンドとにより構成されるBundling単位バンドグループを設定する。このBundling単位バンドグループは、下り単位バンドの数と上り単位バンドの数とが異なることがあり（具体的には、下り単位バンドの数よりも上り単位バンドの数の方が少ないことがあり）、上り下りで非対称となる場合がある。このBundling単位バンドグループに含まれる下り単位バンドは、例えば、サブフレーム単位で、設定変更できる。また、Bundling単位バンドグループに含まれる上り単位バンドは、同じBundling単位バンドグループに属するいずれかの下り単位バンドと「単位バンドペア」を構成している。また、Bundling単位バンドグループに含まれる上り単位バンドに関する情報を報知するＢＣＨが送信される下り単位バンドが、リソース割当対象端末６００に対する「基本単位バンド」である。換言すれば、Bundlingによる応答信号の送信に用いられる上り単位バンドに関する情報を報知するＢＣＨが送信される下り単位バンドが、リソース割当対象端末６００に対する「基本単位バンド」である。
【０１９５】
また、制御部５０１は、リソース割当対象端末６００への再送データのために、リソース割当対象端末６００に対して、上記単位バンドグループの中でBundling単位バンドグループの下り単位バンドを除く下り単位バンドを設定する。
【０１９６】
そして、制御部５０１は、端末６００毎に設定されている単位バンドグループにおける基本単位バンド（つまり、Bundling単位バンドグループにおける基本単位バンド）に関する情報を保持している。制御部５０１は、端末６００に対して初回送信データを送信する場合、当該端末６００にとっての基本単位バンドを優先して使用する。すなわち、基地局５００側で１つの初回送信のデータ（Ｔｒａｎｓｐｏｔ  ｂｌｏｃｋ：ＴＢとも呼ぶ）を端末６００に送信する場合、制御部５０１は、当該端末６００にとっての基本単位バンドにデータをマッピングする制御を行い、また、端末６００に対して、Bundling単位バンドグループに基本単位バンド以外の下り単位バンドが無いこと（すなわち、基本単位バンド以外に初回送信データの配置が無いこと）を通知するＤＡＩビット情報を生成する。このＤＡＩビットは、制御部５０１から、その他の制御情報と一緒に制御情報生成部３０２へ出力され、下り回線データと同一の下り単位バンドで送信される。また、基地局５００側で２つ以上の初回送信のデータを端末６００に同時に送信する場合、制御部５０１は、一つのデータを必ず端末６００の基本単位バンドにマッピングし、残りのデータはBundling単位バンドグループ内の基本単位バンドを除く下り単位バンドにマッピングする制御を行う。制御部５０１は、端末６００に対して、Bundling単位バンドグループに基本単位バンド以外の下り単位バンドが含まれること（すなわち、基本単位バンド以外に初回送信データの配置があること）を通知するＤＡＩビット情報を生成し、制御情報生成部３０２に出力する。このＤＡＩビットは、基本単位バンドで送信される下り割当制御情報に含まれて端末６００に通知される。
【０１９７】
基地局５００は、下り回線データの送信宛先端末６００に対して、当該送信宛先端末６００に設定された単位バンドグループ内の、下り回線データ（初回送信データ及び再送デ
ータ）の送信に利用する下り単位バンドにおいて下り割当制御情報をそれぞれ送信する。また、基地局５００は、Bundling単位バンドグループにおける基本単位バンド以外の下り単位バンドの数（すなわち、基本単位バンド以外で下り回線データが配置された下り単位バンドの数）を、基本単位バンドで送信される下り割当制御情報に含まれるＤＡＩによって、送信宛先端末６００に通知する。
【０１９８】
図１３を参照して具体的に説明すると、送信宛先端末６００に対しては、下り単位バンド１，２，３及び上り単位バンド１から成る単位バンドグループが設定されている。そして、Bundling単位バンドグループは、下り単位バンド１，２及び上り単位バンド１から構成されている。ここで、送信宛先端末６００に対してＣａｒｒｉｅｒ  ａｇｇｒｅｇａｔｉｏｎによる通信が適用される場合、基地局５００は、下り単位バンド１，２，３を用いて、下り割当制御情報を送信する。この下り割当制御情報を送信するために、基地局５００は、下り単位バンドの下り制御チャネル（ＰＤＣＣＨ）に含まれるサブチャネル（すなわち、Ｌ１／Ｌ２  ＣＣＨ）を送信宛先端末６００に割り当て、割り当てたサブチャネルを用いて送信宛先端末６００へ下り割当制御情報を送信する。各サブチャネルは、１つ又は複数のＣＣＥによって構成されている。
【０１９９】
〈端末６００による下り回線データの受信〉
端末６００では、報知信号受信部６３０が、端末６００に通知された単位バンドグループを構成する上り単位バンドに関する情報を報知するＢＣＨが送信される下り単位バンドを基本単位バンドとして特定する。
【０２００】
また、判定部４０７が、各下り単位バンドの下り制御チャネルに自装置宛の下り割当制御情報が含まれているか否かを判定し、自身宛の下り割当制御情報を抽出部６０４へ出力する。
【０２０１】
抽出部６０４は、判定部４０７から受け取る下り割当制御情報に基づいて、受信信号から下り回線データを抽出する。
【０２０２】
こうして端末６００は、基地局５００から送信された下り回線データを受信することができる。
【０２０３】
図１３を参照して具体的に説明すると、まず、上り単位バンド１に関する情報を報知するＢＣＨが下り単位バンド１で送信されるので、下り単位バンド１が端末６００の基本単位バンドとなる。
【０２０４】
また、下り単位バンド１で送信される下り割当制御情報には、下り単位バンド１で送信される下り回線データ（DL data）の送信に用いられるリソースに関する情報が含まれ、下り単位バンド２で送信される下り割当制御情報には、下り単位バンド２で送信される下り回線データの送信に用いられるリソースに関する情報が含まれ、下り単位バンド３で送信される下り割当制御情報には、下り単位バンド３で送信される下り回線データ（DL data）の送信に用いられるリソースに関する情報が含まれる。
【０２０５】
従って、端末６００は、下り単位バンド１で送信される下り割当制御情報、下り単位バンド２で送信される下り割当制御情報及び下り単位バンド３で送信される下り割当制御情報を受信することにより、下り単位バンド１、下り単位バンド２及び下り単位バンド３のすべてで下り回線データを受信することができる。逆に、下り割当制御情報を受信することができなければ、端末６００は、下り回線データを受信することができない。
【０２０６】
また、端末６００は、下り単位バンド１で送信されるＤＡＩにより、下り割当制御情報
が、基本単位バンドである下り単位バンド１だけでなく、下り単位バンド２でも送信されていることを認識することができる。
【０２０７】
〈端末６００による応答〉
実施の形態２と同様に、初回送信データに対する応答制御と再送データに対する応答制御とは別に行われる。
【０２０８】
（１）初回送信データに対する応答
Bundling制御部６１２は、ＣＲＣ部２１１から受け取る誤り検出結果、制御部６０８から受け取るＤＡＩ、及び、報知信号受信部６３０から受け取る基本単位バンド情報に基づいて、次のように応答信号の送信制御を行う。
【０２０９】
Bundling制御部６１２は、ＤＡＩから求められる下り回線データの数と等しい数の初回送信データに対する誤り検出結果をＣＲＣ部２１１から受け取る場合（つまり、Bundling単位バンドグループの全ての下り単位バンドにおいて初回送信データに対する下り割当制御情報の受信に成功した場合）には、これらの誤り検出結果を１つにまとめた束ＡＣＫ／ＮＡＣＫ信号を基地局５００へ送信する。
【０２１０】
Bundling制御部６１２は、基本単位バンドで下り割当制御情報の受信に成功し、基本単位バンドで送信された下り回線データについての誤り検出結果をＣＲＣ部２１１から受け取るが、ＣＲＣ部２１１から受け取る誤り検出結果の総数がＤＡＩから求められる初回送信データの数よりも少ない場合、束ＡＣＫ／ＮＡＣＫ信号としてＮＡＣＫを送信する。なお、ここではＮＡＣＫを送信するとしたが、応答信号自体を送信しないこととしても良い。端末６００が応答信号を送信しなくても、基地局５００はＤＴＸと見なして再送制御を行うので、ＮＡＣＫを送信した場合と結果として同じ再送制御が為されるためである。
【０２１１】
また、Bundling制御部６１２は、ＣＲＣ部２１１から初回送信データに対する誤り検出結果自体を受け取らない場合（つまり、端末６００でBundling単位バンドグループ内のいずれの下り割当制御情報の受信にも成功しなかった場合）だけでなく、基本単位バンド以外の下り単位バンドで送信された初回送信データについての誤り検出結果のみを受け取る場合（つまり、基本単位バンドで初回送信データに対する下り割当制御情報の受信に成功しなかった場合）にも、初回送信データに対する束ＡＣＫ／ＮＡＣＫ信号を基地局５００へ送信しない。
【０２１２】
図１４を参照して初回送信データに対する束ＡＣＫ／ＮＡＣＫ信号の送信制御を具体的に説明する。図１４Ａでは、Ｃａｒｒｉｅｒ  ａｇｇｒｅｇａｔｉｏｎが基地局５００と端末６００との間の通信に適用されることが前提とされている。
【０２１３】
Bundling制御部６１２は、下り単位バンド１で送信された初回送信データに対する下り割当制御情報及び下り単位バンド２で送信された初回送信データに対する下り割当制御情報の両方の受信に成功した場合には、両下り割当制御情報の示すリソースで受信した下り回線データの誤り検出結果に基づく応答信号（すなわち、束ＡＣＫ／ＮＡＣＫ信号）を、従来から下り単位バンド１に対応する上り制御チャネル用のリソースとして用意されているＰＵＣＣＨ１で送信する。
【０２１４】
また、Bundling制御部６１２は、下り単位バンド１で送信された初回送信データに対する下り割当制御情報の受信のみに成功した場合には、ＮＡＣＫを、ＰＵＣＣＨ１で送信する。
【０２１５】
また、Bundling制御部６１２は、下り単位バンド１で送信された初回送信データに対す
る下り割当制御情報及び下り単位バンド２で送信された初回送信データに対する下り割当制御情報の両方の受信に失敗した場合だけでなく、下り単位バンド２で送信された下り割当制御情報の受信にのみ成功した場合も、束ＡＣＫ／ＮＡＣＫ信号を送信しない。こうすることで、単位バンドグループにおける下り単位バンド２と上り単位バンド１との対応関係に対応する上り制御チャネル用に新たにリソースを確保する必要がない。この結果、上り制御チャネルのオーバーヘッドを削減できる。
【０２１６】
以上で説明した初回送信データに対する応答信号の送信制御を行ったとしても、ACK/NACK bundling動作では、そもそも、下り単位バンドに配置された下り回線データのうちいずれか一つでも受信に失敗すれば端末からＮＡＣＫが送信され、これに応じて基地局側では全ての下り回線データの再送を行うことが前提となっているので、ACK/NACK Bundlingにおける再送効率が劣化することは無い。
【０２１７】
また、以上で説明した初回送信データに対する応答信号の送信制御を行うことにより、Ｃａｒｒｉｅｒ  ａｇｇｒｅｇａｔｉｏｎによる通信を行う能力の無い端末に設定される、１つの下り単位バンドと１つの上り単位バンドとから成るバンドペアにおいて用いられる上り制御チャネル用のリソースを、このバンドペアを含む単位バンドグループにおいても利用することができる。このことは、基本単位バンドを、基地局が個別に端末に対して構成した非対称Ｃａｒｒｉｅｒ  ａｇｇｒｅｇａｔｉｏｎにおける単位バンドグループのうち、上り単位バンドの情報を報知するＢＣＨが配置された下り単位バンドとして定義することにより、保証されている。従って、非対称Ｃａｒｒｉｅｒ  ａｇｇｒｅｇａｔｉｏｎを行うことによって下り単位バンドと上り単位バンドとの対応関係が新たに生じるにも関わらず、この対応関係に対応する上り制御チャネル用のリソースを新たに確保する必要が無いので、上り制御チャネルのオーバーヘッドを削減できる。また、Ｃａｒｒｉｅｒ  ａｇｇｒｅｇａｔｉｏｎによる通信を行う能力の無い端末に設定されるバンドペアにおける下り単位バンドとこれに対応する上り制御チャネル用のリソースとの対応関係も維持されるので、Ｃａｒｒｉｅｒ  ａｇｇｒｅｇａｔｉｏｎによる通信を行う能力の有る端末とＣａｒｒｉｅｒ  ａｇｇｒｅｇａｔｉｏｎによる通信を行う能力の無い端末とが共存できるシステムを実現できる。
【０２１８】
（２）再送データに対する応答
図１４Ｂに示すように、Bundling制御部６１２は、再送データの送信に割り当てられた下り単位バンド（図１３では、下り単位バンド３）で下り割当制御情報の受信に成功した場合には、その下り割当制御情報の示すリソースで受信した下り回線データの誤り検出結果に基づく応答信号を基地局５００へ送信する。
【０２１９】
また、Bundling制御部６１２は、再送データの送信に割り当てられた下り単位バンドで下り割当制御情報の受信に失敗した場合には、応答信号を送信しない。
【０２２０】
以上で説明した再送データに対する応答信号の送信制御を行うことにより、再送データ向けに追加のＰＵＣＣＨリソースが必要となるが、そもそも、再送が発生する確率は１０％程度であるため、オーバーヘッドの増加は最小限に抑えることができる。さらに、実施の形態２と同様に、ＰＵＣＣＨリソース情報を端末に対して通知しているため、再送データに対する応答信号のリソースの使用方法に関して柔軟性を持たせることができ、スケジューラーの自由度が向上する。
【０２２１】
以上のように本実施の形態によれば、端末６００において、Bundling制御部６１２が、制御情報受信手段としての抽出部６０４、復調部２０５、及び復号部２０６においてBundling単位バンドグループにおける上り単位バンドに関する情報が含まれる報知チャネル信号が送信される下り単位バンドである基本単位バンド、及び、初回送信データが配置され
た、基本単位バンド以外の第２の下り単位バンドで送信された下り割当制御情報の受信に成功した場合には、基本単位バンドにおける下り制御チャネルと関連付けられて上り単位バンドに設けられた上り制御チャネルのリソースを用いて、初回送信データに対する応答信号（すなわち、束ＡＣＫ／ＮＡＣＫ信号）を送信し、制御情報受信手段において第２の下り単位バンドで送信された下り割当制御情報の受信のみに成功した場合には、初回送信データに対する応答信号を基地局５００へ送信しない。
【０２２２】
こうすることで、単位バンドグループにおける基本単位バンド以外の下り単位バンドと基本単位バンドとバンドペアを形成する上り単位バンドとの対応関係に対応する上り制御チャネル用に新たにリソースを確保する必要がないので、上り制御チャネルのオーバーヘッドを削減できる。
【０２２３】
なお、以上の説明では、端末６００に対して構成された非対称Ｃａｒｒｉｅｒ  ａｇｇｒｅｇａｔｉｏｎにおける単位バンドグループの中に、上り単位バンドが一つだけ含まれる場合を前提として説明した。しかしながら、本実施の形態はこれに限定されない。すなわち、単位バンドグループの中に複数の上り単位バンドが含まれている場合、基地局５００から端末６００に対していずれの上り単位バンドを用いて上り応答信号を送信すべきが指示される。ある端末６００にとっての単位バンドグループの中に、複数の上り単位バンドが含まれる場合であっても、基地局５００から上り応答信号送信に用いるように指示された上り単位バンドの情報を報知するＢＣＨを送信する下り単位バンドを、当該端末６００にとっての基本単位バンドとすれば、上記した効果を維持することが可能である。
【０２２４】
またなお、以上の説明では、非対称の単位バンドグループを前提として説明したが、これに限定されるものではなく、対称の単位バンドグループでも本実施の形態の技術は適用できる。この場合、Bundling単位バンドグループに含まれる上り単位バンドは、サブフレーム単位で変更されても良い。
【０２２５】
（他の実施の形態）
（１）実施の形態１乃至３において、再送データが複数の下り単位バンドで送信される場合には、再送データに対する応答信号同士もBundlingしても良い。すなわち、実施の形態１では、初回送信データのための第１のBundling単位バンドグループの他に、再送データのための第２のBundling単位バンドグループが設定され、束ＡＣＫ／ＮＡＣＫ信号が第２のBundling単位バンドグループの上り単位バンドの上り制御チャネルに配置されることになる。また、実施の形態２及び３では、再送データに対する束ＡＣＫ／ＮＡＣＫ信号がＰＵＣＣＨリソース情報の示すリソースに配置されることになる。こうすることで、上り制御チャネルのリソース使用量をより抑えることができるので、端末の消費電力を削減できると共に上り制御チャネルでの干渉をさらに削減できる。さらに、再送データであっても、再送回数により誤り率が異なるため、RVの指示値(再送回数が反映されている)が同一の再送データに対する応答信号のみをBundlingしても良い。
【０２２６】
（２）また、上記各実施の形態におけるＺＡＣ系列は、循環シフト処理を施すベースとなる系列という意味で、Base sequenceと称されることもある。
【０２２７】
また、ウォルシュ系列は、ウォルシュ符号系列(Walsh code sequence)と称されることもある。
【０２２８】
（３）また、上記各実施の形態では、端末側の処理の順番として、１次拡散、ＩＦＦＴ変換の後に、２次拡散を行う場合について説明した。しかし、これらの処理の順番はこれに限定されない。すなわち、１次拡散、２次拡散は共に乗算の処理であるため、１次拡散処理の後段にＩＦＦＴ処理がある限り、２次拡散処理の場所はどこにあっても等価な結果
が得られる。
【０２２９】
（４）また、上記各実施の形態では、本発明をハードウェアで構成する場合を例にとって説明したが、本発明はソフトウェアで実現することも可能である。
【０２３０】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０２３１】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０２３２】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０２３３】
２００９年４月２４日出願の特願２００９−１０６３３２の日本出願に含まれる明細書、図面および要約書の開示内容は、すべて本願に援用される。
【産業上の利用可能性】
【０２３４】
本発明の基地局装置及び端末装置は、上り制御チャネルのオーバーヘッドの増加を防止しつつ、柔軟性の高い再送制御を実現するものとして有用である。
【符号の説明】
【０２３５】
１００，３００，５００  基地局
１０１，２０８，３０１，４０８，５０１，６０８  制御部
１０２，３０２  制御情報生成部
１０３，１０５  符号化部
１０４，１０７，２２１  変調部
１０６  データ送信制御部
１０８，５０８  マッピング部
１０９，２２３，２２６  ＩＦＦＴ部
１１０，２２４，２２７  ＣＰ付加部
１１１，２１５  無線送信部
１１２，２０１  無線受信部
１１３，２０２  ＣＰ除去部
１１４  ＰＵＣＣＨ抽出部
１１５，３１５  逆拡散部
１１６，３１６  系列制御部
１１７  相関処理部
１１８，２０７，４０７，５１８  判定部
１１９，３１９，５１９  再送制御信号生成部
２００，４００，６００  端末
２０３  ＦＦＴ部
２０４，６０４  抽出部
２０５，２０９  復調部
２０６，２１０  復号部
２１１  ＣＲＣ部
２１２，４１２，６１２  Bundling制御部
２１３  上り制御チャネル信号生成部
２１４  ＰＵＣＣＨ多重部
２２２，２２５，２２８  拡散部
２２９  多重部
５２０  報知信号生成部
６３０  報知信号受信部
【手続補正２】
【補正対象書類名】特許請求の範囲
【補正対象項目名】全文
【補正方法】変更
【補正の内容】
【特許請求の範囲】
【請求項１】
Ｎ個（Ｎは、２以上の自然数）の下り単位バンドと上り単位バンドとからなる単位バンドグループを用いて基地局と通信し、且つ、下り単位バンドに配置される下りデータの誤り検出結果に基づく応答信号を前記下り単位バンドに対応する上り単位バンドの上り制御チャネルで送信する端末装置であって、
前記複数の下り単位バンドの下り制御チャネルで送信された下り割当制御情報を受信する制御情報受信手段と、
前記下り割当制御情報が示す下りデータチャネルで送信された下りデータを受信する下りデータ受信手段と、
前記受信された下りデータの受信誤りを検出する誤り検出手段と、
各下り単位バンドで受信された下りデータが初回送信データであるか再送データであるかを判定する判定手段と、
前記誤り検出手段で得られた誤り検出結果、前記下り割当制御情報の受信成否、及び前記判定の結果に基づいて、前記基地局における下りデータの再送制御に用いられる応答信号の送信を制御する応答制御手段と、
を具備し、
前記応答制御手段は、
前記初回送信データに対する応答信号を、前記初回送信データが送信された下り単位バンドの下り制御チャネルと対応付けられて前記上り単位バンドに設けられた上り制御チャネルの構成リソースで送信し、
前記再送データに対する応答信号を、前記初回送信データに対する応答信号と異なるリソースで送信する、
端末装置。
【請求項２】
前記応答制御手段は、前記初回送信データが複数存在する場合に、前記複数の初回送信データに対する束応答信号を１つだけ生成し、前記生成した束応答信号を、前記複数の初回送信データのうちの１つが送信された下り単位バンドの下り制御チャネルと対応付けられて前記上り単位バンドに設けられた上り制御チャネルの構成リソースで送信する、
請求項１に記載の端末装置。
【請求項３】
前記応答制御手段は、前記再送データに対する応答信号を、前記再送データが送信された下り単位バンドの下り制御チャネルと対応付けられて他の上り単位バンドに設けられた上り制御チャネルの構成リソースで送信する、
請求項１に記載の端末装置。
【請求項４】
前記応答制御手段は、前記再送データに対する応答信号を、前記初回送信データに対応する応答信号が送信される上り制御チャネル内の他の構成リソースで送信する、
請求項１に記載の端末装置。
【請求項５】
前記応答制御手段は、
前記制御情報受信手段において前記単位バンドグループにおける上り単位バンドに関する情報が含まれる報知チャネル信号が送信される下り単位バンドである基本単位バンド、及び、初回送信データが配置された、前記基本単位バンド以外の第２の下り単位バンドで送信された下り割当制御情報の受信に成功した場合には、前記基本単位バンドにおける下り制御チャネルと関連付けられて前記上り単位バンドに設けられた上り制御チャネルのリソースを用いて、前記初回送信データに対する応答信号を送信し、
前記制御情報受信手段において前記第２の下り単位バンドで送信された下り割当制御情報の受信のみに成功した場合には、前記初回送信データに対する応答信号を前記基地局へ送信しない、
請求項１に記載の端末装置。
【請求項６】
Ｎ個（Ｎは、２以上の自然数）の下り単位バンドと上り単位バンドとからなる単位バンドグループを用いて端末と通信する基地局であって、
前記Ｎ個の下り単位バンドの中からBundling単位バンドグループを設定する制御手段と、
下りデータの内の初回送信データを、前記Bundling単位バンドグループの下り単位バンドにマッピングすると共に、再送データを、前記Ｎ個の下り単位バンドの内、前記Bundling単位バンドグループの下り単位バンド以外の下り単位バンドにマッピングするマッピング手段と、
を具備する基地局装置。
【請求項７】
各下り単位バンドの下り制御チャネルで送信される下り割当制御情報を生成する手段であって、前記Bundling単位バンドグループの下り単位バンドの下り割当制御情報には、初回送信データであることを示すデータ種別情報及び初回送信データが配置された下り単位バンドの数を示す配置情報を含め、前記Bundling単位バンドグループの下り単位バンド以外の下り単位バンドの下り割当制御情報には、再送データであることを示すデータ種別情報及び再送データに対応する応答信号を配置すべき上り制御チャネルのリソースを示すリソース情報を含める制御情報生成手段、をさらに具備する、
請求項６に記載の基地局装置。
【手続補正３】
【補正対象書類名】図面
【補正対象項目名】全図
【補正方法】変更
【補正の内容】
【図１】
2010122808.tif 000017
【図２】
2010122808.tif 000018
【図３】
2010122808.tif 000019
【図４】
2010122808.tif 000020
【図５】
2010122808.tif 000021
【図６】
2010122808.tif 000022
【図７】
2010122808.tif 000023
【図８】
2010122808.tif 000024
【図９】
2010122808.tif 000025
【図１０】
2010122808.tif 000026
【図１１】
2010122808.tif 000027
【図１２】
2010122808.tif 000028
【図１３】
2010122808.tif 000029
【図１４】
2010122808.tif 000030
【国際調査報告】
2010122808.tif 000031
2010122808.tif 000032